(57)【要約】【課題】メディアデバイスの範囲内のユーザを検出するのに好適なシステムおよび方法を提供すること。【解決手段】メディアデバイスの範囲内にあり、その範囲よりも小さい検出領域が画定され得る。検出領域は記憶され得る。ユーザが検出領域内にいるか否かが決定され得る。ユーザが検出領域内にいる場合、メディアデバイスが起動され得、ユーザに関連付けられた設定が適用され得る。いくつかの実施形態において、ユーザが検出領域内にいる場合に、ユーザに関連付けられた設定が、提供されたメディアコンテンツと比較される。コンテンツは、設定がメディアコンテンツとコンフリクトする場合に変化し得る。メディアデバイスの範囲内の複数のユーザにリマインダが提供されるか、またはその複数のユーザに方向付けられる。【選択図】なし【特許請求の範囲】
【請求項１】
メディアデバイスの検出範囲内のユーザのための広告を表示のために生成する方法であって、前記方法は、
前記メディアデバイスの前記検出範囲内の第１の検出領域内の第１のモバイルデバイスを検出することであって、前記第１の検出領域および前記第１のモバイルデバイスは、第１のユーザに関連付けられている、ことと、
前記メディアデバイスの前記検出範囲内の第２の検出領域内の第２のモバイルデバイスを検出することであって、前記第２の検出領域および前記第２のモバイルデバイスは、第２のユーザに関連付けられている、ことと、
前記第１のユーザおよび前記第２のユーザを前記メディアデバイスにログインさせることと、
前記第１のユーザおよび前記第２のユーザを前記ログインさせたことに応答して、前記メディアデバイスによって、前記第１のユーザに関連付けられた第１のプロファイルおよび前記第２のユーザに関連付けられた第２のプロファイルの両方に基づいて前記メディアデバイスによって提供される第１のメディアコンテンツを自動的に表示することと、
前記メディアデバイスを使用して、前記第１のメディアコンテンツとは異なる第２のメディアコンテンツのための前記第１のユーザおよび前記第２のユーザに関連付けられた広告を表示のために生成することと
を含む、方法。
【請求項２】
前記第２のメディアコンテンツのプロパティを、前記第１のユーザおよび前記第２のユーザに関連付けられた選好と比較することと、
前記第１のユーザが前記第２のメディアコンテンツを楽しむ第１の確率を決定することと、
前記第２のユーザが前記第２のメディアコンテンツを楽しむ第２の確率を決定することと
をさらに含む、請求項１に記載の方法。
【請求項３】
前記第１の確率および前記第２の確率を決定したことに応答して、前記メディアデバイスを使用して、前記第１のユーザおよび前記第２のユーザのうちの少なくとも１人が前記第２のメディアコンテンツを楽しまないことの標示を表示のために生成することをさらに含む、請求項２に記載の方法。
【請求項４】
前記第１の確率および前記第２の確率を決定したことに応答して、前記メディアデバイスを使用して、前記第１のユーザおよび前記第２のユーザのうちの少なくとも１人が前記第２のメディアコンテンツを楽しむことの標示を表示のために生成することをさらに含む、請求項２に記載の方法。
【請求項５】
前記広告を表示のために生成することは、
前記第２のメディアコンテンツのプロパティを、前記第１のユーザおよび前記第２のユーザに関連付けられた選好と比較することと、
前記第２のメディアコンテンツの前記プロパティが前記第１のユーザおよび前記第２のユーザに関連付けられた前記選好とコンフリクトしないことを決定したことに応答して、前記広告を表示のために生成することと
をさらに含む、請求項１に記載の方法。
【請求項６】
前記メディアデバイスを使用して、前記第１のユーザおよび前記第２のユーザのうちの少なくとも１人に関連付けられた異なるメディアデバイス上の前記第２のメディアコンテンツにアクセスするオプションを表示のために生成することをさらに含み、前記異なるメディアデバイスは、前記第１のモバイルデバイスまたは前記第２のモバイルデバイスであり得る、請求項１に記載の方法。
【請求項７】
前記広告を表示のために生成することは、前記第１のユーザおよび前記第２のユーザがグループに関連付けられていることを決定したことに応答して前記広告を表示のために生成することをさらに含む、請求項１に記載の方法。
【請求項８】
前記広告を表示のために生成することは、前記第１のユーザが前記メディアデバイスを所有していることを決定したことに応答して前記広告を表示のために生成することをさらに含む、請求項１に記載の方法。
【請求項９】
前記第１のモバイルデバイスを検出することは、前記第１のモバイルデバイスに関連付けられたＲＦＩＤタグを検出すること、前記第１のモバイルデバイスに関連付けられたメディアコントロールアクセスアドレスを検出すること、または、前記第１のモバイルデバイスに関連付けられたＢｌｕｅｔｏｏｔｈ（登録商標）通信を検出することをさらに含む、請求項１に記載の方法。
【請求項１０】
メディアデバイスの検出範囲内のユーザのための広告を表示のために生成するシステムであって、前記システムは、メディアデバイスを備え、前記メディアデバイスは、
前記メディアデバイスの前記検出範囲内の第１の検出領域内の第１のモバイルデバイスを検出することであって、前記第１の検出領域および前記第１のモバイルデバイスは、第１のユーザに関連付けられている、ことと、
前記メディアデバイスの前記検出範囲内の第２の検出領域内の第２のモバイルデバイスを検出することであって、前記第２の検出領域および前記第２のモバイルデバイスは、第２のユーザに関連付けられている、ことと、
前記第１のユーザおよび前記第２のユーザを前記メディアデバイスにログインさせることと、
前記第１のユーザおよび前記第２のユーザが前記メディアデバイスに前記ログインしたことに応答して、前記第１のユーザに関連付けられた第１のプロファイルおよび前記第２のユーザに関連付けられた第２のプロファイルの両方に基づいて前記メディアデバイスによって提供される第１のメディアコンテンツを自動的に表示することと、
前記第１のメディアコンテンツとは異なる第２のメディアコンテンツのための広告を表示のために生成することであって、前記広告は、前記第１のユーザおよび前記第２のユーザに関連付けられている、ことと
を実行するように構成される、システム。
【請求項１１】
前記メディアデバイスは、
前記第２のメディアコンテンツのプロパティを、前記第１のユーザおよび前記第２のユーザに関連付けられた選好と比較することと、
前記第１のユーザが前記第２のメディアコンテンツを楽しむ第１の確率を決定することと、
前記第２のユーザが前記第２のメディアコンテンツを楽しむ第２の確率を決定することと
を実行するようにさらに構成されている、請求項１０に記載のシステム。
【請求項１２】
前記メディアデバイスは、
前記第１の確率および前記第２の確率を決定したことに応答して、前記第１のユーザおよび前記第２のユーザのうちの少なくとも１人が前記第２のメディアコンテンツを楽しまないことの標示を表示のために生成するようにさらに構成されている、請求項１１に記載のシステム。
【請求項１３】
前記メディアデバイスは、
前記第１の確率および前記第２の確率を決定したことに応答して、前記第１のユーザおよび前記第２のユーザのうちの少なくとも１人が前記第２のメディアコンテンツを楽しむことの標示を表示のために生成するようにさらに構成されている、請求項１１に記載のシステム。
【請求項１４】
前記広告を表示のために生成するように構成された前記メディアデバイスは、
前記第２のメディアコンテンツのプロパティを、前記第１のユーザおよび前記第２のユーザに関連付けられた選好と比較することと、
前記第２のメディアコンテンツの前記プロパティが前記第１のユーザおよび前記第２のユーザに関連付けられた前記選好とコンフリクトしないことを決定したことに応答して、前記広告を表示のために生成することと
を実行するようにさらに構成されている、請求項１０に記載のシステム。
【請求項１５】
前記メディアデバイスは、
前記第１のユーザおよび前記第２のユーザのうちの少なくとも１人に関連付けられた異なるメディアデバイス上の前記第２のメディアコンテンツにアクセスするオプションを表示のために生成するようにさらに構成されており、
前記異なるメディアデバイスは、前記第１のモバイルデバイスまたは前記第２のモバイルデバイスであり得る、請求項１０に記載のシステム。
【請求項１６】
前記広告を表示のために生成するように構成された前記メディアデバイスは、
前記第１のユーザおよび前記第２のユーザがグループに関連付けられていることを決定したことに応答して前記広告を表示のために生成するようにさらに構成されている、請求項１０に記載のシステム。
【請求項１７】
前記広告を表示のために生成するように構成された前記メディアデバイスは、
前記第１のユーザが前記メディアデバイスを所有していることを決定したことに応答して前記広告を表示のために生成するようにさらに構成されている、請求項１０に記載のシステム。
【請求項１８】
前記第１のモバイルデバイスを検出するように構成された前記メディアデバイスは、
前記第１のモバイルデバイスに関連付けられたＲＦＩＤタグを検出すること、前記第１のモバイルデバイスに関連付けられたメディアコントロールアクセスアドレスを検出すること、または、前記第１のモバイルデバイスに関連付けられたＢｌｕｅｔｏｏｔｈ（登録商標）通信を検出することを実行するようにさらに構成されている、請求項１０に記載のシステム。
【発明の詳細な説明】
【技術分野】
【０００１】
（発明の背景）
本出願は、双方向メディアガイダンスアプリケーションに関し、より具体的には、メディアデバイスの近くのユーザの自動検出および識別に関する。
【背景技術】
【０００２】
従来のシステムでは、ユーザは手動でメディアデバイスにログインすることができ、ユーザのプロファイルにアクセスできることができる。しかしながら、多くの場合、ユーザは、メディアデバイスに積極的にログインすることの不自由さによってログインすることができない場合がある。さらに、従来のシステムは、概して、所与の時間に１人のユーザをデバイスにログインさせるだけである。複数ユーザがメディアデバイス上のコンテンツにアクセスしている場合、コンテンツは、せいぜい１人のユーザ、例えば、そのデバイスに積極的にログインした１人のユーザに対し調整され得る。したがって、従来のシステムは、多くの状況において、ユーザに対するコンテンツの標的化および調整に非効果的である。
【発明の概要】
【課題を解決するための手段】
【０００３】
前述の内容を考慮して、ユーザがメディアデバイスによって自動的に検出および識別されるようにするためのシステムおよび方法を提供することが望ましい。特に、ユーザがデバイスによって識別された場合に、デバイスがより効果的にそのユーザに対するコンテンツを調整できるように、ユーザをメディアデバイスに自動的にログインさせるシステムを提供することが望ましい。また、ユーザがデバイスに積極的にログインすることなく、および／またはデバイス上でアクセスするコンテンツを選択する必要なく、ユーザが１つのデバイスから別のデバイスに移動し、デバイスのそれぞれにおいてコンテンツへのシームレスなアクセスを継続することができるようにすることが望ましい場合がある。コンテンツのシームレスなアクセスによって、ユーザは、複数のデバイスおよび／もしくは時間にわたり、実質的に自動的に（例えば、ユーザ側において手動入力および／またはアクションがほとんど必要とされない）、および／または実質的に断絶することなく、コンテンツへのアクセスを継続することができる。また、メディアデバイスを同時に利用している全てのユーザに対しコンテンツをより効果的に調整することができるように、メディアデバイスにおいて複数のユーザを自動的に検出および識別することが望ましい場合がある。
【０００４】
検出メカニズムを有するメディアデバイスが提供され得る。検出メカニズムは、メディアデバイスに対する範囲内の第１のユーザを検出するように動作可能である。範囲内にある検出領域が画定され得る。第１のユーザが検出領域内にいるか否かが決定され得る。検出領域内の第１のユーザの検出後、メディアデバイスが起動され得る。第１のユーザが検出領域内にいる場合、第１のユーザに関連付けられた第１の設定が適用され得る。第１のユーザに関連付けられた第１の設定に基づくコンテンツが提供され得る。第１のユーザが検出領域外にいるが、まだ範囲内にいる場合、第１の設定の適用が停止され得る。
【０００５】
第２のユーザが検出領域内にいることが決定され得る。第２のユーザに関連付けられた第２の設定が、メディアデバイスに適用され得る。いくつかの実施形態において、第１のユーザおよび第２のユーザに関連付けられた設定が組み合わされて、第３の設定が作成され得る。第３の設定に基づいてメディアコンテンツが提供され得る。メディアコンテンツは、例えば、第３の設定を使用して第１および第２のユーザの組み合わせに標的化される広告である。
【０００６】
いくつかの実施形態において、第１のユーザがもはや検出領域内にいないことが決定され得る。第１の検出可能範囲内の検出領域内に残っているユーザに関連付けられた設定のみに基づくように、第３の設定が修正され得る。修正された第３の設定に基づいて、別のメディアコンテンツが提供され得る。
【０００７】
いくつかの実施形態において、第１のユーザがメディアデバイスの検出領域内に戻ったことが決定され得る。メディアコンテンツは、第１のユーザがメディアデバイスを退去する前に提供されていた元のメディアコンテンツに再び変更され得、第１のユーザがもはや検出領域内にいないことが決定された、元のメディアコンテンツ内のポイントから提供され得る。
【０００８】
いくつかの実施形態において、第１のユーザが元のメディアデバイスの検出領域を退去した後に別のメディアデバイスに移動したことが決定され得る。例えば、第１のユーザは、第２の検出領域内にいることが決定され得、第２の検出領域は、第２のメディアデバイスに対する範囲内にある。元のメディアデバイスに提供されていたメディアコンテンツは、新たなメディアデバイス上で継続され得る。いくつかの実施形態において、第１のユーザの活動は、再び元のメディアデバイスに伝達され得る。
【０００９】
いくつかの実施形態において、複数のデバイスに関連付けられた検出領域の境界が構成され得る。例えば、２つのデバイスが、重複する検出可能範囲に関連付けられてもよい。範囲の重複は、メディアデバイスによって決定され得る。各デバイスに関連付けられた検出領域は、領域の境界が他のデバイスの検出可能範囲に侵入することなく各デバイスの検出可能範囲内に残るように設定され得る。
【００１０】
いくつかの実施形態において、メディアコンテンツのプロパティがユーザに関連付けられた設定とコンフリクトする場合、メディアデバイスに提供されるメディアコンテンツが変更され得る。メディアデバイスは、メディアデバイスに対する範囲内のユーザを検出するように動作可能である検出メカニズムを備えてもよい。メディアデバイスに関連付けられた検出領域が設定され得る。第１のメディアコンテンツは、第１の検出領域内にいる第１のユーザに提供され得る。メディアデバイスに対する範囲内の第２のユーザが検出され得る。第２のユーザに関連付けられた第２の設定が、第１のメディアコンテンツのプロパティと比較され得る。第２の設定が第１のメディアコンテンツのプロパティとコンフリクトする場合、第１のメディアコンテンツが変更され得る。それ以外では、第２のユーザは、第２のユーザが第１の検出領域内にいる場合、メディアデバイスのアクティブユーザの一覧に追加され得る。
【００１１】
いくつかの実施形態において、メディアデバイスの範囲内のユーザの１人以上にリマインダが提供され得る。例えば、メディアデバイスは、メディアデバイスに関連付けられた検出領域内の複数のユーザを検出し得る。複数のユーザは、メディアデバイスにログインされ、検出領域内に検出された場合アクティブユーザとみなされる。第１のメディアコンテンツがアクティブユーザに提供され得る。アクティブユーザに第２のメディアコンテンツに関してリマインドするように、複数のユーザの第１および第２のユーザに関連付けられたリマインダが提供され得る。リマインダは、複数のユーザの一部または全てが、おそらくリマインドされたコンテンツを好むかまたは好まないかを示す標示を備えてもよい。本願明細書は、例えば、以下の項目も提供する。
（項目１）
メディアデバイスの検出可能範囲内のユーザを検出する方法であって、該方法は、
検出メカニズムを有する該メディアデバイスを提供することであって、該検出メカニズムは、該メディアデバイスに関する第１の検出可能範囲内のユーザを検出するように動作可能である、ことと、
第１のユーザに関連付けられた第１の検出領域を画定することであって、該第１の検出領域は、該第１の検出可能範囲内にあり、該第１の検出領域は、該第１の検出可能範囲よりも小さい、ことと、
該第１の検出領域のパラメータを格納することと、
該第１のユーザが該第１の検出可能範囲および該第１の検出領域内にいるか否かを決定することと、
該第１のユーザが該第１の検出領域内にいることを決定した後に、該メディアデバイスを起動することと、
該第１のユーザが該第１の検出領域内にいる場合、該第１のユーザに関連付けられた第１の設定を該メディアデバイスに適用することと、
第１の設定に基づいて第１のメディアコンテンツを提供することと、
該第１のユーザが該第１の検出領域外および該第１の検出可能範囲内にいる場合、該メディアデバイスへの該第１の設定の適用を停止することと
を含む、方法。
（項目２）
前記第１のユーザが前記第１の検出領域外にいる場合、前記第１のメディアコンテンツの提供を停止することをさらに含む、項目１に記載の方法。
（項目３）
前記第１の検出可能範囲内の第２のユーザを検出することと、
該第２のユーザが前記第１の検出領域内にいないことを決定することと、
前記メディアデバイスに提供された前記第１のメディアコンテンツを維持することと
をさらに含む、項目１に記載の方法。
（項目４）
第２のユーザが前記第１の検出領域内にいることを決定することと、
該第２のユーザが前記メディアデバイスへアクセスするための十分なアクセスレベルに関連付けられているか否かを決定することと、
該第２のユーザが該メディアデバイスへアクセスするための該十分なアクセスレベルに関連付けられている場合に、該第２のユーザに関連付けられた第２の設定を該メディアデバイスに適用することと、
該第２のユーザが該メディアデバイスへの該十分なアクセスレベルに関連付けられていない場合に、該メディアデバイスへのアクセスを制限することと
をさらに含む、項目１に記載の方法。
（項目５）
前記第１の検出領域内の第２のユーザを検出することと、
該第２のユーザが該第１の検出領域内にいる場合に、該第２のユーザに関連付けられた第２の設定を前記メディアデバイスに適用することと
をさらに含む、項目１に記載の方法。
（項目６）
以前に前記第２のユーザによってアクセスされた第２のメディアコンテンツを再開するための部分を提供することをさらに含む、項目５に記載の方法。
（項目７）
前記第１のユーザと前記第２のユーザとが同時に前記第１の検出領域内にいる場合に、前記第１の設定および前記第２の設定に基づいて、第３の設定を作成することと、
該第３の設定に基づいて第２のメディアコンテンツを提供することと
をさらに含む、項目５に記載の方法。
（項目８）
前記提供されたメディアコンテンツは、前記第３の設定に基づいて標的化される標的化広告である、項目７に記載の方法。
（項目９）
前記第１のユーザがもはや前記第１の検出領域内にいないことを決定することと、
前記第３の設定が該第１の検出可能範囲内の検出領域内に残るユーザに関連付けられた設定のみに基づくように、該第３の設定を修正することと
をさらに含む、項目７に記載の方法。
（項目１０）
前記修正された第３の設定に基づいて、第３のメディアコンテンツを提供することをさらに含む、項目９に記載の方法。
（項目１１）
前記第３のメディアコンテンツのプロパティは、前記第１のユーザに関連付けられた前記第１の設定とコンフリクトする、項目１０に記載の方法。
（項目１２）
前記第１のユーザが前記メディアデバイスの前記第１の検出領域内に戻ったことを決定することと、
該第１のユーザが戻ったことの決定に応じて、前記第３のメディアコンテンツを再び前記第２のメディアコンテンツに変更することと、
実質的に該第１のユーザがもはや該第１の検出領域内にいないことが決定された、該第２のメディアコンテンツ内のポイントから、該第２のメディアコンテンツを再開することと
をさらに含む、項目１０に記載の方法。
（項目１３）
前記第１のユーザがもはや前記第１の検出領域内にいないことの検出に応じて、前記第２のメディアコンテンツを休止することをさらに含む、項目９に記載の方法。
（項目１４）
前記第１のユーザが前記メディアデバイスの前記第１の検出領域内に戻ったことを決定することと、
該第１のユーザが戻ったことの決定に応じて、前記第２のメディアコンテンツの休止を解除することと
をさらに含む、項目１３に記載の方法。
（項目１５）
前記第１のユーザが前記メディアデバイスの前記第１の検出領域内に戻ったことを決定することと、
前記第２のメディアコンテンツを、実質的に該第１のユーザがもはや該第１の検出領域内にいないことが決定された、該第２のメディアコンテンツ内のポイントに巻き戻すことと
をさらに含む、項目９に記載の方法。
（項目１６）
前記メディアデバイスが第１のメディアデバイスである、項目９に記載の方法であって、該方法は、
前記第１のユーザが第２の検出領域内にいることを決定することであって、該第２の検出領域は、第２のメディアデバイスに関する第２の検出可能範囲内にある、ことと、
実質的に該第１のユーザがもはや前記第１の検出領域内にいないことが決定された、前記第２のメディアコンテンツ内のポイントから、該第２のメディアデバイスに該第２のメディアコンテンツを提供することと
をさらに含む、方法。
（項目１７）
前記第１のメディアデバイスに、前記第１のユーザが前記第２の検出領域内にいることを伝達することをさらに含む、項目１６に記載の方法。
（項目１８）
以前に前記第１の検出可能範囲内の検出領域内にいた全てのユーザが、もはや該第１の検出可能範囲内の該検出領域内にいないことを決定することと、
所定期間後に前記メディアデバイスを停止することと
をさらに含む、項目７に記載の方法。
（項目１９）
前記第１のユーザが前記第１の検出可能範囲および前記第１の検出領域内にいるか否かを決定することは、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目１に記載の方法。
（項目２０）
前記第１の検出領域は、承認ユーザによって手動で構成される、項目１に記載の方法。
（項目２１）
前記第１の検出可能範囲が異なるメディアデバイスに関する第２の検出可能範囲と重複するか否かを決定すること、および
境界が前記第２の検出可能範囲内にないように、前記第１の検出可能範囲内の前記第１の検出領域の境界を設定すること
によって、前記第１の検出領域の境界を構成することをさらに含む、項目１に記載の方法。
（項目２２）
第２のユーザに関連付けられた第２の検出領域を記憶することであって、前記第２の検出領域は、前記第１の検出可能範囲内にある、ことと、
前記第２のユーザが前記第１の検出可能範囲および前記第２の検出領域の両方の内部にあるか否かを決定することと、
前記第２のユーザが前記第２の検出領域内にある場合、前記第２のユーザに関連付けられた第２の設定を、前記メディアデバイスに適用することと
を含む、項目１に記載の方法。
（項目２３）
前記第１の検出領域は、前記第２の検出領域とは異なる、項目２２に記載の方法。
（項目２４）
メディアデバイスの検出可能範囲内のユーザを検出するシステムであって、該システムは、該メディアデバイスを備え、該メディアデバイスは、
検出回路であって、該検出回路は、
該メディアデバイスに関する第１の検出可能範囲内のユーザを検出することと、
第１のユーザに関連付けられた第１の検出領域を画定することであって、該第１の検出領域は、該第１の検出可能範囲内にあり、該第１の検出領域は、該第１の検出可能範囲よりも小さい、ことと、
該第１のユーザが該第１の検出可能範囲および該第１の検出領域内にいるか否かを決定することと
を行うように構成される、検出回路と、
該第１の検出領域のパラメータを記憶するように構成される記憶回路と、
処理回路であって、
該第１のユーザが該第１の検出領域内にいることを決定した後に、該メディアデバイスを起動することと、
該第１のユーザが該第１の検出領域内にいる場合に、該第１のユーザに関連付けられた第１の設定を該メディアデバイスに適用することと、
該第１の設定に基づいて第１のメディアコンテンツを提供することと、
該第１のユーザが該第１の検出領域外および該第１の検出可能範囲内にいる場合に、該メディアデバイスへの該第１の設定の適用を停止することと
を行うように構成される、処理回路と
を備える、システム。
（項目２５）
前記処理回路は、前記第１のユーザが第１の検出領域外にいる場合に、前記第１のメディアコンテンツの提供を停止するようにさらに構成される、項目２４に記載のシステム。
（項目２６）
前記検出回路は、
前記第１の検出可能範囲内の第２のユーザを検出することと、
該第２のユーザが前記第１の検出領域内にいないことを決定することと
を行うようにさらに構成され、
前記処理回路は、
前記メディアデバイスに提供される前記第１のメディアコンテンツを維持すること
を行うようにさらに構成される、項目２４に記載のシステム。
（項目２７）
前記検出回路は、
第２のユーザが前記第１の検出領域内にいることを決定すること
を行うようにさらに構成され、
前記処理回路は、
該第２のユーザが前記メディアデバイスへアクセスするための十分なアクセスレベルに関連付けられているか否かを決定することと、
該第２のユーザが該メディアデバイスへアクセスするための該十分なアクセスレベルデバイスに適用することと、
該第２のユーザが該メディアデバイスへアクセスするための該十分なアクセスレベルに関連付けられていない場合に、該メディアデバイスへのアクセスを制限することと
を行うようにさらに構成される、項目２４に記載のシステム。
（項目２８）
前記検出回路は、
前記第１の検出領域内の第２のユーザを検出すること
を行うようにさらに構成され、
前記処理回路は、
前記第２のユーザが該第１の検出領域内にいる場合に、該第２のユーザに関連付けられた第２の設定を前記メディアデバイスに適用すること
を行うようにさらに構成される、項目２４に記載のシステム。
（項目２９）
前記処理回路は、
以前に前記第２のユーザによってアクセスされた第２のメディアコンテンツを再開するオプションを提供すること
を行うようにさらに構成される、項目２８に記載のシステム。
（項目３０）
前記処理回路は、
前記第１のユーザと前記第２のユーザとが同時に前記第１の検出領域内にいる場合に、前記第１の設定および前記第２の設定に基づいて第３の設定を作成することと、
前記第３の設定に基づいて第２のメディアコンテンツを提供することと
を行うようにさらに構成される、項目２８に記載のシステム。
（項目３１）
前記提供された第２のメディアコンテンツは、前記第３の設定に基づいて標的化される標的化広告である、項目３０に記載のシステム。
（項目３２）
前記検出回路は、
前記第１のユーザがもはや前記第１の検出領域内にいないことを決定すること
を行うようにさらに構成され、
前記処理回路は、
前記第３の設定が前記第１の検出可能範囲内の検出領域内に残るユーザに関連付けられた設定のみに基づくように、該第３の設定を修正すること
を行うようにさらに構成される、項目３０に記載のシステム。
（項目３３）
前記処理回路は、
前記修正された第３の設定に基づいて、第３のメディアコンテンツを提供すること
を行うようにさらに構成される、項目３２に記載のシステム。
（項目３４）
前記第３のメディアコンテンツのプロパティは、前記第１のユーザに関連付けられた前記第１の設定とコンフリクトする、項目３３に記載のシステム。
（項目３５）
前記検出回路は、
前記第１のユーザが前記メディアデバイスの前記第１の検出領域内に戻ったことを決定すること
を行うようにさらに構成され、
前記処理回路は、
該第１のユーザが戻ったことの決定に応じて、前記第３のメディアコンテンツを再び前記第２のメディアコンテンツに変更することと、
実質的に該第１のユーザがもはや該第１の検出領域内にいないことが決定された、該第２のメディアコンテンツ内のポイントから、該第２のメディアコンテンツを再開すること
を行うようにさらに構成される、項目３３に記載のシステム。
（項目３６）
前記処理回路は、
前記第１のユーザがもはや前記第１の検出領域内にいないことの検出に応じて、前記第２のメディアコンテンツを休止すること
を行うようにさらに構成される、項目３２に記載のシステム。
（項目３７）
前記検出回路は、
前記第１のユーザが前記メディアデバイスの前記第１の検出領域内に戻ったことを決定すること
を行うようにさらに構成され、
前記処理回路は、
該第１のユーザが戻ったことの決定に応じて、前記第２のメディアコンテンツの休止を解除すること
を行うようにさらに構成される、項目３６に記載のシステム。
（項目３８）
前記検出回路は、
前記第１のユーザが前記メディアデバイスの前記第１の検出領域内に戻ったことを決定すること
を行うようにさらに構成され、
前記処理回路は、
前記第２のメディアコンテンツを、実質的に該第１のユーザがもはや該第１の検出領域内にいないことが決定された、該第２のメディアコンテンツ内のポイントに巻き戻すこと
を行うようにさらに構成される、項目３２に記載のシステム。
（項目３９）
前記メディアデバイスは第１のメディアデバイスであり、前記システムは、第２のメディアデバイスを備え、該第２のメディアデバイスは、
検出回路であって、
前記第１のユーザが第２の検出領域内にいることを決定することを行うように構成され、該第２の検出領域は、第２のメディアデバイスに関する第２の検出可能範囲内にある検出回路と、
処理回路であって、
実質的に該第１のユーザがもはや前記第１の検出領域内にいないことが決定された、該第２のメディアコンテンツ内のポイントから、該第２のメディアデバイスに該第２のメディアコンテンツを提供するように構成される処理回路と、
を備える、項目３２に記載のシステム。
（項目４０）
前記第２のメディアデバイスの前記処理回路は、
前記第１のメディアデバイスに、前記第１のユーザが前記第２の検出領域内にいることを伝達すること
を行うようにさらに構成される、項目３９に記載のシステム。
（項目４１）
前記第１のメディアデバイスの前記検出回路は、
以前に前記第１の検出可能範囲内の検出領域内にいた全てのユーザが、もはや該第１の検出可能範囲内の該検出領域内にいないことを決定すること
を行うようにさらに構成され、
該第１のメディアデバイスの前記処理回路は、
所定期間後に前記メディアデバイスを停止すること
を行うようにさらに構成される、項目３０に記載のシステム。
（項目４２）
前記第１のユーザが前記第１の検出可能範囲および前記第１の検出領域内にいるか否かを決定することは、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目２４に記載のシステム。
（項目４３）
前記第１の検出領域は、承認ユーザによって手動で構成される、項目２４に記載のシステム。
（項目４４）
前記検出回路は、
前記第１の検出可能範囲が異なるメディアデバイスに関する第２の検出可能範囲と重複するか否かを決定することと、
境界が前記第２の検出可能範囲内にないように、該第１の検出可能範囲内の前記第１の検出領域の境界を設定することと
によって、該第１の検出領域の境界を構成すること
を行うようにさらに構成される、項目２４に記載のシステム。
（項目４５）
前記記憶回路は、
第２のユーザに関連付けられた第２の検出領域を記憶すること
を行うようにさらに構成され、該第２の検出領域は、前記第１の検出可能範囲内にあり、
前記検出回路は、
該第２のユーザが該第１の検出可能範囲および該第２の検出領域の両方の内部にあるか否かを決定すること
を行うようにさらに構成され、
前記処理回路は、
該第２のユーザが該第２の検出領域内にある場合に、該第２のユーザに関連付けられた第２の設定を、前記メディアデバイスに適用すること
を行うように構成される、項目２４に記載のシステム。
（項目４６）
前記第１の検出領域は、前記第２の検出領域とは異なる、項目４５に記載のシステム。
（項目４７）
メディアデバイスの検出可能範囲内のユーザを検出する装置であって、
検出メカニズムを有する該メディアデバイスを提供する手段であって、該検出メカニズムは、該メディアデバイスに関する第１の検出可能範囲内のユーザを検出するように動作可能である、手段と、
第１のユーザに関連付けられた第１の検出領域を画定する手段であって、該第１の検出領域は、該第１の検出可能範囲内にあり、該第１の検出領域は、該第１の検出可能範囲よりも小さい、手段と、
該第１の検出領域のパラメータを格納する手段と、
該第１のユーザが該第１の検出可能範囲および該第１の検出領域内にいるか否かを決定する手段と、
該第１のユーザが該第１の検出領域内にいることを決定した後に、該メディアデバイスを起動する手段と、
該第１のユーザが該第１の検出領域内にいる場合に、該第１のユーザに関連付けられた第１の設定を、該メディアデバイスに適用する手段と、
該第１の設定に基づいて、第１のメディアコンテンツを提供する手段と、
該第１のユーザが該第１の検出領域外および該第１の検出可能範囲内にいる場合に、該メディアデバイスへの該第１の設定の適用を停止する手段と
を備える、装置。
（項目４８）
前記第１のユーザが前記第１の検出領域外にいる場合、前記第１のメディアコンテンツの提供を停止する手段をさらに備える、項目４７に記載の装置。
（項目４９）
前記第１の検出可能範囲内の第２のユーザを検出する手段と、
該第２のユーザが前記第１の検出領域内にいないことを決定する手段と、
前記メディアデバイスに提供される前記第１のメディアコンテンツを維持する手段と
をさらに備える、項目４７に記載の装置。
（項目５０）
第２のユーザが前記第１の検出領域内にいることを決定する手段と、
該第２のユーザが前記メディアデバイスへアクセスするための十分なアクセスレベルに関連付けられているか否かを決定する手段と、
該第２のユーザが該メディアデバイスへアクセスするための該十分なアクセスレベルに関連付けられている場合に、該第２のユーザに関連付けられた第２の設定を該メディアデバイスに適用する手段と、
該第２のユーザが該メディアデバイスへアクセスするための該十分なアクセスレベルに関連付けられていない場合に、該メディアデバイスへのアクセスを制限する手段と
をさらに備える、項目４７に記載の装置。
（項目５１）
前記第１の検出領域内の第２のユーザを検出する手段と、
前記第２のユーザが該第１の検出領域内にいる場合に、該第２のユーザに関連付けられた第２の設定を前記メディアデバイスに適用する手段と
をさらに備える、項目４７に記載の装置。
（項目５２）
以前に前記第２のユーザによってアクセスされた第２のメディアコンテンツを再開するオプションを提供する手段をさらに備える、項目５１に記載の装置。
（項目５３）
前記第１のユーザと前記第２のユーザとが同時に前記第１の検出領域内にいる場合に、前記第１の設定および前記第２の設定に基づいて第３の設定を作成する手段と、
該第３の設定に基づいて第２のメディアコンテンツを提供する手段と
をさらに備える、項目５１に記載の装置。
（項目５４）
前記提供された第２のメディアコンテンツは、前記第３の設定に基づいて標的化される標的化広告である、項目５３に記載の装置。
（項目５５）
前記第１のユーザがもはや前記第１の検出領域内にいないことを決定する手段と、
前記第３の設定が、該第１の検出可能範囲内の検出領域内に残るユーザに関連付けられた設定のみに基づくように、該第３の設定を修正する手段と
をさらに備える、項目５３に記載の装置。
（項目５６）
前記修正された第３の設定に基づいて、第３のメディアコンテンツを提供する手段をさらに備える、項目５５に記載の装置。
（項目５７）
前記第３のメディアコンテンツのプロパティは、前記第１のユーザに関連付けられた前記第１の設定とコンフリクトする、項目５６に記載の装置。
（項目５８）
前記第１のユーザが前記メディアデバイスの前記第１の検出領域内に戻ったことを決定する手段と、
該第１のユーザが戻ったことの決定に応じて、前記第３のメディアコンテンツを再び前記第２のメディアコンテンツに変更する手段と、
実質的に該第１のユーザがもはや該第１の検出領域内にいないことが決定された、前記第２のメディアコンテンツ内のポイントから、該第２のメディアコンテンツを再開する手段と
をさらに備える、項目５６に記載の装置。
（項目５９）
前記第１のユーザがもはや前記第１の検出領域内にいないことの検出に応じて、前記第２のメディアコンテンツを休止する手段をさらに備える、項目５５に記載の装置。
（項目６０）
前記第１のユーザが前記メディアデバイスの前記第１の検出領域内に戻ったことを決定する手段と、
該第１のユーザが戻ったことの決定に応じて、前記第２のメディアコンテンツの休止を解除する手段と
をさらに備える、項目５９に記載の装置。
（項目６１）
前記第１のユーザが前記メディアデバイスの前記第１の検出領域内に戻ったことを決定する手段と、
前記第２のメディアコンテンツを、実質的に該第１のユーザがもはや該第１の検出領域内にいないことが決定された、該第２のメディアコンテンツ内のポイントに巻き戻す手段と
をさらに備える、項目５５に記載の装置。
（項目６２）
前記メディアデバイスは、第１のメディアデバイスであり、前記装置は、
第１のユーザが第２の検出領域内にいることを決定する手段であって、該第２の検出領域は、第２のメディアデバイスに対して第２の検出可能範囲内にある、手段と、
実質的に該第１のユーザがもはや前記第１の検出領域内にいないことが決定された、該第２のメディアコンテンツ内のポイントから、該第２のメディアデバイスに該第２のメディアコンテンツを提供する手段と
をさらに備える、項目５５に記載の装置。
（項目６３）
前記第１のメディアデバイスに、前記第１のユーザが前記第２の検出領域内にいることを伝達する手段をさらに含む、項目６２に記載の装置。
（項目６４）
以前に前記第１の検出可能範囲内の検出領域内にいた全てのユーザが、もはや該第１の検出可能範囲内の該検出領域内にいないことを決定する手段と、
所定期間後に前記メディアデバイスを停止する手段と
をさらに備える、項目５３に記載の装置。
（項目６５）
前記第１のユーザが前記第１の検出可能範囲および前記第１の検出領域内にいるか否かを決定する手段は、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目４７に記載の装置。
（項目６６）
前記第１の検出領域は、承認ユーザによって手動で構成される、項目４７に記載の装置。
（項目６７）
前記第１の検出可能範囲が異なるメディアデバイスに関する第２の検出可能範囲と重複するか否かを決定することと、
境界が該第２の検出可能範囲内にないように、該第１の検出可能範囲内の前記第１の検出領域の境界を設定することと
によって、該第１の検出領域の境界を構成する手段をさらに含む、項目４７に記載の装置。
（項目６８）
第２のユーザに関連付けられた第２の検出領域を記憶する手段であって、前記第２の検出領域は前記第１の検出可能範囲内にある、手段と、
該第２のユーザが該第１の検出可能範囲および該第２の検出領域の両方の内部にあるか否かを決定する手段と、
該第２のユーザが該第２の検出領域内にある場合に、該第２のユーザに関連付けられた第２の設定を前記メディアデバイスに適用する手段と
をさらに備える、項目４７に記載の装置。
（項目６９）
前記第１の検出領域は、前記第２の検出領域とは異なる、項目６８に記載の装置。
（項目７０）
メディアコンテンツのプロパティが、ユーザに関連付けられた設定とコンフリクトする場合に、メディアデバイスに提供される該メディアコンテンツを自動的に変更する方法であって、
検出メカニズムを有する該メディアデバイスを提供することであって、該検出メカニズムは、該メディアデバイスに関する第１の検出可能範囲内のユーザを検出するように動作可能である、ことと、
該メディアデバイスに関連付けられた第１の検出領域を設定することであって、該第１の検出領域は該第１の検出可能範囲内にある、ことと、
該第１の検出領域内の第１のユーザを検出することと、
該第１のユーザが該第１の検出領域内にいる場合に、該第１のユーザに第１のメディアコンテンツを提供することであって、該第１のメディアコンテンツのプロパティは、該第１のユーザに関連付けられた第１の設定とコンフリクトしない、ことと、
該第１の検出可能範囲内の第２のユーザを検出することと、
該第２のユーザが該第１の検出可能範囲内にいる場合に、該第２のユーザに関連付けられた第２の設定を該第１のメディアコンテンツの該プロパティと比較することと、
該第２の設定が該第１のメディアコンテンツの該プロパティとコンフリクトする場合に、該第１のメディアコンテンツを変更することと、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加することと
を含む、方法。
（項目７１）
前記第１の検出可能範囲から出た前記第２のユーザを検出することと、
実質的に前記第１のメディアコンテンツが変更された、前記第１のメディアコンテンツ内のポイントから、該第１のメディアコンテンツの提供を再開することと
をさらに含む、項目７０に記載の方法。
（項目７２）
前記第１のメディアコンテンツを変更することは、
前記第１の設定および前記第２の設定とコンフリクトしない第２のメディアコンテンツを検索することと、
該第１のメディアコンテンツの代わりに該第２のメディアコンテンツを提供することと
を含む、項目７０に記載の方法。
（項目７３）
前記第１のメディアコンテンツが変更されるときに、該第１のメディアコンテンツを記録することをさらに含む、項目７０に記載の方法。
（項目７４）
前記第１のメディアコンテンツを変更することは、前記メディアデバイスを停止することを含む、項目７０に記載の方法。
（項目７５）
前記第１のメディアコンテンツを変更することは、該第１のメディアコンテンツを実質的に隠す双方向ウィンドウを提供することを含む、項目７０に記載の方法。
（項目７６）
前記第１のメディアコンテンツは、前記第２のユーザが前記メディアデバイス上の適切なグループに関連付けられている場合にのみ変更される、項目７０に記載の方法。
（項目７７）
前記第１のメディアコンテンツを変更することは、該第１のメディアコンテンツが前記第２のユーザから実質的に隠されるように、前記メディアデバイスのディスプレイを暗くすることを含む、項目７０に記載の方法。
（項目７８）
前記ディスプレイは、前記第２のユーザと前記メディアデバイスとの間の距離に比例して暗くされる、項目７７に記載の方法。
（項目７９）
前記第１のメディアコンテンツを変更することは、
該第１のメディアコンテンツが実質的に前記第２のユーザに聞き取れないように、該第１のメディアコンテンツの音量を低下させることを含む、項目７０に記載の方法。
（項目８０）
前記音量は、前記第２のユーザと前記メディアデバイスとの間の距離に比例して低下される、項目７９に記載の方法。
（項目８１）
メディアコンテンツのプロパティが、ユーザに関連付けられた設定とコンフリクトする場合に、メディアデバイスに提供される該メディアコンテンツを自動的に変更するシステムであって、該システムは、メディアデバイスを備え、該メディアデバイスは、
検出回路であって、
該メディアデバイスに関連付けられた第１の検出領域を設定することであって、該第１の検出領域は第１の検出可能範囲内にある、ことと、
該メディアデバイスに関する該第１の検出領域内の第１のユーザを検出することと、
該第１の検出可能範囲内の第２のユーザを検出することと
を行うように構成される、検出回路と、
処理回路であって、
該第１のユーザが該第１の検出領域内にいる場合に、該第１のユーザに第１のメディアコンテンツを提供することであって、該第１のメディアコンテンツのプロパティは、該第１のユーザに関連付けられた第１の設定とコンフリクトしない、ことと、
該第２のユーザが該第１の検出可能範囲内にいる場合に、該第２のユーザに関連付けられた第２の設定を該第１のメディアコンテンツの該プロパティと比較することと、
該第２の設定が該第１のメディアコンテンツの該プロパティとコンフリクトする場合に、該第１のメディアコンテンツを変更することと、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加することと
を行うように構成される、処理回路と
を備える、システム。
（項目８２）
検出回路は、
前記第１の検出可能範囲から出た前記第２のユーザを検出すること
を行うようにさらに構成され、
前記処理回路は、
実質的に前記第１のメディアコンテンツが変更された、該第１のメディアコンテンツ内のポイントから、該第１のメディアコンテンツの提供を再開すること
を行うようにさらに構成される、項目８１に記載のシステム。
（項目８３）
前記処理回路は、
前記第１のメディアコンテンツを変更するときに、前記第１の設定および前記第２の設定とコンフリクトしない第２のメディアコンテンツを検索することと、
該第１のメディアコンテンツの代わりに該第２のメディアコンテンツを提供すること
を行うようにさらに構成される、項目８１に記載のシステム。
（項目８４）
前記処理回路は、
前記第１のメディアコンテンツが変更されるときに、該第１のメディアコンテンツを記録すること
を行うようにさらに構成される、項目８１に記載のシステム。
（項目８５）
前記第１のメディアコンテンツを変更することは、前記メディアデバイスを停止することを含む、項目８１に記載のシステム。
（項目８６）
前記第１のメディアコンテンツを変更することは、
該第１のメディアコンテンツを実質的に隠す双方向ウィンドウを提供することを含む、項目８１に記載のシステム。
（項目８７）
前記第１のメディアコンテンツは、前記第２のユーザが前記メディアデバイス上の適切なグループに関連付けられている場合にのみ変更される、項目８１に記載のシステム。
（項目８８）
前記第１のメディアコンテンツを変更することは、
該第１のメディアコンテンツが前記第２のユーザから実質的に隠されるように、前記メディアデバイスのディスプレイを暗くすることを含む、項目８１に記載のシステム。
（項目８９）
前記ディスプレイは、前記第２のユーザと前記メディアデバイスとの間の距離に比例して暗くされる、項目８８に記載のシステム。
（項目９０）
前記第１のメディアコンテンツを変更することは、
該第１のメディアコンテンツが実質的に前記第２のユーザに聞き取れないように、該第１のメディアコンテンツの音量を低下させることを含む、項目８１に記載のシステム。
（項目９１）
前記音量は、前記第２のユーザと前記メディアデバイスとの間の距離に比例して低下される、項目９０に記載のシステム。
（項目９２）
メディアコンテンツのプロパティが、ユーザに関連付けられた設定とコンフリクトする場合に、メディアデバイスに提供される該メディアコンテンツを自動的に変更する装置であって、該装置は、
検出メカニズムを有する該メディアデバイスを提供する手段であって、該検出メカニズムは、該メディアデバイスに関する第１の検出可能範囲内のユーザを検出するように動作可能である、手段と、
該メディアデバイスに関連付けられた第１の検出領域を設定する手段であって、該第１の検出領域は該第１の検出可能範囲内にある、手段と、
該第１の検出領域内の第１のユーザを検出する手段と、
該第１のユーザが該第１の検出領域内にいる場合に、該第１のユーザに第１のメディアコンテンツを提供する手段であって、該第１のメディアコンテンツのプロパティは、該第１のユーザに関連付けられた第１の設定とコンフリクトしない、手段と、
該第１の検出可能範囲内の第２のユーザを検出する手段と、
該第２のユーザが該第１の検出可能範囲内にいる場合に、該第２のユーザに関連付けられた第２の設定を該第１のメディアコンテンツの該プロパティと比較する手段と、
該第２の設定が該第１のメディアコンテンツの該プロパティとコンフリクトする場合に、該第１のメディアコンテンツを変更する手段と、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加する手段と
を備える、装置。
（項目９３）
前記第１の検出可能範囲から出た前記第２のユーザを検出する手段と、
実質的に前記第１のメディアコンテンツが変更された、該第１のメディアコンテンツ内のポイントから、該第１のメディアコンテンツの提供を再開する手段と
をさらに備える、項目９２に記載の装置。
（項目９４）
前記第１のメディアコンテンツを変更することは、
前記第１の設定および前記第２の設定とコンフリクトしない第２のメディアコンテンツを検索することと、
該第１のメディアコンテンツの代わりに該第２のメディアコンテンツを提供することと
を含む、項目９２に記載の装置。
（項目９５）
前記第１のメディアコンテンツが変更されるときに、該第１のメディアコンテンツを記録する手段をさらに備える、項目９２に記載の装置。
（項目９６）
前記第１のメディアコンテンツを変更することは、前記メディアデバイスを停止することを含む、項目９２に記載の装置。
（項目９７）
前記第１のメディアコンテンツを変更することは、該第１のメディアコンテンツを実質的に隠す双方向ウィンドウを提供することを含む、項目９２に記載の装置。
（項目９８）
前記第１のメディアコンテンツは、前記第２のユーザが前記メディアデバイス上の適切なグループに関連付けられている場合にのみ変更される、項目９２に記載の装置。
（項目９９）
前記第１のメディアコンテンツを変更することは、
該第１のメディアコンテンツが前記第２のユーザから実質的に隠されるように、前記メディアデバイスのディスプレイを暗くすることを含む、項目９２に記載の装置。
（項目１００）
前記ディスプレイは、前記第２のユーザと前記メディアデバイスとの間の距離に比例して暗くされる、項目９９に記載の装置。
（項目１０１）
前記第１のメディアコンテンツを変更することは、該第１のメディアコンテンツが実質的に前記第２のユーザに聞き取れないように、該第１のメディアコンテンツの音量を低下させることを含む、項目９２に記載の装置。
（項目１０２）
前記音量は、前記第２のユーザと前記メディアデバイスとの間の距離に比例して低下される、項目１０１に記載の装置。
（項目１０３）
メディアデバイスの検出可能範囲内のユーザにリマインダを提供する方法であって、
検出メカニズムを用いて、該メディアデバイスに関連付けられた検出領域内の複数のユーザを検出することと、
該複数のユーザを該メディアデバイスにログインさせることと、
該メディアデバイスに第１のメディアコンテンツを提供することと、
第２のメディアコンテンツに関して、該メディアデバイスにリマインダを提供することであって、該リマインダは、該複数の検出されたユーザの第１のユーザおよび第２のユーザに関連付けられている、ことと
を含む、方法。
（項目１０４）
前記第２のメディアコンテンツのプロパティを前記複数のユーザに関連付けられた選好と比較することと、
該複数のユーザの各々が該第２のメディアコンテンツを楽しむ確率を決定することと
をさらに含む、項目１０３に記載の方法。
（項目１０５）
前記複数のユーザのうちの少なくとも１人が、前記第２のメディアコンテンツを楽しまない十分な確率があることが決定された場合に、該複数のユーザのうちの少なくとも１人が該第２のメディアコンテンツを楽しまないことの標示を提供することをさらに含む、項目１０４に記載の方法。
（項目１０６）
前記複数のユーザのうちの少なくとも１人が、前記第２のメディアコンテンツを楽しむ十分な確率があることが決定された場合、該複数のユーザのうちの少なくとも１人が該第２のメディアコンテンツを楽しむことの標示を提供することをさらに含む、項目１０４に記載の方法。
（項目１０７）
前記第２のメディアコンテンツのプロパティを、前記複数のユーザに関連付けられた選好と比較することと、
該第２のメディアコンテンツのプロパティが該複数のユーザに関連付けられた該選好とコンフリクトしない場合にのみ、前記リマインダを提供することと
をさらに含む、項目１０３に記載の方法。
（項目１０８）
前記第１のユーザおよび前記第２のユーザのうちの少なくとも１人に関連付けられた異なるメディアデバイス上の前記第２のメディアコンテンツにアクセスするオプションを提供することをさらに含む、項目１０３に記載の方法。
（項目１０９）
前記異なるメディアデバイスは、携帯電話である、項目１０８に記載の方法。
（項目１１０）
異なるメディアデバイス上の前記第２のメディアコンテンツにアクセスするオプションを提供することをさらに含み、前記複数のユーザのうちの少なくとも１人は、該異なるメディアデバイスに関する検出可能範囲内で検出されるが、該異なるメディアデバイスに関連付けられた異なる検出領域外にいる、項目１０３に記載の方法。
（項目１１１）
前記リマインダは、前記第１のユーザおよび前記第２のユーザが適切なグループに関連付けられている場合にのみ提供される、項目１０３に記載の方法。
（項目１１２）
前記リマインダは、前記第１のユーザおよび前記第２のユーザの少なくとも１人によって事前に設定されている、項目１０３に記載の方法。
（項目１１３）
前記リマインダは、前記第１のユーザおよび前記第２のユーザのうちの少なくとも１人が、前記第２のメディアコンテンツに関心がある確率の決定後に、サービスプロバイダによって自動的に設定される、項目１０３に記載の方法。
（項目１１４）
メディアデバイスの範囲内のユーザにリマインダを提供するシステムであって、該システムは、メディアデバイスを備え、該メディアデバイスは、
検出回路であって、
メディアデバイスに関連付けられた検出領域内の複数のユーザを検出すること
を行うように構成される検出回路と、
処理回路であって、
該複数のユーザを該メディアデバイスにログインさせることと、
該メディアデバイスに第１のメディアコンテンツを提供することと、
第２のメディアコンテンツに関して、該メディアデバイスにリマインダを提供することと
を行うように構成され、該リマインダは、該複数の検出されたユーザの第１のユーザおよび第２のユーザに関連付けられる、処理回路と
を備える、システム。
（項目１１５）
前記処理回路は、
前記第２のメディアコンテンツのプロパティを前記複数のユーザに関連付けられた選好と比較することと、
該複数のユーザの各々が該第２のメディアコンテンツを楽しむ確率を決定することと
を行うようにさらに構成される、項目１１４に記載のシステム。
（項目１１６）
前記処理回路は、
前記複数のユーザのうちの少なくとも１人が前記第２のメディアコンテンツを楽しまない十分な確率があることが決定された場合に、該複数のユーザのうちの少なくとも１人が該第２のメディアコンテンツを楽しまないことの標示を提供するようにさらに構成される、項目１１５に記載のシステム。
（項目１１７）
前記処理回路は、
前記複数のユーザのうちの少なくとも１人が前記第２のメディアコンテンツを楽しむ十分な確率があることが決定された場合に、該複数のユーザのうちの少なくとも１人が該第２のメディアコンテンツを楽しむことの標示を提供するようにさらに構成される、項目１１５に記載のシステム。
（項目１１８）
前記処理回路は、
前記第２のメディアコンテンツのプロパティを前記複数のユーザに関連付けられた選好と比較することと、
該第２のメディアコンテンツの該プロパティが、該複数のユーザに関連付けられた該選好とコンフリクトしない場合にのみ、前記リマインダを提供することと
を行うようにさらに構成される、項目１１４に記載のシステム。
（項目１１９）
前記処理回路は、
前記第１のユーザおよび前記第２のユーザのうちの少なくとも１人に関連付けられた異なるメディアデバイス上の前記第２のメディアコンテンツにアクセスするオプションを提供するようにさらに構成される、項目１１４に記載のシステム。
（項目１２０）
前記異なるメディアデバイスは、携帯電話である、項目１１９に記載のシステム。
（項目１２１）
前記メディアデバイスが、第１のメディアデバイスであり、該メディアデバイスが、第２のメディアデバイスを備え、該第２のメディアデバイスは、
検出回路であって、
該第２のメディアデバイスに関する第２の検出可能範囲内の複数のユーザを検出することと、
該第２のメディアデバイスに関連付けられた第２の検出領域内の複数のユーザを検出することと
を行うように構成される検出回路を備え、
前記第１のメディアデバイスの前記処理回路は、
該複数のユーザのうちの少なくとも１人が、第２の検出可能範囲内で検出されるが、該第２の検出領域外にいる場合に、該第２のメディアデバイス上の第２のメディアコンテンツにアクセスするオプションを提供すること
を行うようにさらに構成される、項目１１４に記載のシステム。
（項目１２２）
前記リマインダは、前記第１のユーザおよび前記第２のユーザが適切なグループに関連付けられている場合にのみ提供される、項目１１４に記載のシステム。
（項目１２３）
前記リマインダは、前記第１のユーザおよび前記第２のユーザのうちの少なくとも１人によって事前に設定されている、項目１１４に記載のシステム。
（項目１２４）
前記リマインダは、前記第１のユーザおよび前記第２のユーザのうちの少なくとも１人が前記第２のメディアコンテンツに関心がある確率の決定後に、サービスプロバイダによって自動的に設定される、項目１１４に記載のシステム。
（項目１２５）
メディアデバイスの検出可能範囲内のユーザにリマインダを提供する装置であって、
検出メカニズムを用いて、該メディアデバイスに関連付けられた検出領域内の複数のユーザを検出する手段と、
該複数のユーザを該メディアデバイスにログインさせる手段と、
該メディアデバイスに第１のメディアコンテンツを提供する手段と、
第２のメディアコンテンツに関して、該メディアデバイスにリマインダを提供する手段であって、該リマインダは、該複数の検出されたユーザの第１のユーザおよび第２のユーザに関連付けられる、手段と
を備える、装置。
（項目１２６）
前記第２のメディアコンテンツのプロパティを前記複数のユーザに関連付けられた選好と比較する手段と、
該複数のユーザの各々が該第２のメディアコンテンツを楽しむ確率を決定する手段と
をさらに備える、項目１２５に記載の装置。
（項目１２７）
前記複数のユーザのうちの少なくとも１人が前記第２のメディアコンテンツを楽しまない十分な確率があることが決定された場合に、該複数のユーザのうちの少なくとも１人が該第２のメディアコンテンツを楽しまないことの標示を提供する手段をさらに備える、項目１２６に記載の装置。
（項目１２８）
前記複数のユーザのうちの少なくとも１人が前記第２のメディアコンテンツを楽しむ十分な確率があることが決定された場合に、該複数のユーザのうちの少なくとも１人が該第２のメディアコンテンツを楽しむことの標示を提供する手段をさらに備える、項目１２６に記載の装置。
（項目１２９）
前記第２のメディアコンテンツのプロパティを前記複数のユーザに関連付けられた選好と比較する手段と、
該第２のメディアコンテンツの該プロパティが該複数のユーザに関連付けられた該選好とコンフリクトしない場合にのみ、前記リマインダを提供する手段と
をさらに備える、項目１２５に記載の装置。
（項目１３０）
前記第１のユーザおよび前記第２のユーザのうちの少なくとも１人に関連付けられた異なるメディアデバイス上の前記第２のメディアコンテンツにアクセスするオプションを提供する手段をさらに備える、項目１２５に記載の装置。
（項目１３１）
前記異なるメディアデバイスは、携帯電話である、項目１３０に記載の装置。
（項目１３２）
異なるメディアデバイス上の前記第２のメディアコンテンツにアクセスするオプションを提供する手段をさらに備え、前記複数のユーザのうちの少なくとも１人は、異なるメディアデバイスに関する検出可能範囲内で検出されるが、該異なるメディアデバイスに関連付けられた異なる検出領域外にいる、項目１２５に記載の装置。
（項目１３３）
前記リマインダは、前記第１のユーザおよび前記第２のユーザが適切なグループに関連付けられている場合にのみ提供される、項目１２５に記載の装置。
（項目１３４）
前記リマインダは、前記第１のユーザおよび前記第２のユーザのうちの少なくとも１人によって事前に設定されている、項目１２５に記載の装置。
（項目１３５）
前記リマインダは、前記第１のユーザおよび前記第２のユーザのうちの少なくとも１人が前記第２のメディアコンテンツに関心がある確率の決定後に、サービスプロバイダによって自動的に設定される、項目１２５に記載の装置。
【図面の簡単な説明】
【００１２】
本発明の上記および他の目的および利点は、類似の参照文字が全体を通して類似部品を指す添付図面と併せて解釈される、以下の詳細な説明を考慮すると明白となるであろう。
【図１】図１および図２は、本発明の実施形態による、メディアガイダンスアプリケーション一覧を提供するために使用され得る例示的な表示画面を示す。
【図２】図１および図２は、本発明の実施形態による、メディアガイダンスアプリケーション一覧を提供するために使用され得る例示的な表示画面を示す。
【図３】図３は、本発明の別の実施形態による、例示的なメディアデバイスを示す。
【図４】図４は、本発明の別の実施形態による、例示的クロスプラットフォーム双方向メディアシステムの概略図である。
【図５】図５は、本発明の別の実施形態による、複数ユーザの使用およびアクセス構成メニューの例示的表示である。
【図６】図６は、本発明の別の実施形態による、検出構成メニューの例示的表示である。
【図７】図７は、本発明の別の実施形態による、ユーザ承認／制限構成メニューの例示的表示である。
【図８】図８は、本発明の別の実施形態による、アクティブ複数ユーザポリシー構成メニューの例示的表示である。
【図９】図９は、本発明の別の実施形態による、アクティブユーザおよび検出されたユーザの例示的表示である。
【図１０】図１０は、本発明の別の実施形態による、メディアデバイスでのユーザ検出後に提供されるオプションの例示的表示である。
【図１１】図１１は、本発明の別の実施形態による、メディアデバイスでユーザがもはや検出されない場合に提供されるオプションの例示的表示である。
【図１２】図１２は、本発明の別の実施形態による、アクティブユーザおよび復帰ユーザの例示的表示である。
【図１３】図１３は、本発明の別の実施形態による、ペアレンタルコントロールコンフリクトが検出された場合に提供されるオプションの例示的表示である。
【図１４】図１４は、本発明の別の実施形態による、メディアデバイスのユーザに対するリマインダの例示的表示である。
【図１５】図１５は、本発明の別の実施形態による、メディアデバイスの例示的イベントログを示す。
【図１６】図１６は、本発明の別の実施形態による、例示的ユーザデータ構造を示す。
【図１７】図１７は、本発明の別の実施形態による、ユーザ検出のための例示的プロセスである。
【図１８】図１８は、本発明の別の実施形態による、ユーザの検出後にデバイスが実行し得るアクションをサポートするための例示的プロセスである。
【図１９】図１９は、本発明の別の実施形態による、ペアレンタルコントロールコンフリクトチェックの実行後にデバイスが実行し得るアクションをサポートするための例示的プロセスである。
【図２０】図２０は、本発明の別の実施形態による、ユーザがもはやデバイスの検出領域内にいない場合にデバイスが実行し得るアクションをサポートするための例示的プロセスである。
【発明を実施するための形態】
【００１３】
任意の所与のメディア送達システムにおいて、ユーザに利用可能なメディアの量は、膨大となり得る。結果として、多くのユーザは、ユーザがメディアの選択肢を効率的にナビゲートし、所望し得るメディアコンテンツを容易に識別することを可能にする、インターフェースを通したメディアガイダンスの形態を所望している。そのようなガイダンスを提供するアプリケーションは、本明細書では、双方向メディアガイダンスアプリケーションと称されるが、メディアガイダンスアプリケーションまたはガイダンスアプリケーションと称されることもある。
【００１４】
双方向メディアガイダンスアプリケーションは、ガイダンスを提供するメディアに応じて、種々の形態をとってもよい。１つの典型的な種類のメディアガイダンスアプリケーションは、双方向テレビ番組ガイドである。双方向テレビ番組ガイド（電子番組ガイドと呼ばれることもある）は、とりわけ、従来のテレビ番組（従来の放送、ケーブル、衛星、インターネットまたは他の手段を介して提供される）、ならびに有料番組、オンデマンド番組（ビデオオンデマンド（ＶＯＤ）システムのような）、インターネットコンテンツ（例えば、ストリーミングメディア、ダウンロード可能なメディア、ウェブキャスト等）、および他の種類のメディアまたはビデオコンテンツを含む、多くの種類のメディアコンテンツ間を、ユーザがナビゲートおよび検索することを可能にする、周知のガイダンスアプリケーションである。ガイダンスアプリケーションはまた、ユーザが、例えば、ビデオクリップ、記事、広告、チャットセッション、ゲーム等を含む、ビデオコンテンツに関連するコンテンツ間でナビゲートし、検索することも可能にする。ガイダンスアプリケーションはまた、ユーザが、マルチメディアコンテンツ間でナビゲートすることも可能にする。用語「マルチメディア」とは、本明細書では、テキスト、オーディオ、静止画、画像、動画、ビデオ、および双方向コンテンツ形態等の、少なくとも２つの異なるコンテンツ形態を利用する、メディアならびにコンテンツとして定義される。マルチメディアコンテンツは、コンピュータおよび電子デバイス等の情報コンテンツ処理デバイスによって、記録および再生、表示またはアクセスされてもよいが、また、ライブパーフォーマンスの一部であることも可能である。メディアコンテンツに関連して論議される、本発明の実施形態はまた、ビデオ、オーディオ、および／もしくはマルチメディア、ならびに／または任意の他の好適な種類のメディアおよび／もしくはコンテンツ等の他の種類のコンテンツにも適用可能であることを理解されたい。
【００１５】
インターネット、モバイルコンピューティング、高速無線ネットワークの登場に伴い、ユーザは、パーソナルコンピュータ（ＰＣ）や、手持ち式コンピュータ、携帯端末（ＰＤＡ）、携帯電話、または他のモバイルデバイス等の従来はアクセスしなかった他のデバイス上で、メディアにアクセスしている。これらのデバイス上で、ユーザは、テレビを通して利用可能な同じメディア間をナビゲートおよび検索することができる。その結果として、メディアガイダンスは、これらのデバイス上でも必要である。提供されるガイダンスは、テレビのみを通して利用可能なメディアコンテンツ、これらのデバイスのうちの１つ以上のみを通して利用可能なメディアコンテンツ、またはテレビおよびこれらのデバイスのうちの１つ以上の両方を通して利用可能なメディアコンテンツのためのものであってもよい。メディアガイダンスアプリケーションは、手持ち式コンピュータ、ＰＤＡ、携帯電話、または他のモバイルデバイス上で、オンラインアプリケーション（すなわち、ウェブサイト上で提供される）、あるいは独立型アプリケーションまたはクライアントとして提供されてもよい。これらのデバイス、および／または画像、テキスト、オーディオコンテンツ、ビデオコンテンツ、またはこれらの任意の組み合わせを表示することができる任意の他の好適なデバイスは、本明細書において、メディアデバイスと呼ばれる。メディアガイダンスアプリケーションを実装してもよい、種々のデバイスおよびプラットフォームは、以下でより詳細に説明される。
【００１６】
メディアガイダンスアプリケーションの機能のうちの１つは、メディア一覧およびメディア情報をユーザに提供することである。図１−２は、メディアガイダンス、特にメディア一覧を提供するために使用されてもよい、例示的な表示画面を示す。図１−２および５−１４に示された表示画面は、任意の好適なデバイスまたはプラットフォーム上で実装されてもよい。図１−２および５−１４の表示は、全画面表示として図示されているが、それらはまた、表示されているメディアコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、あるいはリモートコントロールまたは他のユーザ入力インターフェースもしくはデバイス上の専用ボタン（例えば、「ガイド」ボタン）を押下することによって、メディア情報へのアクセス要望を指示してもよい。ユーザの指示に応じて、メディアガイダンスアプリケーションは、グリッド内の時間およびチャンネル別、時間別、チャンネル別、メディアの種類別、カテゴリ別（例えば、映画、スポーツ、ニュース、子供向け、または他の番組カテゴリ）、または、他の所定、ユーザ定義、あるいは他の組織化基準等のいくつかの方法のうちの１つで組織化されたメディア情報を伴う表示画面を提供してもよい。
【００１７】
図１は、単一表示内の異なる種類のメディアコンテンツへのアクセスも可能にする、時間およびチャンネル別に配設された例示的なグリッド番組一覧表示１００を示す。表示１００は、（１）各チャンネル／メディア種類識別子（列内のセル）が利用可能な異なるチャンネルまたはメディアの種類を識別する、チャンネル／メディア種類識別子１０４の列、および（２）各時間識別子（行内のセル）が番組の時間帯を識別する、時間識別子１０６の行を伴う、グリッド１０２を含んでもよい。グリッド１０２はまた、番組一覧１０８等の番組一覧のセルも含み、各一覧は、一覧の関連チャンネルおよび時間の上に提供される、番組のタイトルを提供する。ユーザ入力デバイスを用いて、ユーザは、ハイライト領域１１０を移動させることによって番組一覧を選択することができる。ハイライト領域１１０によって選択される番組一覧に関する情報が、番組情報領域１１２の中で提供されてもよい。領域１１２は、例えば、番組タイトル、番組内容、番組が提供される時間（該当する場合）、番組が放送されるチャンネル（該当する場合）、番組の評価、および他の所望の情報を含んでもよい。
【００１８】
スケジュールに従って提供される線形番組へのアクセスを提供することに加えて、メディアガイダンスアプリケーションはまた、スケジュールに従って提供されない非線形番組へのアクセスも提供する。非線形番組は、オンデマンドメディアコンテンツ（例えば、ＶＯＤ）、インターネットコンテンツ（例えば、ストリーミングメディア、ダウンロード可能なメディア等）、ローカルに記憶したメディアコンテンツ（例えば、デジタルビデオレコーダ（ＤＶＲ）、デジタルビデオディスク（ＤＶＤ）、ビデオカセット、コンパクトディスク（ＣＤ）に記憶されたビデオコンテンツ等）、または時間的制約のない他のメディアコンテンツを含む、異なるメディアソースからのコンテンツを含んでもよい。オンデマンドコンテンツは、映画および特定のメディアプロバイダによって提供されるオリジナルのメディアコンテンツの両方を含んでもよい（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，Ｉｎｃ．によって所有される商標である。インターネットコンテンツは、チャットセッションまたはウェブキャストのようなウェブイベント、あるいは、インターネットウェブサイトまたは他のインターネットアクセス（例えば、ＦＴＰ）を通して、ストリーミングメディアまたはダウンロード可能なメディアとしてオンデマンドで利用可能なコンテンツを含んでもよい。
【００１９】
グリッド１０２は、オンデマンド一覧１１４、録画メディア一覧１１６、およびインターネットコンテンツ一覧１１８を含む、非線形番組の一覧を提供してもよい。異なる種類のメディアソースからのコンテンツのための一覧を組み合わせる表示は、「混合メディア」表示と呼ばれることもある。表示１００とは異なる、表示されてもよい一覧の種類の種々の順列は、ユーザ選択またはガイダンスアプリケーション定義に基づいてもよい（例えば、録画および放送一覧のみの表示、オンデマンドおよび放送の一覧のみの表示等）。例示されるように、一覧１１４、１１６、および１１８は、これらの一覧の選択が、それぞれ、オンデマンド一覧、録画一覧、またはインターネット一覧専用の表示へのアクセスを提供し得ることを示すように、グリッド１０２内に表示される時間帯全体に及ぶものとして示されている。他の実施形態では、これらのメディア種類の一覧は、グリッド１０２に直接含まれてもよい。ユーザがナビゲーションアイコン１２０のうちの１つを選択することに応じて、付加的な一覧が表示されてもよい（ユーザ入力デバイス上の矢印キーを押すことは、ナビゲーションアイコン１２０を選択することと同様に表示に影響を及ぼしてもよい）。
【００２０】
表示１００はまた、ビデオ領域１２２、広告１２４、およびオプション領域１２６を含んでもよい。ビデオ領域１２２は、ユーザが、現在利用可能である、今後利用可能となる、または利用可能であった番組を視聴および／またはプレビューすることを可能にしてもよい。ビデオ領域１２２のコンテンツは、グリッド１０２に表示される一覧のうちの１つに対応するか、またはそれから独立してもよい。ビデオ領域を含むグリッド表示は、ピクチャインガイド（ＰＩＧ）表示と呼ばれることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体を参照することによって本明細書に組み込まれる。ＰＩＧ表示は、本発明の他のメディアガイダンスアプリケーション表示画面に含まれてもよい。
【００２１】
広告１２４は、（例えば、購読番組および／またはデバイスへのアクセスに対する）視聴者のアクセス権に応じて、現在利用可能である、将来利用可能となる、または決して利用可能とはなり得ない、メディアコンテンツの広告を提供してもよく、グリッド１０２内のメディア一覧のうちの１つ以上に対応するか、または無関係であってもよい。広告１２４はまた、グリッド１０２内で表示されるメディアコンテンツに関係するか、または無関係である製品またはサービスに対するものであってもよい。広告１２４は、選択可能であってもよく、メディアコンテンツに関するさらなる情報を提供する、製品またはサービスに関する情報を提供する、メディアコンテンツ、製品、またはサービスの購入を可能にする、広告に関するメディアコンテンツを提供する等を行ってもよい。広告１２４は、ユーザのプロファイル／選好、監視されたユーザ活動、提供される表示の種類、または他の好適な標的化広告基盤に基づいて標的化されてもよい。
【００２２】
広告１２４は、長方形またはバナー形状として示されているが、広告は、ガイダンスアプリケーション表示内の任意の好適なサイズ、形状、および場所で提供されてもよい。例えば、広告１２４は、グリッド１０２に水平方向に隣接する長方形として提供されてもよい。これは、パネル広告と呼ばれることもある。加えて、広告は、メディアコンテンツまたはガイダンスアプリケーション表示上にオーバーレイされるか、または表示内に埋め込まれてもよい。広告はまた、テキスト、画像、回転画像、ビデオクリップ、または他の種類のメディアコンテンツを含んでもよい。広告は、ガイダンスアプリケーションを伴うユーザ機器内、ユーザ機器に接続されたデータベース内、遠隔場所（ストリーミングメディアサーバを含む）内、あるいは他の記憶手段またはこれらの場所の組み合わせ上に記憶されてもよい。メディアガイダンスアプリケーションに広告を提供することは、例えば、参照によって本明細書にその全体が組み込まれる、２００３年６月１２日公開のＫｎｕｄｓｏｎらの米国特許出願公開第２００３−０１１０４９９号、２００４年６月２９日発行のＷａｒｄ，ＩＩＩらの米国特許第６，７５６，９９７号、および２００２年５月１４日発行のＳｃｈｅｉｎらの米国特許第６，３８８，７１４号で、さらに詳細に論議されている。広告は、本発明の他のメディアガイダンスアプリケーション表示画面に含まれてもよいことが理解されるであろう。
【００２３】
オプション領域１２６は、ユーザが、異なる種類のメディアコンテンツ、メディアガイダンスアプリケーション表示、および／またはメディアガイダンスアプリケーション特徴にアクセスすることを可能にしてもよい。オプション領域１２６は、表示１００（および本発明の他の表示画面）の一部であってもよく、あるいは画面上のオプションを選択すること、またはユーザ入力デバイス上の専用または割当可能ボタンを押下することによって、ユーザによって呼び出されてもよい。オプション領域１２６内の選択可能オプションは、グリッド１０２内の番組一覧に関連する特徴に関してもよく、またはメインメニュー表示から利用可能なオプションを含んでもよい。番組一覧に関連する特徴は、他の放送時間または番組の受信方法の検索、番組の録画、番組の連続録画の有効化、番組および／またはチャンネルをお気に入りとして設定、番組の購入、あるいは他の特徴を含んでもよい。メインメニュー表示から利用可能なオプションは、検索オプション、ＶＯＤオプション、ペアレンタルコントロールオプション、種々の種類の一覧表示へのアクセス、プレミアムサービスへの加入、ユーザのプロファイルの編集、ブラウザオーバーレイにアクセス、複数ユーザの使用およびアクセス構成オプション、または他のオプションを含んでもよい。
【００２４】
メディアガイダンスアプリケーションは、ユーザの選好に基づいて個人化されてもよい。個人化されたメディアガイダンスアプリケーションは、ユーザが、メディアガイダンスアプリケーションによって個人化された「体験」を生成するように、表示および特徴をカスタマイズすることを可能にする。この個人化された体験は、ユーザがこれらのカスタマイズを入力できるようにすることによって、および／または種々のユーザ選好を判定するようにメディアガイダンスアプリケーションがユーザ活動を監視することによって、生成されてもよい。ユーザは、ログインすることによって、または別様にガイダンスアプリケーションに対して自らを識別することによって、個人化されたガイダンスアプリケーションにアクセスしてもよい。例えば、ユーザは、バイオメトリック（例えば、熱痕跡、声紋）、またはメディアデバイスの所定の検出領域内にいる可能性のあるモバイルデバイスによって識別されてもよい。識別が行われた後、識別されたユーザは、メディアデバイスにログインすることができ、ユーザの個人化されたガイダンスアプリケーションへのアクセスを得る。そのような実施形態は、図５〜２０に関して、以下でさらに論議される。
【００２５】
メディアガイダンスアプリケーションおよび／またはメディアデバイスのカスタマイズは、１つのユーザプロファイルおよび／または複数のユーザプロファイルに従って作成されてもよい。カスタマイズは、提示方式（例えば、表示のカラー方式、テキストのフォントサイズ等）、表示されるメディアコンテンツ一覧の態様（例えば、ＨＤＴＶ番組のみ、お気に入りチャンネル選択に基づいたユーザ指定の放送チャンネル、チャンネルの表示の並び替え、推奨メディアコンテンツ等）、所望の録画特徴（例えば、特定のユーザに対する録画または連続録画、録画の質等）、ペアレンタルコントロール設定、ユーザが識別され得る様式、ユーザが検出および／または識別された際にメディアデバイスが実行し得るアクション（複数を含む）、ならびに他の所望のカスタマイズを変動させることを含んでもよい。
【００２６】
メディアガイダンスアプリケーションは、ユーザがユーザプロファイル情報を提供することを可能にしてもよく、またはユーザプロファイル情報を自動的に編成してもよい。メディアガイダンスアプリケーションは、例えば、ユーザがアクセスするメディア、および／またはユーザがガイダンスアプリケーションと行ってもよい他の対話を監視してもよい。加えて、メディアガイダンスアプリケーションは、特定のユーザに関連する他のユーザプロファイルの全体または一部を取得し（例えば、ｗｗｗ．ｔｖｇｕｉｄｅ．ｃｏｍ等のユーザがアクセスするインターネット上の他のウェブサイトから、ユーザがアクセスする他のメディアガイダンスアプリケーションから、ユーザがアクセスする他の双方向アプリケーションから、ユーザの手持ち式デバイスから等）、および／またはメディアガイダンスアプリケーションがアクセスしてもよい他のソースから、ユーザに関する情報を取得してもよい。結果として、ユーザの異なるデバイスにわたって、統一されたガイダンスアプリケーション体験をユーザに提供することができる。この種類のユーザ経験は、図４に関連して、以下でより詳細に説明される。付加的な個人化されたメディアガイダンスアプリケーション特徴は、２００５年１１月１０日公開のＥｌｌｉｓらの米国特許出願公開第２００５−０２５１８２７号、２００７年１月１６日出願のＢｏｙｅｒらの米国特許第７，１６５，０９８号、および２００２年１１月２１日公開のＥｌｌｉｓらの米国特許出願公開第２００２／０１７４４３０号でさらに詳細に説明されており、それらは参照することによってその全体が本明細書に組み込まれる。
【００２７】
メディアガイダンスを提供するための別の表示配設が、図２に示されている。ビデオモザイク表示２００は、メディアの種類、ジャンル、および／または他の組織化基準に基づいて組織化されたメディアコンテンツ情報のための選択可能オプション２０２を含む。表示２００では、テレビ一覧オプション２０４が選択されているため、放送番組一覧として、一覧２０６、２０８、２１０、および２１２を提供している。図１の一覧とは異なり、表示２００の一覧は、メディアを説明する簡単なテキスト（例えば、番組のタイトル）およびアイコンに限定されない。むしろ、表示２００では、一覧は、カバーアート、メディアコンテンツからの静止画像、ビデオクリップのプレビュー、メディアコンテンツからのライブビデオ、または一覧によって説明されているメディアコンテンツをユーザに示す他の種類のメディアを含む、グラフィック画像を提供してもよい。グラフィック一覧のそれぞれはまた、一覧と関連するメディアコンテンツに関するさらなる情報を提供するように、テキストを同伴してもよい。例えば、一覧２０８は、メディア部分２１４およびテキスト部分２１６を含む、１つより多くの部分を含んでもよい。メディア部分２１４および／またはテキスト部分２１６は、ビデオを全画面で視聴するように、またはメディア部分２１４に表示されるビデオに関連する番組一覧を閲覧するように（例えば、ビデオが表示されるチャンネルの一覧を閲覧するように）、選択可能であってもよい。
【００２８】
表示２００の一覧は、異なるサイズである（すなわち、一覧２０６は、一覧２０８、２１０、および２１２より大きい）が、所望の場合、全ての一覧が同じサイズであってもよい。一覧は、メディアプロバイダの所望に応じて、またはユーザ選好に基づいて、ユーザに関心の程度を示すように、または、あるコンテンツを強調するように、異なるサイズであるか、またはグラフィックが強調されてもよい。メディア一覧をグラフィック的に強調するための種々のシステムおよび方法は、例えば、全体を参照することによって本明細書に組み込まれる、２００５年１２月２９日出願のＹａｔｅｓの米国特許出願第１１／３２４，２０２号で論議されている。
【００２９】
ユーザは、そのメディアデバイスの１つ以上から、メディアコンテンツおよびメディアガイダンスアプリケーション（ならびに上記および下記で説明されるその表示画面）にアクセスしてもよい。図３は、例示的なユーザ機器デバイス３００の一般化実施形態を示す。メディアデバイスのより具体的な実装は、図４に関連して以下で論議される。メディアデバイス３００は、入出力（以降では「Ｉ／Ｏ」）経路３０２を介して、メディアコンテンツおよびデータを受信してもよい。Ｉ／Ｏ経路３０２は、処理回路３０６、検出回路３０７、および記憶装置３０８を含む制御回路３０４に、メディアコンテンツ（例えば、放送番組、オンデマンド番組、インターネットコンテンツ、および他のビデオまたはオーディオ）およびデータを提供してもよい。制御回路３０４は、Ｉ／Ｏ経路３０２を使用して、コマンド、要求、および他の好適なデータを送受信するために使用されてもよい。Ｉ／Ｏ経路３０２は、制御回路３０４（具体的には処理回路３０６）を１つ以上の通信経路（以下で説明される）に接続してもよい。Ｉ／Ｏ機能は、これらの通信経路のうちの１つ以上によって提供されてもよいが、図面が複雑になり過ぎることを回避するため、図３では単一経路として示されている。
【００３０】
制御回路３０４は、１つ以上のマイクロプロセッサ、マイクロコントローラ、デジタル信号プロセッサ、プログラム可能な論理素子等に基づく処理回路等の任意の好適な処理回路３０６に基づいてもよい。いくつかの実施形態では、制御回路３０４は、メモリ（すなわち、記憶装置３０８）に記憶されたメディアガイダンスアプリケーションに対する命令を実行する。クライアント・サーバに基づく実施形態では、制御回路３０４は、ガイダンスアプリケーションサーバあるいは他のネットワークまたはサーバと通信するための好適な通信回路を含んでもよい。通信回路は、ケーブルモデム、総合デジタル通信網（ＩＳＤＮ）モデム、デジタル加入者回線（ＤＳＬ）モデム、電話モデム、または他の機器との通信用無線モデムを含んでもよい。そのような通信は、インターネットあるいは任意の他の好適な通信ネットワークまたは経路を伴ってもよい（図４に関連してさらに詳細に説明される）。加えて、通信回路は、メディアデバイスのピアツーピア通信、または相互から遠隔の場所にあるメディアデバイスの通信を可能にする回路を含んでもよい（以下でさらに詳細に説明される）。
【００３１】
いくつかの実施形態において、制御回路３０４は、ユーザ（複数を含む）が任意の好適なバイオメトリック認識技術、例えば顔認識、熱痕跡認識、臭気認識、香り認識、体型認識、音声認識、挙動認識、または任意の他の好適なバイオメトリック認識技術を使用して積極的アクションを行う必要なく、ユーザ（複数を含む）を検出および／または識別することができる検出回路３０７を含んでもよい。例えば、検出回路３０７は、ユーザがメディアデバイスに対して確実な距離だけ離れている間に、これらの技術を使用してユーザを検出および認識し得る。いくつかの実施形態において、ユーザは、いくつかの実施形態においてユーザがメディアデバイスに対して確実な距離内にいることを必要とし得る、任意の他の好適なバイオメトリック認識技術、例えば虹彩認識、網膜認識、掌認識、指紋認識、または任意の他の好適な技術を使用して、検出および／または識別され得る。
【００３２】
検出回路３０７はまた、ユーザ（複数を含む）に関連付けられ得るメディアデバイス（例えば、ＲＦＩＤデバイスまたは携帯電話等のモバイルデバイス）の認識および／または識別に基づき、ユーザ（複数を含む）を検出および／または識別することができてもよい。検出回路３０７は、任意の好適な手段、例えば、無線周波数識別、Ｂｌｕｅｔｏｏｔｈ（登録商標）、Ｗｉ−Ｆｉ、ＷｉＭａｘ、インターネットプロトコル、赤外線信号、任意の他の好適なＩＥＥＥ、工業、もしくは専用通信規格、または任意の他の好適な電子的、光学的、もしくは音声通信手段等を使用して、そのようなデバイスを認識および識別してもよい。例えば、検出回路３０７は、メディアデバイスの所定の検出領域内にユーザがいることを決定し、ユーザを識別し、ユーザをメディアデバイスのアクティブユーザの一覧に追加してもよい。本明細書に記載されるようなユーザの検出および識別は、いくつかの実施形態において、そのような方法およびシステムの構成を超えたユーザ側のいかなる積極的アクションをも必要としない。例えば、ユーザの任意の検出および識別は、メディアデバイスによって自動的に行われる。
【００３３】
検出回路３０７は、検出および識別操作を実行するための任意の好適なハードウェアおよび／またはソフトウェアを含んでもよい。例えば、検出回路３０７は、赤外線、光学的、および／または無線周波数受信器および／または送信器を含んでもよい。検出回路３０７は、加えて、または代替として、聴覚的および／または視覚的情報を検出するために、それぞれ１つ以上のマイクロホンおよび／またはカメラを含んでもよい。マイクロホンは、可聴範囲内および／または可聴範囲外の音を受信することができてもよい。カメラは、可視領域内および／または可視領域外の情報を捕捉することができてもよい。例えば、カメラは、赤外線情報、紫外線情報、または任意の他の好適な種類の情報を捕捉することができてもよい。検出回路３０７は、加えて、または代替として、ユーザを検出および／または識別するための掌、指紋、および／または網膜読取機を含んでもよい。いくつかの実施形態において、検出回路は、処理回路３０６および／または記憶装置３０８と、ユーザが特定のデバイスにおいて検出および／または識別されたか否かを示す各種検出および／または識別メカニズムを通信してもよい。
【００３４】
いくつかの実施形態において、検出回路３０７は、任意の好適な方法を使用して、ユーザのメディアデバイスに対する距離、軌道、および／または場所を決定することができる。例えば、メディアデバイスは、ユーザのモバイルデバイスからの受信信号強度標示（ＲＳＳＩ）を使用して、ユーザのメディアデバイスに対する距離を決定することができる。例えば、ＲＳＳＩ値を三角測量して、ユーザの場所を決定することができる。メディアデバイスはまた、例えば、適切な情報の三角測量および／または到着時差の決定を使用して、メディアデバイスに対するユーザの場所を決定することができる。例えば、ユーザから発生する音の到着時差の値を決定することができる。いくつかの実施形態において、任意の好適な画像処理、ビデオ処理、および／またはコンピュータビジョン技術を使用して、メディアデバイスに対するユーザの距離、軌道、および／または場所を決定することができる。メディアデバイスに対するユーザの距離、軌道、および／または場所は、任意の好適な方法を使用して決定することができる。
【００３５】
本明細書において、識別されたユーザは、ユーザをユーザプロファイルに関連付けるためのデバイスによって十分に認識され得るユーザを示し得る。いくつかの実施形態において、ユーザは、一意のユーザプロファイルに関連付けられるのとは対照的に、またはそれに追加して、ユーザのグループに関連付けられてもよい。例えば、ユーザは、ユーザの家族、友人、年齢グループ、性別、および／または任意の他の好適なグループに関連付けられてもよい。検出されたユーザは、その存在がデバイスによって検出されるが、まだデバイスによって識別されていないユーザを示し得る。そのような実施形態は、図５〜２０に関してさらに詳細に論議される。
【００３６】
メモリ（例えば、ランダムアクセスメモリ、読み取り専用メモリ、または任意の他の好適なメモリ）、ハードドライブ、光学ドライブ、あるいは任意の他の好適な固定または可撤性記憶装置（例えば、ＤＶＤレコーダ、ＣＤレコーダ、ビデオカセットレコーダ、または他の好適な録画デバイス）は、制御回路３０４の一部である記憶装置３０８として提供されてもよい。記憶装置３０８は、上記の種類の記憶デバイスのうちの１つ以上を含んでもよい。例えば、メディアデバイス３００は、ＤＶＲ（パーソナルビデオレコーダまたはＰＶＲと称されることもある）用のハードドライブおよび２次記憶装置としてのＤＶＤレコーダを含んでもよい。記憶装置３０８は、番組情報、ガイダンスアプリケーション設定、ユーザ選好またはプロファイル情報、メディアデバイスのアクティブユーザの一覧、メディアデバイスの過去のユーザの一覧、あるいはガイダンスアプリケーションを操作する際に使用される他のデータを含む、本明細書で説明される種々の種類のメディアを記憶するために使用されてもよい。非揮発性メモリもまた、使用されてもよい（例えば、ブートアップルーチンや他の命令を起動するために）。
【００３７】
制御回路３０４は、１つ以上のアナログチューナ、１つ以上のＭＰＥＧ−２デコーダ、または他のデジタル復号回路、高解像度チューナ、または任意の他の好適な同調あるいはビデオ回路、もしくはそのような回路の組み合わせ等の、ビデオ生成回路および同調回路を含んでもよい。符号化回路（例えば、記憶のために、無線、アナログ、またはデジタル信号をＭＰＥＧ信号に変換するためのもの）もまた、提供されてもよい。制御回路３０４はまた、メディアをメディアデバイス３００の好ましい出力形式に上方変換および下方変換するためのスケーラ回路を含んでもよい。回路３０４はまた、デジタルおよびアナログ信号間で変換するためのデジタルからアナログへの変換回路およびアナログからデジタルへの変換回路を含んでもよい。同調および符号化回路は、メディアコンテンツを受信して表示する、再生する、または録画するために、ユーザ機器によって使用されてもよい。同調および符号化回路はまた、ガイダンスデータを受信するために使用されてもよい。例えば、同調、ビデオ生成、符号化、復号、スケーラ、およびアナログ／デジタル回路を含む、本明細書で説明される回路は、１つ以上の汎用または専門プロセッサ上で稼働するソフトウェアを使用して実装されてもよい。複数のチューナが、同時同調機能に対処するように提供されてもよい（例えば、視聴および録画機能、ピクチャインピクチャ（ＰＩＰ）機能、多重チューナ録画機能等）。記憶装置３０８が、メディアデバイス３００とは別のデバイスとして提供される場合、同調および符号化回路（複数のチューナを含む）は、記憶装置３０８と関連付けられてもよい。
【００３８】
ユーザは、ユーザ入力インターフェース３１０を使用して制御回路３０４を制御してもよい。ユーザ入力インターフェース３１０は、リモートコントロール、マウス、トラックボール、キーパッド、キーボード、タッチ画面、タッチパッド、スタイラス入力、ジョイスティック、音声認識インターフェース、もしくは他のユーザ入力インターフェース等、またはユーザ入力インターフェースの組み合わせ等、任意の好適なユーザインターフェースであってもよい。ユーザ入力インターフェース３１０は、１つ以上のメディアデバイスと通信してもよい。いくつかの実施形態において、ユーザ入力インターフェース３１０は、感圧式ボタンを有するリモートコントロールであってもよい。制御回路３０４は、感圧式ボタンに印加された異なる量の圧力を認識し、例えばガイダンスアプリケーションを介したナビゲーションを調節してもよい。例えば、より小さい圧力が印加された場合、一覧がよりゆっくりとスクロールし、より大きい圧力が印加された場合、一覧がより速くスクロールするように、印加圧力の量が、ガイダンスアプリケーション一覧をスクロールする速度を調節してもよい。感圧式ボタンは、任意の好適な様式で、ガイダンスアプリケーションまたはメディアデバイスの任意の部分を制御してもよい。
【００３９】
いくつかの実施形態において、ユーザ入力インターフェース３１０は、携帯電話等のモバイルデバイスに組み込まれてもよい。そのような実施形態において、ユーザ入力インターフェース３１０は、ユーザまたはメディアデバイスに関連付けられた適切なコマンド、情報、および／もしくは更新、または任意の他の好適な情報を、携帯電話ネットワークを介して得ることができる。
【００４０】
いくつかの実施形態において、ユーザ入力インターフェース３１０は、任意の好適な手段、例えば無線周波数識別、Ｂｌｕｅｔｏｏｔｈ（登録商標）、Ｗｉ−Ｆｉ、ＷｉＭａｘ、インターネットプロトコル、赤外線信号、任意の他の好適なＩＥＥＥ、工業、もしくは専用通信規格、または任意の他の好適な電子的、光学的、もしくは音声通信手段等を使用して、メディアデバイスと通信してもよい。例えば、ユーザの携帯電話に組み込まれ得るユーザ入力インターフェース３１０は、Ｗｉ−Ｆｉを使用してメディアデバイスと通信してもよい。いくつかの実施形態において、ユーザ入力インターフェース３１０は、任意の好適な通信手段を任意の他の好適な通信手段に変換し得る中間デバイスと通信してもよい。例えば、ユーザは、ユーザ入力インターフェース３１０と統合されたユーザの携帯電話を使用して、ガイダンスアプリケーションを介してスクロールを試行してもよい。ユーザ入力インターフェース３１０は、Ｗｉ−Ｆｉパケットを出力してユーザのスクロール命令と通信してもよい。中間デバイスは、Ｗｉ−Ｆｉパケットを受信し、一方赤外線パケットを制御回路３０４に伝送してもよい。
【００４１】
いくつかの実施形態において、ユーザ入力インターフェース３１０は、特定ユーザ（複数を含む）に関連付けられた、および／または該ユーザを識別する情報を、記憶、伝送、および／または受信してもよい。この情報は、その情報に関連付けられたユーザがメディアデバイスの所定の検出領域内にいるか否かを検出および／または識別するために、検出回路３０７によって使用され得る。次いで、ユーザは、メディアデバイスのアクティブユーザの一覧に追加されてもよく、および／またはメディアデバイスにログインしてもよい。そのような実施形態は、図５〜２０に関して以下でより詳細に論議される。
【００４２】
ディスプレイ３１２は、独立型デバイスとして提供されるか、またはメディアデバイス３００の他の要素と一体化してもよい。ディスプレイ３１２は、モニタ、テレビ、モバイルデバイス用液晶画面（ＬＣＤ）、または視覚的画像を表示するための任意の他の好適な機器のうちの１つ以上であってもよい。いくつかの実施形態では、ディスプレイ３１２は、ＨＤＴＶ対応型であってもよい。スピーカ３１４は、メディアデバイス３００の他の要素との統合として提供されてもよく、または独立型ユニットであってもよい。ディスプレイ３１２上に表示されるビデオおよび他のメディアコンテンツのオーディオ構成要素は、スピーカ３１４を通して再生されてもよい。いくつかの実施形態では、音声は、スピーカ３１４を介して音声を処理および出力する、受信機（図示せず）に配信されてもよい。
【００４３】
ガイダンスアプリケーションは、任意の好適なアーキテクチャを使用して実装されてもよい。例えば、それは、メディアデバイス３００上で完全に実装される、独立型アプリケーションであってもよい。そのようなアプローチでは、アプリケーションの命令は、ローカルに記憶され、アプリケーションによって使用するためのデータは、周期的にダウンロードされる（例えば、テレビチャンネルのＶＢＩから、帯域外フィードから、または別の好適なアプローチを使用して）。別の実施形態では、メディアガイダンスアプリケーションは、クライアント・サーバベースのアプリケーションである。メディアデバイス３００上に実装される、シックまたはシンクライアントによって使用するためのデータは、メディアデバイス３００の遠隔にあるサーバに要求を発行することによって、オンデマンドで読み出される。クライアント・サーバベースのガイダンスアプリケーションの一実施例では、制御回路３０４は、遠隔サーバによって提供されるウェブページを解釈する、ウェブブラウザを実行する。
【００４４】
さらに他の実施形態では、メディアガイダンスアプリケーションは、インタープリタまたは仮想マシン（制御回路３０４によって実行される）によって、ダウンロードされ、解釈または別様に実行される。いくつかの実施形態では、ガイダンスアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの一部として制御回路３０４によって受信され、制御回路３０４上で稼働するユーザエージェントによって解釈されてもよい。例えば、ガイダンスアプリケーションは、ＥＢＩＦウィジェットであってもよい。他の実施形態では、ガイダンスアプリケーションは、制御回路３０４によって実行されるローカル仮想マシンまたは他の好適なミドルウェアによって受信および実行される、一連のＪＡＶＡ（登録商標）ベースのファイルによって定義されてもよい。そのような実施形態のうちのいくつか（例えば、ＭＰＥＧ−２または他のデジタルメディア符号化スキームを採用するもの）では、ガイダンスアプリケーションは、例えば、番組のＭＰＥＧオーディオおよびビデオパケットを用いたＭＰＥＧ−２オブジェクトカルーセルにおいて符号化および伝送されてもよい。
【００４５】
図３のメディアデバイス３００は、ユーザテレビ機器４０２、ユーザコンピュータ機器４０４、無線ユーザ通信デバイス４０６、または非携帯型ゲーム機等のメディアにアクセスするために好適な任意の他の種類のユーザ機器として、図４のシステム４００に実装することができる。簡単にするために、これらのデバイスは、本明細書では総称して、ユーザ機器、ユーザ機器デバイス、またはメディアデバイスと呼ばれてもよい。メディアガイダンスアプリケーションが実装されるメディアデバイスは、独立型デバイスとして機能してもよく、またはデバイスのネットワークの一部であってもよい。デバイスの種々のネットワーク構成が実装されてもよく、以下でさらに詳細に論議される。
【００４６】
ユーザテレビ機器４０２は、セットトップボックス、衛星放送用受信機（ＩＲＤ）、テレビセット、デジタル記憶デバイス、ＤＶＤレコーダ、ビデオカセットレコーダ（ＶＣＲ）、ローカルメディアサーバ、または他のユーザテレビを含んでもよい。これらのデバイスのうちの１つ以上は、所望の場合、単一デバイスとなるように統合されてもよい。ユーザコンピュータ機器４０４は、ＰＣ、ラップトップ、タブレット、ＷｅｂＴＶボックス、パーソナルコンピュータテレビ（ＰＣ／ＴＶ）、ＰＣメディアサーバ、ＰＣメディアセンタ、または他のユーザコンピュータ機器を含んでもよい。ＷＥＢＴＶは、Ｍｉｃｒｏｓｏｆｔ  Ｃｏｒｐ．によって所有される商標である。無線ユーザ通信デバイス４０６は、ＰＤＡ、携帯電話、携帯用ビデオプレーヤ、携帯用音楽プレーヤ、携帯用ゲーム機、または他の無線デバイスを含んでもよい。
【００４７】
ＰＣ用テレビチューナカード、ＷｅｂＴＶ、および他のユーザ機器デバイスへのビデオの統合の出現に伴い、デバイスを上記のデバイスのうちの１つとして分類しようとすると、明確に区分できなくなることに留意されたい。実際、ユーザテレビ機器４０２、ユーザコンピュータ機器４０４、および無線ユーザ通信デバイス４０６のそれぞれは、図３に関連して上記で説明されるシステム特徴のうちの少なくともいくつかを利用し、結果として、デバイス上で利用可能なメディアコンテンツの種類に関する融通性を含んでもよい。例えば、ユーザテレビ機器４０２は、インターネットコンテンツへのアクセスを可能にするインターネット対応型であってもよい一方で、ユーザコンピュータ機器４０４は、テレビ番組へのアクセスを可能にするチューナを含んでもよい。メディアガイダンスアプリケーションはまた、種々の種類のユーザ機器上で同一レイアウトを有してもよく、またはユーザ機器の表示能力に合わせられてもよい。例えば、ユーザコンピュータ機器上では、ガイダンスアプリケーションは、ウェブブラウザによってアクセスされるウェブサイトとして提供されてもよい。別の実施例では、ガイダンスアプリケーションは、無線ユーザ通信デバイス用に縮小されてもよい。
【００４８】
システム４００では、典型的には、各種類のメディアデバイスが２つ以上存在するが、図面が複雑になり過ぎることを回避するように、それぞれ１つだけが図４に示されている。加えて、各ユーザは、２つ以上の種類のユーザ機器デバイスを利用し（例えば、ユーザはテレビセットおよびコンピュータを有してもよい）、また各種類のメディアデバイスを２つ以上利用してもよい（例えば、ユーザはＰＤＡおよび携帯電話および／または複数のテレビセットを有してもよい）。
【００４９】
ユーザはまた、家庭内デバイスおよび遠隔デバイスにわたって一貫したメディアガイダンスアプリケーション設定を維持するように、種々の設定を設定してもよい。設定は、本明細書で説明される設定、ならびに、お気に入りのチャンネルおよび番組、番組を推奨するためにガイダンスアプリケーションが利用する番組選好、表示選好、および他の望ましいガイダンス設定を含む。例えば、ユーザが、オフィスのパソコンで、例えば、ウェブサイトｗｗｗ．ｔｖｇｕｉｄｅ．ｃｏｍの上で、チャンネルをお気に入りとして設定した場合、所望であれば、同じチャンネルが、ユーザの家庭内デバイス（例えば、ユーザテレビ機器およびユーザコンピュータ機器）、ならびにユーザのモバイルデバイス上でお気に入りとして表示される。したがって、同じまたは異なる種類のユーザ機器デバイスであるか否かにかかわらず、１つのユーザ機器デバイス上で行われる変更は、別のユーザ機器デバイス上のガイダンス体験を変更することができる。さらに、行われる変更は、ユーザによる設定入力、ならびにガイダンスアプリケーションによって監視されるユーザ活動に基づいてもよい。
【００５０】
メディアデバイスは、通信ネットワーク４１４に連結されてもよい。すなわち、ユーザテレビ機器４０２、ユーザコンピュータ機器４０４、および無線ユーザ通信デバイス４０６は、それぞれ、通信経路４０８、４１０、および４１２を介して、通信ネットワーク４１４に連結される。通信ネットワーク４１４は、インターネット、携帯電話ネットワーク、モバイルデバイス（例えば、Ｂｌａｃｋｂｅｒｒｙ）ネットワーク、ケーブルネットワーク、公衆交換電話ネットワーク、または他の種類の好適な通信ネットワーク、あるいは通信ネットワークの組み合わせを含む、１つ以上のネットワークであってもよい。ＢＬＡＣＫＢＥＲＲＹは、Ｒｅｓｅａｒｃｈ  Ｉｎ  Ｍｏｔｉｏｎ  Ｌｉｍｉｔｅｄ  Ｃｏｒｐ．によって所有されるサービスマークである。経路４０８、４１０、および４１２は、別個または一緒に、衛星経路、光ファイバ経路、ケーブル経路、インターネット通信をサポートする経路（例えば、ＩＰＴＶ）、フリースペース接続（例えば、放送または他の無線信号用）、あるいは任意の他の好適な有線または無線通信経路、もしくはそのような経路の組み合わせ等の、１つ以上の通信経路を含んでもよい。経路４１２は、図４に示された例示的実施形態において、無線経路であることを示すように破線で描かれ、経路４０８および４１０は、有線経路であることを示すように実線で描かれている（しかし、これらの経路は、所望であれば有線および／または無線経路であってもよい）。ユーザ機器デバイスとの通信は、これらの通信経路のうちの１つ以上によって提供されてもよいが、図４では、図面が複雑になり過ぎることを回避するように、単一経路として示されている。
【００５１】
メディアデバイスの間には通信経路が描かれていないが、これらのデバイスは、経路４０８、４１０、および４１２に関連して上記で説明されるもの、ならびにＵＳＢケーブル、ＩＥＥＥ  １３９４ケーブル、無線経路（例えば、Ｂｌｕｅｔｏｏｔｈ（登録商標）、赤外線、ＩＥＥＥ  ８０２−１１ｘ等）等の他の短距離ポイントツーポイント通信経路、あるいは有線または無線経路を介した他の短距離通信等の通信経路を介して、相互に直接通信してもよい。ＢＬＵＥＴＯＯＴＨは、Ｂｌｕｅｔｏｏｔｈ（登録商標）  ＳＩＧ，ＩＮＣ．によって所有される認証マークである。ユーザ機器デバイスは、通信ネットワーク４１４を介した間接的経路を通して、直接相互に通信してもよい。
【００５２】
システム４００は、それぞれ通信経路４２０および４２２を介して通信ネットワーク４１４に連結される、メディアコンテンツソース４１６およびメディアガイダンスデータソース４１８を含む。経路４２０および４２２は、経路４０８、４１０、および４１２に関して上記で説明される通信経路のうちのいずれかを含んでもよい。メディアコンテンツソース４１６およびメディアガイダンスデータソース４１８との通信は、１つ以上の通信経路を介して交信されてもよいが、図４では、図面が複雑になり過ぎることを回避するように、単一経路として示されている。加えて、メディアコンテンツソース４１６およびメディアガイダンスデータソース４１８のそれぞれが２つ以上あってもよいが、図４では、図面が複雑になり過ぎることを回避するように、それぞれ１つだけが示されている。（これらのソースのそれぞれの異なる種類を以下で論議する）。所望であれば、メディアコンテンツソース４１６およびメディアガイダンスデータソース４１８は、１つのソースデバイスとして統合されてもよい。ソース４１６および４１８と、メディアデバイス４０２、４０４、および４０６との間の通信は、通信ネットワーク４１４を通したものとして示されているが、いくつかの実施形態では、ソース４１６および４１８は、経路４０８、４１０、および４１２に関連して上記で説明されるもの等の通信経路（図示せず）を介して、メディアデバイス４０２、４０４、および４０６と直接通信してもよい。
【００５３】
メディアコンテンツソース４１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のメディアコンテンツプロバイダを含む、１つ以上の種類のメディア配信機器を含んでもよい。ＮＢＣは、Ｎａｔｉｏｎａｌ  Ｂｒｏａｄｃａｓｔｉｎｇ  Ｃｏｍｐａｎｙ，Ｉｎｃ．によって所有される商標であり、ＡＢＣは、ＡＢＣ，ＩＮＣ．によって所有される商標であり、ＨＢＯは、Ｈｏｍｅ  Ｂｏｘ  Ｏｆｆｉｃｅ，Ｉｎｃ．によって所有される商標である。メディアコンテンツソース４１６は、メディアコンテンツの発信元であってもよく（例えば、テレビ放送会社、ウェブキャストプロバイダ等）、またはメディアコンテンツの発信元でなくてもよい（例えば、オンデマンドメディアコンテンツプロバイダ、ダウンロード用放送番組のビデオコンテンツのインターネットプロバイダ等）。メディアコンテンツソース４１６は、ケーブルソース、衛星プロバイダ、オンデマンドプロバイダ、インターネットプロバイダ、または他のメディアコンテンツプロバイダを含んでもよい。メディアコンテンツソース４１６はまた、ユーザ機器デバイスのうちのいずれかから遠隔の場所にある、異なる種類のメディアコンテンツ（ユーザによって選択されるビデオコンテンツを含む）を記憶するために使用される、遠隔メディアサーバを含んでもよい。メディアコンテンツの遠隔記憶のため、および遠隔に記憶されたメディアコンテンツをユーザ機器に提供するためのシステムおよび方法は、その全体を参照することによって本明細書に組み込まれる、１９９９年６月１１日出願のＥｌｌｉｓらの米国特許出願第０９／３３２，２４４号に関連して、さらに詳細に論議されている。
【００５４】
メディアガイダンスデータソース４１８は、メディア一覧、メディア関連情報（例えば、放送時間、放送チャンネル、メディアのタイトル、メディア内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度等）、広告情報（例えば、テキスト、画像、メディアクリップ等）、オンデマンド情報、および、ユーザが所望のメディア選択間でナビゲートし、検索するために役立つ、任意の他の種類のガイダンスデータ等のメディアガイダンスデータを提供してもよい。
【００５５】
メディアガイダンスアプリケーションデータは、任意の好適なアプローチを使用して、メディアデバイスに提供されてもよい。いくつかの実施形態では、ガイダンスアプリケーションは、データフィード（例えば、連続フィード、トリクルフィード、またはチャンネルの垂直帰線消去間隔内のデータ）を介して番組ガイドデータを受信する、独立型双方向テレビ番組ガイドであってもよい。番組スケジュールデータおよび他のガイダンスデータは、テレビチャンネルのサイドバンド上で、テレビチャンネルの垂直帰線消去間隔内で、帯域内デジタル信号を使用して、帯域外デジタル信号を使用して、または任意の他の好適なデータ伝送技術によって、メディアデバイスに提供されてもよい。番組スケジュールデータおよび他のガイダンスデータは、複数のアナログまたはデジタルテレビチャンネル上でメディアデバイスに提供されてもよい。番組スケジュールデータおよび他のガイダンスデータは、任意の好適な頻度で（例えば、連続して、毎日、ユーザ指定期間で、システム指定期間で、メディアデバイスからの要求に応じて等）メディアデバイスに提供されてもよい。いくつかのアプローチでは、メディアガイダンスデータソース４１８からのガイダンスデータは、クライアントサーバアプローチを使用して、ユーザのメディアデバイスに提供されてもよい。例えば、ユーザのメディアデバイス上に存在するガイダンスアプリケーションクライアントは、必要な時にガイダンスデータを取得するように、ソース４１８とのセッションを開始してもよい。メディアガイダンスデータソース４１８は、メディアデバイス４０２、４０４、および４０６に、メディアガイダンスアプリケーション自体、またはメディアガイダンスアプリケーションのソフトウェア更新を提供してもよい。
【００５６】
メディアガイダンスアプリケーションは、例えば、メディアデバイス上に実装される独立型アプリケーションであってもよい。他の実施形態では、メディアガイダンスアプリケーションは、クライアントがメディアデバイス上に常駐する場合のみ、クライアントサーバアプリケーションであってもよい。例えば、メディアガイダンスアプリケーションは、部分的にメディアデバイス３００の制御回路３０４上のクライアントアプリケーションとして、および部分的に遠隔サーバ上のサーバアプリケーションとして（例えば、メディアガイダンスデータソース４１８）、実装されてもよい。ガイダンスアプリケーション表示は、メディアガイダンスデータソース４１８によって生成され、メディアデバイスに伝送されてもよい。メディアガイダンスデータソース４１８はまた、メディアデバイス上での記憶のためにデータを伝送してもよく、次いで、メディアデバイスは、制御回路によって処理される命令に基づいて、ガイダンスアプリケーション表示を生成する。
【００５７】
メディアガイダンスシステム４００は、いくつかのアプローチ、またはネットワーク構成を例示することを目的としており、これによって、メディアデバイスならびにメディアコンテンツおよびガイダンスデータのソースは、メディアにアクセスし、メディアガイダンスを提供する目的で、相互に通信してもよい。本発明は、これらのアプローチのいずれか１つまたは一部において、またはメディアを送達し、メディアガイダンスを提供するための他のアプローチを採用するシステムにおいて、適用されてもよい。以下の３つのアプローチは、図４の一般化実施例の具体的例示を提供する。
【００５８】
１つのアプローチでは、メディアデバイスは、ホームネットワーク内で相互に通信してもよい。メディアデバイスは、上記で説明される短距離ポイントツーポイント通信方式を介して、ホームネットワーク上に提供されるハブまたは他の類似デバイスを通した間接経路を介して、あるいは通信ネットワーク４１４を介して、直接相互に通信することができる。１つの家庭内の複数の個人のそれぞれが、ホームネットワーク上の異なるメディアデバイスを操作してもよい。結果として、種々のメディアガイダンス情報または設定が、異なるメディアデバイス間で伝達されることが望ましくてもよい。例えば、２００５年１１月１０日公開のＥｌｌｉｓらの米国特許出願公開第２００５−０２５１８２７号でさらに詳細に説明されているように、ホームネットワーク内の異なるメディアデバイス上で、ユーザが一貫したメディアガイダンスアプリケーション設定を維持することが望ましくてもよい。ホームネットワーク内の異なる種類のメディアデバイスはまた、メディアコンテンツを伝送するように相互に通信してもよい。例えば、ユーザは、ユーザコンピュータ機器から携帯用ビデオプレーヤまたは携帯用音楽プレーヤにメディアコンテンツを伝送してもよい。
【００５９】
第２のアプローチでは、ユーザは、複数の種類のメディアデバイスを有してもよく、これによって、メディアコンテンツにアクセスしてメディアガイダンスを取得する。例えば、一部のユーザは、家庭内およびモバイルデバイスによってアクセスされる、ホームネットワークを有してもよい。ユーザは、遠隔デバイス上に実装されるメディアガイダンスアプリケーションを介して、家庭内デバイスを制御してもよい。例えば、ユーザは、オフィスのパーソナルコンピュータ、あるいはＰＤＡまたはウェブ対応携帯電話等のモバイルデバイスを介して、ウェブサイト上のオンラインメディアガイダンスアプリケーションにアクセスしてもよい。ユーザは、オンラインガイダンスアプリケーション上で種々の設定（例えば、録画、リマインダ、または他の設定）を設定して、ユーザの家庭内機器を制御してもよい。オンラインガイドは、直接、またはユーザの家庭内メディアデバイス上のメディアガイダンスアプリケーションと通信することによって、ユーザのメディアデバイスを制御してもよい。メディアデバイスが相互から遠隔の場所にある、メディアデバイスの通信のための種々のシステムおよび方法は、例えば、参照することによってその全体が本明細書に組み込まれる、２００５年２月３日公開のＥｌｌｉｓらの米国特許出願公開第２００５−００２８２０８号で論議されている。
【００６０】
第３のアプローチでは、家庭内外のメディアデバイスのユーザは、メディアコンテンツソース４１６と直接通信してメディアコンテンツにアクセスするために、メディアガイダンスアプリケーションを使用することができる。具体的には、家庭内では、ユーザテレビ機器４０４および無線ユーザ通信デバイス４０６のユーザは、メディアガイダンスアプリケーションにアクセスし、望ましいメディアコンテンツ間でナビゲートし、検索してもよい。ユーザはまた、無線ユーザ通信デバイス４０６を使用して、家庭外のメディアガイダンスアプリケーションにアクセスし、望ましいメディアコンテンツ間でナビゲートし、検索してもよい。
【００６１】
メディアコンテンツの論議は、ビデオコンテンツを中心としているが、メディアガイダンスの原則は、音楽、画像等の他の種類のメディアコンテンツに適用できることが理解されるであろう。
【００６２】
いくつかの実施形態において、メディアデバイスは、自動的にユーザを検出および識別可能であってもよい。デバイスは、検出および／または識別されたユーザをデバイスにログオンさせ、ユーザに関連付けられたプロファイルおよび／または情報を利用して、例えば、ログインしたユーザに対してメディアコンテンツを調整してもよい。いくつかの実施形態において、デバイスは、自動的に２人以上のユーザを検出、識別、およびログイン可能であってもよい。これによって、デバイスは、例えば、複数ユーザからの手動入力を必要とせずに、ログインしたユーザの組み合わせに対してメディアコンテンツを調整することができる。１人以上のユーザの検出前、検出中、および検出後にデバイスが実行し得るアクションは、例えば、以下に記載の構成メニュー画面を通して構成され得る。
【００６３】
図５は、本明細書に記載のシステムおよび方法のいくつかの実施形態による、複数ユーザの使用およびアクセス構成メニュー画面５００の例示的表示である。画面５００は、検出構成５１０、ユーザ承認／制限構成５２０、アクティブ複数ユーザポリシー構成５３０、および複数ユーザリマインダオプション５４０のオプションを含み得る。いくつかの実施形態において、画面５００は、図１のオプション領域１２６を通して、または任意の好適な方法によってアクセスされてもよい。いくつかの実施形態において、構成オプションは、構成を実行するユーザ、任意の他の好適なユーザ、ローカルデバイス、または任意の他の好適なデバイスに対して構成されてもよい。構成オプション選択は、任意の好適な場所、例えば、図３の記憶装置３０８ならびに／または任意の他の好適なデバイスおよび／もしくはサーバに記憶されてもよい。いくつかの実施形態において、オプション選択は、例えば選択を各ユーザプロファイルに関連付けることによって、任意の好適なユーザに関連付けられ、および／または適用されてもよい。
【００６４】
画面５００は、図１の広告１２４と同じまたは同様の機能性を有してもよい広告５５０を含んでもよい。広告５５０は、画面５００内の任意の好適な場所に配置されてもよい。加えて、または代替として、メディアに複数ユーザの使用およびアクセス機能を提供するソフトウェアアプリケーションのスポンサーを識別するロゴ５６０が表示されてもよい。ビデオ領域１２２と同様の機能性を有してもよいビデオウィンドウ５７０もまた、表示されてもよく、画面５００内の任意の好適な場所に配置されてもよい。
【００６５】
ユーザは、複数ユーザの使用およびアクセス構成メニュー画面５００にアクセスして、ユーザ機器デバイスの機能性ならびに自動複数ユーザ検出および使用に関連した個人ユーザ選好を設定してもよい。ユーザは、任意のローカルまたは遠隔デバイスから、画面５００にアクセスしてもよい。例えば、ユーザは、ＰＤＡまたは任意の他の好適なモバイルデバイスを使用して、遠隔ウェブサイトから画面５００にアクセスしてもよい。いくつかの実施形態において、ユーザは、ベンダー（例えば、ＴＶＧｕｉｄｅ．ｃｏｍ）のウェブサイトにアクセスすることによって、複数ユーザの使用およびアクセスの機能性（以下で詳細に論議される）を構成してもよい。構成は、必要に応じて、自動的におよび／または手動で、ウェブサイトからユーザの家庭内機器にダウンロードされてもよい。ユーザはまた、図４のユーザテレビ機器４０２を使用してローカルで画面５００にアクセスし、複数ユーザの使用およびアクセスの機能性を構成してもよい。
【００６６】
いくつかの実施形態において、ユーザは、検出構成５１０を通して（例えば、ユーザが自動的に検出される様式の構成）、デバイス（複数を含む）の複数ユーザの使用およびアクセスの機能性を少なくとも部分的に構成してもよい。例えば、ユーザは、例えば、検出回路３０７を使用して、ユーザ機器デバイスによって自動的に識別されてもよい。続いて、ユーザは、そのユーザ機器デバイスまたは別のユーザ機器デバイスのアクティブユーザとみなされてもよい。バイオメトリック認識およびユーザと関連付けられたデバイスの認識を含むがこれらに限定されない、デバイスがユーザを識別し得る多くの方法が存在する。さらに、ユーザが識別されデバイスのアクティブユーザとみなされると、ユーザ機器デバイスが行い得るアクションの多くの工程がある。ユーザは、例えば、図６の検出構成画面６００を通して、これらの方法およびオプションを構成してもよい。検出構成画面６００は、図５の画面５００内の検出認識構成オプション５１０の選択によって、ユーザによってアクセスされてもよい。
【００６７】
検出構成画面６００は、検出領域認識構成オプション６１０、認識認識構成オプション６２０、およびユーザ検出後認識構成オプション６３０を含んでもよい。
【００６８】
検出領域認識構成オプション６１０は、ユーザが近接しているおよび／または領域内にいる場合、ユーザがメディアデバイスのアクティブユーザとみなされるように、ユーザが近接性および／またはメディアデバイスの近くの領域を画定することを可能としてもよい。例えば、ユーザは、検出領域の境界を画定してもよく、例えば、画定された境界内では、ユーザは、関連付けられたデバイスにおいてアクティブユーザとみなされ、それ以外では、ユーザは関連付けられたデバイスにおいてアクティブユーザとみなされない。例えば、ユーザが第１のデバイスの前に座り、構成された領域内で検出された場合、ユーザは、例えばユーザの個人設定がユーザに利用可能であるように、自動的にデバイスにログインされてもよい。
【００６９】
いくつかの実施形態において、検出回路３０７は、ユーザの動きを追跡することが可能であってもよく、および／または、例えば検出構成画面６００を使用して、ユーザの動きを追跡するように構成されてもよい。例えば、検出回路３０７は、ユーザの軌道を決定することが可能であってもよい。上述のように、検出回路３０７は、任意の好適な方法を用いて、ユーザの動きを追跡してもい。検出するメディアデバイスは、軌道情報を別の好適なメディアデバイスに伝達してもよい。例えば、他のメディアデバイスが、ユーザの動きの経路内にあってもよい。追跡されているユーザが他のメディアデバイスに向かっている可能性があるという情報があれば、他のメディアデバイスは先制して他のメディアデバイスを起動し、および／または追跡されているユーザのプロファイルをユーザの到着を予期してプレロードしてもよい。これによって、例えば、ユーザが他のメディアデバイスの検出領域に入った後に経験する、設定、ロード、および／またはログイン時間を最小化することができる。
【００７０】
いくつかの実施形態において、メディアデバイスは、ユーザの動きのパターンを、特定のアクションに関連付けてもよい。例えば、メディアデバイスは、特定ユーザが、デバイスの検出領域をデバイスに対して約４５度の角度で退去した後、離れた部屋の別のメディアデバイスの検出領域に入ることが多いことを検出してもよい。したがって、ユーザがデバイスの検出領域を約４５度の角度で退去したことが検出された場合、デバイスは、他のメディアデバイスに、ユーザがまもなく他のメディアデバイスの検出領域内に到着する可能性があるという情報を提供し得る。
【００７１】
別の例として、メディアデバイスは、特定のユーザが居間のソファを周回して検出領域を退去した場合、ユーザはデバイスの検出領域を３０分以内の時間一時的に退去することが多いことを検出してもよい。したがって、ユーザが居間のソファを周回した後デバイスの検出領域を退去したことが検出された場合、デバイスは、他のアクティブユーザがデバイスの場所にいない限り、ユーザが３０分以内に復帰する可能性が最も高いことを予期して、シャットダウンするのではなく一時的にスリープモードに入ってもよい。加えて、または代替として、メディアデバイスの場所に他のアクティブユーザがいる場合、デバイスは、標的化メディアコンテンツおよび／またはお勧めのメディアコンテンツを、残っているユーザに応じて調節してもよい。例えば、デバイスは、残っているユーザが楽しむと思われるが、退去した（および３０分以内に戻ってくる可能性のある）ユーザは楽しまないと思われる３０分未満のショートフィルムを推奨してもよい。ユーザがメディアコンテンツを楽しむと思われるか楽しまないと思われるかの決定は、以下で詳細に論議する。
【００７２】
いくつかの実施形態において、メディアデバイスは、検出されたユーザの動きを任意の好適な場所、例えば、ローカルまたは遠隔の場所に記憶してもよい。いくつかの実施形態において、記憶されたユーザの動きは、任意の好適な様式で、記憶された動きの後の各ユーザのアクションと相関されてもよい。相関データは、特定のユーザの今後の動きの確率を定義するために使用することができる。例えば、任意の好適なパターン認識技術を利用して、ユーザ（複数を含む）が過去に特定の動きのパターンを示したか否かを決定することができる。さらに、任意の好適なパターン認識を使用して、ユーザ（複数を含む）が、特定された過去の動きのパターンのうちの少なくとも１つを示すと思われるか否かを、リアルタイムで（例えば、ユーザが動いている最中である時に）決定することができる。１つの動きから別の動きにかけて動きのパターンに若干の変動があると思われるが、強固なパターン認識技術は、これらの変動に対応することができ、対応する動きのパターンを正確に決定することができるはずである。
【００７３】
いくつかの実施形態において、ユーザの動きに関する相関データは、メディアデバイスの他のユーザに対して外挿されてもよい。例えば、特定のデバイスの検出領域内に複数ユーザが検出され得る。複数ユーザのうち、１人のみが特定のデバイスを定期的に利用する。したがって、特定のデバイスは、特定のデバイスにおけるいつものユーザに関連付けられた多くの動きのパターンを特定した可能性がある。逆に、特定のデバイスは、該当する場合は、特定デバイスにおける他のユーザに関連付けられた最小限の動きのパターンを特定した可能性がある。特定のデバイスを定期的に使用するユーザが、通常、特定の動きのパターンを示してから第２のメディアデバイスに移動する場合、特定のデバイスは、そのデバイスが動きの情報を殆ど有さない他のユーザが、同じ挙動および後続のアクションを示す可能性があると推定し得る。したがって、他のユーザがいつものユーザと同じ動きのパターンを示す場合、メディアデバイスは、いつものユーザが基準となる動きのパターンを示すときには、他のユーザがいつものユーザと同じアクションを実行すると思われると決定し得る。
【００７４】
いくつかの実施形態において、メディアデバイス（複数を含む）は、ユーザが比較的アクティブまたは比較的静的であることを決定し得る。例えば、メディアデバイスは、ユーザが比較的短い期間内で複数のメディアデバイス間を移動していることを決定し得る。これは、ユーザが家を掃除している最中であり、ユーザが短い期間にわたりいくつかの部屋を連続的に横切る必要がある場合に発生し得る（例えば、ユーザはメディアデバイスの検出領域内に１０分以内とどまる）。これは、比較的長期間、居間のソファに比較的静止した位置を維持するのと対照的である（例えば、ユーザは、３０分以上メディアデバイスの検出領域内にとどまる）。ユーザが１つ以上のメディアデバイスによって比較的アクティブであると決定される場合、メディアデバイスは、ユーザがデバイス間を移動する時に、ユーザがコンテンツへの比較的連続的なアクセスを維持し得るように、例えば複数メディアデバイスにわたるメディアコンテンツおよび／またはユーザプロファイルを同調させてもよい。
【００７５】
いくつかの実施形態において、検出構成画面６００を使用した検出領域の構成は、ユーザがメディアデバイスにおいて検出されるが、実際にはデバイスを使用する意図がない状況を回避し得る。例えば、ユーザは、デバイスから遠く離れた台所で調理している可能性があるが、ユーザがデバイスから遠くにいる場合、ユーザはおそらくデバイスを使用することを望まないにもかかわらず、デバイスはまだユーザの検出および識別が可能である。いくつかの実施形態において、検出領域の構成は、例えばディスプレイ３１２の視角に基づいてもよい。例えば、検出領域の境界は、各メディアデバイスのディスプレイの妥当な視角内にあるように制限され得る。いくつかの実施形態において、妥当な視角は、ユーザおよび／またはシステムオペレータによって手動で構成されてもよい。いくつかの実施形態において、妥当な視角は、ディスプレイに固有であってもよい。
【００７６】
いくつかの実施形態において、検出回路３０７は、ディスプレイの可視範囲内の物体を認識し、ユーザが物体の後ろにいる場合には、ユーザは各メディアデバイスでのアクティブユーザとみなされないように、検出領域を調節し得る。例えば、検出回路３０７は、ディスプレイの可視範囲内にある壁を認識し得る。したがって、メディアデバイスは、壁が検出領域の外にある、または検出領域の境界の一部であるように、検出領域を設定し得る。そのような実施形態において、壁の後ろにいる任意のユーザは、そのデバイスのアクティブユーザとみなされない。検出領域の構成はまた、関連付けられたデバイスのアクティブユーザとみなされる、検出領域内にユーザがいる可能性のある時間の長さの構成を含んでもよい。例えば、検出領域をただ歩いて通過しているユーザは、デバイスの利用を開始する意図を有さない可能性がある。そのような状況では、このユーザをアクティブユーザとみなすことは望ましくない可能性がある。
【００７７】
加えて、または代替として、検出領域構成は、デバイス使用のコンフリクトを回避してもよい。例えば、２つのデバイスは、互いに比較的密接している可能性がある。画定された検出領域がないと、デバイスの各検出領域が重複している場合、ユーザは、誤って両方のデバイスにおいてアクティブであると決定される可能性がある。いくつかの実施形態において、検出領域が重複することが望ましくてもよい。
【００７８】
いくつかの実施形態において、ユーザは、例えばボタン６１２を選択することによってメディアデバイスの検出領域を手動で構成してもよく、または、代替として、例えばボタン６１４を選択することによってデバイス（複数を含む）に自動的に領域を構成させてもよい。ボタン６１２が選択された場合、ユーザは、例えばユーザが当該領域内で検出された際にデバイスによってアクティブユーザとみなされたい領域を歩くことによって、手動で検出領域を構成してもよい。ボタン６１２の選択後、デバイスは、例えば手動構成モードに入ることができる。手動構成モードである間、ユーザは、例えば、ユーザが検出領域として設定したい領域を通過することができ、ユーザは、ユーザの現在位置が各デバイスの検出領域の一部であることを、言語によっておよび／または電子的に確定することができる。所望の検出領域外にいる場合、ユーザは、ユーザの現在位置が検出領域の一部ではないことを、言語によっておよび／または電子的に確定することができる。手動構成は、任意の好適な手段で行うことができる。
【００７９】
ボタン６１４が選択された場合、デバイスは、任意の好適な技術を使用して、例えば任意の好適な空間認識技術を使用して、検出領域を自動的に構成することができる。例えば、デバイスは、ソファがデバイスに面して位置していることを認識し得る。そのような場合、デバイスは、ソファをデバイスの検出領域に追加してもよい。ソファがデバイスから遠くに面して位置する場合、ソファは、デバイスの検出領域に追加されなくてもよい。いくつかの実施形態において、デバイスは、それ自体の検出領域または他のデバイスの検出領域に関する情報を、他のデバイスに伝達してもよい。これは、検出領域の構成を補助することができ、例えば、デバイスに検出領域コンフリクト（例えば、ユーザが特定の領域内にある時に２つ以上のデバイスがユーザをデバイス上でアクティブとして登録するような場合）を解消させることができる。
【００８０】
いくつかの実施形態において、検出領域は、リアルタイムで適応してもよい。例えば、モバイルデバイスは、他のメディアデバイスがモバイルデバイスの検出可能範囲内にない場合、特定の検出領域と関連付けられてもよい。モバイルデバイスが例えばテレビの検出可能範囲内に入った場合、モバイルデバイスおよびテレビは、各検出領域を互いに調和させてもよい。例えば、モバイルデバイスがテレビの検出可能範囲内にある時はいつでも、最初にメディアコンテンツを最初にテレビ上に提供することが望ましくなり得る。そのような実施形態において、例えば各デバイスの検出領域が重複した場合に、重複した検出領域内の任意のユーザがモバイルデバイスではなくテレビでアクティブとみなされるように、モバイルデバイスの検出領域は無効化されてもよい。
【００８１】
いくつかの実施形態において、例えば、一方の重複デバイスに別の重複デバイスよりも特定のアクションおよび／またはコンテンツが提供され得るように、重複した検出領域に優先度が付与されてもよい。例えば、ユーザは、モバイルデバイスおよびテレビの両方の検出領域内にいる可能性があり、ユーザがテレビ上のメディアコンテンツにアクセスしている間ユーザのモバイルデバイス上にテキストメッセージが提供されるのが望ましい可能性がある。したがって、重複する検出領域の状況において、テレビと比較してテキストメッセージのより高い優先度がモバイルデバイスに与えられてもよい。いくつかの実施形態において、任意の好適なアクションおよび／またはコンテンツに関して、優先度レベルは例えば検出構成画面６００において構成され得る。
【００８２】
検出領域が構成されたら、ユーザは、ボタン６１６を選択することによって、検出領域構成を試験してもよい。ユーザ、デバイス、および／または複数のデバイスは、任意の好適な技術を使用して検出領域構成を試験してもよい。例えば、ユーザは、任意の好適な量および時間に関して、構成された検出領域内および／または構成された検出領域外に自身を位置付け、各デバイスの検出および／またはユーザの識別が満足するものであるか否かを決定してもよい。
【００８３】
いくつかの実施形態において、ユーザは、例えば認識構成オプション６２０によって示されるように、検出回路３０７を使用して、メディアデバイス（複数を含む）がデバイスの検出領域内のユーザを検出、動きを追跡、および／または識別するためにどの技術を使用し得るかを構成してもよい。例えば、ユーザは、任意の好適なバイオメトリック認識技術、任意の好適なデバイス認識技術、任意の好適なレーダおよび／もしくはソナー認識技術、ならびに／または任意の他の好適な認識技術を使用して、ユーザを検出、動きを追跡、および／または識別するように、デバイス（複数を含む）を構成してもよい。いくつかの実施形態において、検出回路３０７は、任意の好適な画像処理、ビデオ処理、および／またはコンピュータビジョン技術および／または任意の他の好適な技術を利用して、ユーザを検出、動きを追跡、位置特定、および／もしくは識別し、ならびに／またはデバイスの検出可能範囲内のユーザに関する任意の他の好適な情報を決定してもよい。例えば、ユーザは、オプション６２２を選択することによってバイオメトリック認識能力を有効化してもよく、または、代替として、オプション６２４を選択することによってバイオメトリック認識能力を無効化してもよく、バイオメトリック技術は、図３に関連して上述した技術または任意の他の好適な技術のいずれかを含む。いくつかの実施形態において、ユーザは、デバイス認識を用いて、検出、追跡、および／または識別されてもよい。例えば、モバイルデバイス（例えば、携帯電話またはＲＦＩＤタグ）は、特定のユーザ（複数を含む）に関連付けられてもよい。
【００８４】
いくつかの実施形態において、モバイルデバイスがメディアデバイスの検出可能範囲内および／またはメディアデバイスの検出領域内にある場合、メディアデバイスは、任意の好適な識別法（例えば、ＲＦＩＤ、モバイルデバイスのメディアコントロールアクセスアドレスの検出、および／または任意の他の好適な識別法）によってモバイルデバイスを検出可能であってもよい。メディアデバイスがモバイルデバイスを識別した後、メディアデバイスは、次いで、例えばサーバおよび／またはローカル記憶装置からモバイルデバイスに関連付けられた情報を検索することによって、モバイルデバイスに関連付けられたユーザを識別してもよい。いくつかの実施形態において、モバイルデバイスは、関連付けられたユーザ（複数を含む）に関する情報を、メディアデバイスに転送してもよい。関連付けられたユーザ（複数を含む）に関する情報は、モバイルデバイスおよび／または遠隔サーバに記憶されてもよい。
【００８５】
いくつかの実施形態において、ユーザおよび／またはモバイルデバイスは、検出されるのみであってもよい（例えば、識別されない）。例えば、モバイルデバイスは、メディアデバイスの近くにある場合メディアデバイスとＢｌｕｅｔｏｏｔｈ（登録商標）通信を開始してもよい。Ｂｌｕｅｔｏｏｔｈ（登録商標）通信の検出に応じて、メディアデバイスは、ユーザがメディアデバイスに対して検出可能な距離内にあること、および／または、ユーザがメディアデバイスの検出領域内にいることを確実とし得る。いくつかの実施形態において、ユーザは、ボタン６２６を選択することによって、その構成を試験してもよい。ユーザが認識オプションのいずれかについてより多くの情報を必要とする場合、ユーザは、ボタン６２８を選択してより多くの情報を要求してもよい。
【００８６】
いくつかの実施形態において、ユーザは、ユーザ検出認識構成オプション６３０に示されるように、ユーザが検出された後にデバイスがどのアクションを実行するかに関連付けられたオプションを構成してもよい。例えば、デバイスは、デバイスの検出領域内のユーザの検出および／または識別に応じて、表示を自動的にオンにする、つまり有効化してもよい。いくつかの実施形態において、オンにする、つまり有効化するとは、例えば省電力のために使用され得る「スリープ」モードから解除されるが、スリープモードから解除された後に完全起動を必要としないデバイスを示し得る。代替として、デバイスはデバイスの検出領域内のユーザの検出および／または識別に応じて表示をオンにするオプションを提供してもよい。オプションは、ユーザを検出したデバイスまたはオンにされ得るデバイス上に、必ずしも表示される必要はないことに留意されたい。例えば、居間のテレビまたはユーザ個人のモバイルデバイスは、ユーザがその居間のテレビの検出領域に進入したことを検出してもよい。この検出に応じて、居間のテレビは、自動的にオンになるか、または、代替として、テレビをオンにするオプションを提供してもよく、オプションは、ユーザのモバイルデバイスまたはテレビ自体に提供される。
【００８７】
いくつかの実施形態において、デバイスがオンであり、アクティブユーザが検出されない場合、例えばエネルギーを節約するために、デバイスは無効化される（例えば、オフにされるか、または「スリープ」モードに移行される）。いくつかの実施形態において、無効化は、例えば省電力のために使用され得る「スリープ」モードに移行し、スリープモードから解除された時に完全起動を必要とないデバイス示し得る。スリープモードの間、デバイスは、アクティブまたは部分的にアクティブないくつかのコンポーネントを有し得る。例えば、処理回路３０６および検出回路３０７は、デバイスがスリープモードにある間、デバイスがデバイスの検出可能範囲内にいるユーザを検出能力を保持し得るように、実質的および／または部分的に活性な状態を維持してもよい。他のコンポーネントは、デバイスがスリープモードにある間、実質的に非アクティブであってもよい。例えば、デバイスがスリープモードにある間、ディスプレイ３１２およびスピーカ３１４は実質的に非アクティブであってもよい。デバイスがスリープモードから解除されると、ディスプレイ３１２およびスピーカ３１４は、デバイスが完全にアクティブであるように再び有効化される。
【００８８】
デバイスはまた、所定期間後にオフになり、ユーザ検出されないように構成されてもよい。例えば、デバイスは、デバイスが５分間ユーザを検出しない場合、オフになってもよい。ユーザの検出および／もしくは識別、ならびに／またはユーザがアクティブもしくは非アクティブであることの決定に応じたデバイスによるアクションは、オプション６３０の構成に依存する。いくつかの実施形態において、デバイスは、デバイスの利用を承認されたユーザに対し、オプション６３０において構成されたオプションのみを実行し得る。ユーザ承認およびアクセスは、以下でより詳細に論議される。
【００８９】
いくつかの実施形態において、画面６００は、検出構成に関連する全ての利用可能なオプションを有効化するのを可能にするためのオプション６５２を含んでもよい。画面６００はまた、検出構成に関連する全ての利用可能なオプションを無効化するためのオプション６５４を含んでもよい。オプション６５６は、ユーザが初期設定の検出認識構成オプションを容易に選択できるようにする、オプション６５８は、ユーザがその認識構成オプションを保存できるようにする。オプション６６０は、ユーザがその認識構成オプションに加えた任意の変更をキャンセルできるようにする。ユーザ構成の変更を行ったら、ユーザは、オプション６６２を選択して、構成の変更を完了および保存してもよい。ユーザがオプションのいずれかに関する追加情報を必要とする場合、ユーザは、オプション６６４を選択して、認識構成オプションに関する追加情報を要求してもよい。
【００９０】
いくつかの実施形態において、画面６００は、それぞれ図５のビデオウィンドウ５７０、ロゴ５６０、および広告５５０に実質的に類似し得るビデオウィンドウ６７０、ロゴ６８０、および広告６９０を含んでもよい。ビデオウィンドウ６７０、ロゴ６８０および広告６９０は、画面６００内の任意の好適な場所に任意の好適な構成で配置され得る。
【００９１】
いくつかの実施形態において、ユーザは、図５のユーザ承認／制限構成５２０を通して、特定のデバイス（複数を含む）から誰が承認および／または制限されるかを少なくとも部分的に構成してもよい。例えば、多くのユーザがデバイスによって検出され得るが、デバイスの所有者は、全ての検出されたユーザがデバイスにアクセスできるのを望まない可能性がある、または、他のユーザがデバイスへのアクセスを得た時に実行し得るアクションを制限したい可能性がある。一度ユーザがユーザ承認／制限構成５２０を選択したら、ユーザ承認／制限構成画面７００が表示され、ユーザがユーザ承認および制限オプションを構成できるようにしてもよい。ユーザ承認／制限構成画面７００は、既知のユーザアクセス構成セクション７１０、全般承認オプション７２０、およびログインオプション７３０を含んでもよい。
【００９２】
既知のユーザアクセス構成セクション７１０は、ユーザが、特定のまたは複数のデバイスに知られているユーザを検討し、ユーザに関連付けられたアクセス権を検討することができるようにしてもよい。例えば、図７によって示されるように、ユーザであるジョージがデバイスＡに知られている場合が考えらえる。ここで、ジョージのアクセスレベルは「最低」に設定されている。この設定は、ジョージがデバイスＡ上で実行し得る特定のアクションを制限し得る。例えば、ジョージは、デバイスＡに関連した様々な認識構成オプションを調整し、ローカルデータを閲覧または変更することができなくてもよい。いくつかの実施形態において、ユーザは、既知のユーザをデバイスへのいかなるアクセスからも完全にブロックしたい可能性がある。例えば、ユーザであるニューマンは、図７によって示されるように、デバイスＡに知られており、彼に関連付けられたアクセス設定は「ブロック」に設定されている。ブロックされた設定は、ユーザであるニューマンが、デバイスＡの任意の部分へのアクセスおよび／または修正を行うことができないようにし得る。
【００９３】
いくつかの実施形態において、ブロックされた設定は、ニューマンのデバイスと彼がブロックされるデバイスとの間のデバイス検出および／または識別を防止し得る。いくつかの実施形態において、ブロックされたユーザは、関連付けられたデバイスにログインすることができない。画面７００に示された追加のアクセスレベル設定は、「中」および「最高」のアクセスである。ユーザは、異なる利用可能なオプションを選択することによって、特定のユーザに関連付けられたアクセスレベルを変更してもよい。例えば、ジョージのアクセスレベルは、現在選択されている最低のオプション７１２の代わりに中のオプション７１４を選択することによって、十分なアクセスレベルを有するユーザによって変更されてもよい。４つの異なるレベルのアクセスのみが示されているが、任意の好適な数のレベルまたはデバイスに対するユーザのアクセスを提供または制限するための他の方法が、任意の好適な様式で使用および構成されてもよいことに留意されたい。いくつかの実施形態において、アクセス権表示は、ユーザが所有するデバイスに関連付けられても関連付けられていなくてもよい。
【００９４】
いくつかの実施形態において、全般承認オプション７２０が提供されてもよい。ここで、ユーザは、例えば、全ての既知のユーザおよび全ての未知のユーザに対する全般アクセスレベルを提供してもよい。図７によって示されるように、デバイスＡに対する現在の設定は、全ての未知のユーザが「ブロック」のアクセスレベルに設定されていることを示している。これは、例えば、全ての未知のユーザがデバイスＡに対するアクセスを拒否され得ることを意味し得る。例えば、デバイスＡを使用したことがないユーザは、デバイスＡの検出領域内に移動したとしても、デバイスＡに対するアクセスを自動的に拒否されてもよい。いくつかの実施形態において、選択されたオプションは、任意の好適なユーザ、例えば、検出されたユーザ、識別されたユーザ、および／または任意の好適なアクセスレベルを有するユーザ、または任意の他の好適なユーザに適用されてもよい。
【００９５】
いくつかの実施形態において、ログインオプション７３０が提供されてもよい。ここで、ユーザは、特定のイベントに応じて、デバイスが何のログインおよび認証手順を実行し得るかを構成してもよい。例えば、既知のユーザがデバイスＡによって検出された場合、またはデバイスＡの検出領域内にいる場合、ユーザはデバイスＡに自動的にログインされてもよく、このようにデバイスＡに対するアクセスおよびユーザの個人化設定をユーザに提供する。代替として、ダイアログボックスが提供されて、検出されたユーザを認証し、および／またはデバイスに対するユーザアクセス（一時的または任意の他の好適な種類のアクセス）を提供するオプションを、ユーザに提供してもよい。いくつかの実施形態において、ユーザがデバイスにとって未知である場合に、同様のダイアログボックスが提供されてもよい。既知または未知のユーザの認証は、十分なアクセス権を有する別のユーザおよび／またはそのユーザ自身によって提供されてもよい。いくつかの実施形態において、ユーザは、既知のユーザの追加オプション７３２を選択することによって、追加ユーザをデバイス上の既知のユーザ一覧に追加してもよい。例えば、これは、１人のユーザが、デバイス上で、他のユーザがデバイスによって検出される前に、先制して別のユーザを認証することができるようにしてもよい。いくつかの実施形態において、ユーザアクセス一覧は、１つのデバイスから別のデバイスにインポートされてもよい。
【００９６】
いくつかの実施形態において、画面７００は、図６の初期設定オプション６５６、保存オプション６５８、キャンセルオプション６６０、終了オプション６６２、情報オプション６６４、ビデオウィンドウ６７０、ロゴ６８０、および広告６９０とそれぞれ実質的に同様であってもよい初期設定オプション７５６、保存オプション７５８、キャンセルオプション７６０、完了オプション７６２、情報オプション７６４、ビデオウィンドウ７７０、ロゴ７８０、および広告７９０を含んでもよく、これらのそれぞれは、画面７００内の任意の好適な場所に任意の好適な構成で配置されてもよい。
【００９７】
いくつかの実施形態において、複数ユーザは、デバイスおよび／または複数のデバイスによって検出および／または識別されてもよく、したがって、複数ユーザは、同じデバイスのアクティブユーザとみなされてもよい。複数ユーザは、例えば、同じ時間に検出されてもよく、または、例えば、第１のユーザがデバイスをナビゲートし始めた後、および／または第１のユーザがメディアコンテンツにアクセスし始めた後のある時間に、第２のユーザが検出されてもよい。ここで、アクティブユーザは、デバイスの検出領域内におり、デバイスおよび／または任意の他の好適なデバイスによって検出領域内に検出され、デバイスおよび／または任意の他の好適なデバイスによって識別されるユーザを示し得る。いくつかの実施形態において、ユーザが検出および／または識別された後、ユーザは、デバイスのアクティブユーザの一覧に追加されてもよい。一覧は、デバイスならびに／または任意の他の好適なユーザおよび／もしくはシステムデバイスに記憶されてもよい。例えば、アクティブユーザ一覧は、ローカルデバイスおよび／または中央サーバに維持されてもよい。加えて、または代替として、検出および／または識別されたユーザは、デバイスにログインされてもよい。
【００９８】
いくつかの実施形態において、例えば、単一ユーザではなくデバイス（複数を含む）の全てのアクティブユーザに対しコンテンツを調整するように、複数ユーザの状況をに対応することが望ましくなり得る。例えば、単一デバイスでコンテンツにアクセスする複数ユーザおよび／または現在異なるデバイスで同じコンテンツにアクセスする複数ユーザが存在し得る。加えて、例えば、１人のアクティブユーザが一時的または永久的に非アクティブとなり、一方で異なるユーザがデバイスでアクティブのままである状況に対応することが望ましくなり得る。いくつかの実施形態において、ユーザは、図８のアクティブ複数ユーザポリシー構成画面８００を使用して、複数ユーザが各デバイス（複数を含む）でアクティブである場合にデバイス（複数を含む）が採り得る、これらおよび他のポリシーおよびアクションを少なくとも部分的に構成してもよい。画面８００は、図５のアクティブ複数ユーザポリシー認識構成オプション５３０のユーザ選択によってアクセスされてもよい。画面８００は、マージプロファイルオプション８１０、コンテンツ調整オプション８２０、ユーザ検出時オプション８３０、退去ユーザオプション８４０、および復帰ユーザオプション８５０を含んでもよい。
【００９９】
マージプロファイルオプション８１０は、デバイスでの各アクティブユーザに関連付けられたプロファイルがどのようにデバイスによって利用されるかをユーザが定義できるようにし得る。例えば、デバイスは、各ユーザに関連する情報を単一のプロファイルに組み合わせる、一時的または永久的マージプロファイルを形成してもよい。各ユーザに関連する情報は、人口統計学的情報（例えば、所得水準、勤務場所、家の場所、結婚暦、性別、年齢、信仰、障害、移動性、車の数、平均旅行時間、学業成績、持ち家、雇用状況等）、メディアコンテンツの使用傾向、閲覧および／もしくは傾聴時の習慣、購買の習慣、広告の閲覧および／もしくは選択の習慣、電子プログラムガイドの習慣、またはユーザ（複数を含む）に関する任意の他の好適な情報を含み得るが、これらに限定されない。プロファイルは、任意の好適な様式でマージされてもよい。例えば、ユーザプロファイル間のプロファイルコンフリクトは、各ユーザのプロファイル入力に関連付けられた平均値によって解消され得る。
【０１００】
いくつかの実施形態において、１つ以上のユーザプロファイルにおける値は、あるユーザのプロファイルに、他のユーザのプロファイルよりも、マージされたプロファイルにおいて多くの影響力を与えるように加重されてもよい。例えば、各メディアデバイスを所有するアクティブユーザの選好に、デバイスを所有しないユーザとは対照的に、マージされたプロファイルを決定する際により大きい重みが与えられてもよい。いくつかの実施形態において、デバイスの他のアクティブユーザよりも高い頻度または低い頻度で各メディアデバイスを利用するユーザに、マージされたプロファイルを決定する際により大きいまたはより小さい重みが与えられてもよい。いくつかの実施形態において、マージされたプロファイルを決定する際のユーザの選好の加重は、デバイスに対するユーザの近接性に関連付けられてもよい。例えば、第１のユーザが第２のユーザよりもメディアデバイスから遠くにいる場合、第２のユーザの選好に、マージされたプロファイルを決定する際により多くの重みが与えられてもよい。
【０１０１】
いくつかの実施形態において、プロファイルの違いは、投票メカニズムを使用して票決されてもよい。例えば、２人のアクティブユーザはチョコレートを好むが他のアクティブユーザは好まない場合、マージされたプロファイルは、アクティブユーザの全体の選好をチョコレートとして反映する。例えば、広告は、アクティブユーザのグループがチョコレートの選好を有することに基づいて標的化されてもよい。いくつかの実施形態において、デバイスのアクティブユーザのグループと比較して小数派である選好は、マージされたプロファイルに対する影響が僅かであるか、または影響しない。加えて、または代替として、アクティブユーザの選好が同位である場合（例えば、２人のユーザはチョコレートを好み、２人は好まない）、各マージされたプロファイル選好は、デバイスを所有するユーザに基づいて決定されてもよい。例えば、マージされたプロファイル選好は、所有者の初期設定の選考と同等化されてもよい。
【０１０２】
いくつかの実施形態において、マージされたプロファイルは、広告、メディアコンテンツ、またはメディアコンテンツに関連したアクション（例えば、メディアコンテンツへのアクセス、記録、購買、またはそれに関連したリマインダの設定を推奨する）または任意の他の好適なアクションを標的化および／または推奨するために使用されてもよい。マージされたプロファイルは、複数ユーザがアクティブであってもログインしたユーザ１人だけに対してアクションを標的化するのとは対照的に、広告をより良好に標的化し、および／または見ている全てのアクティブユーザに対しサービスを提供するのを補助し得る。いくつかの実施形態において、マージされたプロファイルの作成は、自動的であってもよく、または、代替として、デバイス、例えばデバイス３００が、マージされたプロファイルの作成操作の実行を進める許可を要求してもよい。例えば、ユーザは、プライバシーを考慮してマージされたプロファイルの作成に反対してもよい。
【０１０３】
いくつかの実施形態において、マージされたプロファイルは、別個に形成されなくてもよく、代わりに、またはそれに加えて、アクティブユーザのプロファイルの選択された部分が、例えば、広告および／またはサービスを標的化および／または提供するためにリアルタイムで票決されてもよい。デバイスの複数のアクティブユーザの任意の好適なアクションに関連する情報を使用して、マージされたプロファイルを動的に更新してもよい。例えば、第１および第２のユーザは、いずれかのユーザが互いに別個にデバイスを利用する場合よりも、特定セットのアクションを頻繁に実行してもよい。例えば、夫は１人でまたは友人といる間はアクション映画を鑑賞し得るが、妻と共にデバイスを使用する際はホームコメディを鑑賞し得る。マージされたプロファイルは、そのような情報を組み込むように修正されてもよく、したがって複数のアクティブユーザの特定のセットに対するコンテンツをより良好に調整することができる。代替として、またはそれに加えて、そのような情報は、ユーザの各プロファイルを更新するために利用されてもよい。プロファイルを更新するために使用されるアクションは、デバイス上で実行され得る任意の好適なアクションであってもよい。マージされたプロファイルに関連するデータは、任意の好適な長さの時間、任意の好適な場所に記憶されてもよい。これは、特定セットの複数ユーザが共に再びアクティブとなった際に、デバイスが過去のマージされたプロファイルを参照することができるようにしてもよい。
【０１０４】
コンテンツ調整オプション８２０は、調整し得るコンテンツの対象をユーザが設定できるようにしてもよく、調整されたコンテンツは、広告、メディアコンテンツ、もしくはメディアコンテンツに関連したアクション、または上述のような任意の他の好適なアクションの標的化および／または推奨を示し得る。例えば、ユーザは、そのコンテンツが特定のデバイスアクセスレベル、例えば最高アクセスレベルを有するユーザに対してのみ調整され得るように選択してもよい。代替として、またはそれに加えて、ユーザは、そのコンテンツが、全てのユーザ、最低および／もしくは中のアクセスレベル、または任意の他の好適なアクセスレベルの組み合わせを有するユーザ、あるいは任意の他の好適なユーザ（例えば、アクセスレベルとは無関係）に対して調整されることを選択してもよい。いくつかの実施形態において、ユーザは、何の種類のコンテンツが調整され得るかを選択してもよい（図８には示されていない）。例えば、ユーザは、メディアコンテンツ推奨はデバイスに対する最高アクセスを有するユーザに対してのみ標的化され得るが、全てのアクティブユーザに対し広告が調整されることを選択してもよい。
【０１０５】
いくつかの実施形態において、コンテンツの調整は、全てのユーザまたは選択されたユーザに関連付けられたコンテンツのリマインダを提供することを含んでもよい。選択されたユーザは、選択されたグループ内のユーザ、例えば、選択された年齢グループおよび／またはユーザアクセスレベルグループ内のユーザを含み得る。例えば、デバイスにおいて複数ユーザがアクティブであり、ユーザのうちの１人に関連付けられたリマインダが表示されることがスケジュールされている場合、そのユーザに関連付けられたリマインダが表示され得る。いくつかの実施形態において、リマインダは、現在のデバイス、リマインダが関連付けられているユーザに関連付けられたデバイス（例えば、ユーザのモバイルデバイス）、および／または任意の他の好適なデバイス上にリマインドに関連付けられたコンテンツを提供するオプションを含んでもよい。いくつかの実施形態において、リマインダは、関連付けられたコンテンツが他のアクティブユーザの選好とコンフリクトしない場合にのみ現れてもよい。代替として、またはそれに加えて、リマインダは、アクティブユーザの１人以上がリマインドされたコンテンツを楽しまない可能性があること、および／またはアクティブユーザのプロファイルの１つ以上がリマインドされたコンテンツとコンフリクトすることの警告を含んでもよい。例えば、リマインドされたコンテンツは、アクティブユーザのペアレンタルコントロール設定および／または他のプロファイル選好設定とコンフリクトし得る。いくつかの実施形態において、リマインダは、他のアクティブユーザのプロファイルがリマインドされたコンテンツと一致する場合には、そのユーザに対しコンテンツを推奨するメッセージを含んでもよい。例えば、リマインドされたコンテンツはアクション映画であってもよく、全てのアクティブユーザのプロファイルが、彼らがアクション映画を楽しむことを示し得る。したがって、例えば、「ユーザ１によってアクション映画１に対するリマインダが設定されました。ユーザ２がこの映画を楽しむ可能性は７６％です。」と示す標示が、リマインダに含まれてもよい。いくつかの実施形態において、確率値は、任意の好適な数値的または図形的表現に変換されてもよい。例えば、７６％は、リマインダにおいて、４つの星のうちの３つの星によって表現されてもよい。
【０１０６】
アクティブユーザがおそらくリマインドされたコンテンツを好むかまたは好まないかを決定するために、確率値が決定され得る。例えば、確率値は、特定のエンターテイメントのジャンルをユーザがどの程度好むか、または好まないかを示す、各ユーザのプロファイル内の値に基づいて、およびリマインドされたコンテンツ特性に基づいて決定されてもよい。例えば、ユーザのプロファイルが、ユーザが一般にアクション映画を楽しみ、一般にコメディを好まないことを示している場合、新たなアクション映画に関する確率値は、ユーザがおそらく新たなアクション映画を楽しむであろうことを示してもよい。逆に、新たなコメディに関する確率値は、ユーザがおそらく新たなコメディを楽しまないであろうことを示してもよい。確率値は、任意の好適な様式で計算されてもよく、例えば、値は、各ユーザのプロファイル内の任意の好適なパラメータ、ユーザのコンテンツアクセス履歴、ユーザの友人もしくは家族のプロファイルもしくは履歴、人口統計学的分類、同様のプロファイルもしくは履歴を有するユーザ、または任意の他の好適なパラメータに基づいてもよい。いくつかの実施形態において、特定の俳優および／もしくは女優、ジャンル、番組の種類、またはユーザ（複数を含む）の現在の気分に関連付けられた選好、あるいは任意の他の好適な選好および／あるいはユーザのプロファイルの態様を、ユーザが手動で設定してもよく、またはメディアデバイスが自動的に設定してもよい。メディアコンテンツに対するユーザの選好を決定するための種々のシステムおよび方法は、例えば、参照することによってその全体が本明細書に組み込まれる、２００５年１２月２９日出願のＹａｔｅｓの米国特許出願第１１／３２４，２０２号で論議されている。
【０１０７】
いくつかの実施形態において、ユーザ選好は、異なるメディアデバイス間で変動し得る。例えば、ユーザは、１つのメディアデバイスからのユーザのプロファイルの詳細が、別のメディアデバイスに移動する際のメディアの利用可能性に影響することを望まない可能性がある。例えば、コンテンツを標的化し、および／または複数のメディアデバイスで楽しむ確率を決定する際に、ユーザのコンテンツアクセス履歴および／または任意の他の好適な選好のインジケータが、除外、包含、および／または修正されてもよい。例えば、ユーザは、ユーザの寝室およびホームオフィスにいる間は「Ｒ」指定映画によって傾倒しているが、ユーザの居間にいる間は「ＰＧ」指定映画のみを鑑賞する可能性がある。したがって、ユーザのコンテンツアクセス履歴のこの態様は、異なるメディアデバイスでの異なった楽しみの確率を決定するために使用され得る。例えば、ユーザがユーザの居間内でアクセスした「ＰＧ」指定映画は、ユーザがユーザの寝室および／またはホームオフィス内でメディアデバイスを利用している間は、標的化メディアコンテンツおよび／またはメディアコンテンツ推奨に影響しなくてもよい。その逆もまた可能である。例えば、ユーザがユーザの寝室および／またはホームオフィス内でアクセスした「Ｒ」指定映画は、ユーザがユーザの居間内でメディアデバイスを利用している間は、標的化メディアコンテンツおよび／またはメディアコンテンツ推奨に影響しなくてもよい。
【０１０８】
いくつかの実施形態において、ユーザの選好は、上述のような異なるデバイスでのコンテンツアクセス履歴に加え、またはその代替として、どのデバイスにユーザがアクセスするかに依存して異なるように修正および／または更新されてもよい。例えば、ユーザが殆ど使用することのないデバイスでユーザがコンテンツにアクセスする場合、アクセスされたコンテンツのプロパティは、例えば、ユーザが頻繁に利用するデバイスからユーザが同じコンテンツにアクセスした場合程大きくユーザの選好プロファイルの変更に影響しなくてもよい。加えて、または代替として、ユーザの選好は、ユーザと共にコンテンツにアクセスする人に依存して異なるように修正および／または更新されてもよい。例えば、第１のユーザが共にコンテンツにアクセスすることが殆どない第２のユーザと共に、第１のユーザがコンテンツにアクセスする場合、アクセスされたコンテンツのプロパティは、第１のユーザが共にコンテンツにアクセスすることが多い別のユーザと共に、ユーザが同じコンテンツにアクセスした場合程大きくユーザの選好プロファイルの変更に影響しなくてもよい。
【０１０９】
いくつかの実施形態において、リマインダは、自動的に設定されてもよく、任意の関連付けられたアクションが自動的に実行されてもよい。いくつかの実施形態において、リマインダ、関連付けられたアクション、および関連付けられたオプションは、コンテンツ調整オプション８２０で構成されてもよい。いくつかの実施形態において、リマインダ（複数を含む）は、関連付けられたユーザによって事前に設定されていてもよい。加えて、または代替として、リマインダは、メディアデバイスにおけるユーザが楽しむ可能性のあるコンテンツを推奨するサービスプロバイダによって、地頭的に生成されてもよい。いくつかの実施形態において、推奨されるコンテンツは、デバイスにおけるアクティブユーザの部分集合またはデバイスにおける全てのユーザに向けられてもよい。いくつかの実施形態において、推奨されるコンテンツまた、上述の確率値を利用することによって決定されてもよい。自動的に生成されたリマインダは、特定のリマインダが生成された理由に関する情報を含んでもよい。例えば、リマインダは、「ＶＯＤプログラム１のリマインダが自動的に生成されました。以前に放送番組１をお楽しみいただいたことが示されたため、アクティブユーザ１およびユーザ２に生成されました。」と述べてもよい。
【０１１０】
いくつかの実施形態において、ユーザのデバイス、例えばデバイス３００は、新たなアクティブユーザが検出および／または識別された際に、ペアレンタルコントロールチェックを実行してもよい。例えば、母親および父親が成人向けコンテンツの映画を楽しんでいる間に、彼らの幼い子供が子供の親に知られずに成人向けコンテンツを表示しているデバイスの閲覧距離内を歩いている可能性がある。そのような状況において、デバイス３００は、幼い子供をデバイス３００のアクティブユーザとして登録し、子供のペアレンタルコントロール設定を表示された映画と比較し、ペアレンタルコントロールコンフリクトが検出された場合すぐに子供が成人向けコンテンツを閲覧するのを防止する。ペアレンタルコントロールコンフリクトは、コンテンツの特性とユーザに関連付けられたペアレンタルコントロール設定との間のいかなる不一致であってもよい。例えば、ユーザに関連付けられたペアレンタルコントロール設定は、ユーザが「ＰＧ」より高い指定を有する任意の映画を見てはいけないことを規定してもよい。そのような状況において、ユーザは、例えば、指定「ＰＧ−１３」コンテンツが表示されている間にユーザがデバイスでアクティブとなった場合、ペアレンタルコントロールコンフリクトを生成し得る。いくつかの実施形態において、コンフリクトしたユーザは、例えば、ユーザがデバイスによって検出された際にデバイスをシャットダウンする、表示される映画を変更する、編集バージョンの映画を自動的に表示する、および／または映画を実質的に隠すようなウィンドウを提供することによって、コンテンツの閲覧が防止され得る。
【０１１１】
いくつかの実施形態において、ユーザは、デバイスペアレンタルコントロールコンフリクト応答アクションを、検出後オプションメニュー８３０内のペアレンタルコントロールオプション８３２で構成してもよい。オプション８３２を使用して、ユーザは、コンテンツを提供しているデバイスの近くでユーザが検出および／または識別された場合に、ユーザ（例えば、全てのユーザ、選択されたユーザ等）のペアレンタルコントロールが、コンフリクトについて提供されたコンテンツと比較されるか否かを選択してもよい。いくつかの実施形態において、ユーザは、コンフリクトが検出された場合、デバイスがどのアクションを行い得るかを選択してもよい。例えば、ユーザは、デバイスがシャットダウンする、提供コンテンツを変更する、ならびに／またはシャットダウンするおよび／もしくは提供コンテンツを変更するオプションを提供するように構成してもよい。いくつかの実施形態において、シャットダウンおよび／または提供コンテンツを変更するオプションは、コンテンツとコンフリクトするユーザがコンテンツを閲覧することができないように、いかなる表示されたコンテンツも実質的に隠すような様式で表示されてもよい。加えて、または代替として、コンフリクトが検出されたらコンテンツに関連付けられたいかなる音も自動的に消音され、ユーザがそのペアレンタルコントロール設定とコンフリクトするいかなるコンテンツも聞かないようにしてもよい。
【０１１２】
いくつかの実施形態において、コンフリクト検出後に音量が実質的に低下されてもよい。音量低下量は、コンフリクトしたユーザがコンテンツを提供しているデバイスからどれ程離れているかに関連付けられてもよい。例えば、コンフリクトしたユーザがデバイスから比較的遠くにいる場合、ユーザがコンフリクトしているコンテンツを聞かないようにするために、音量は、ユーザがデバイスから比較的近くにいる場合程低下される必要がなくてもよい。いくつかの実施形態において、ユーザは、ペアレンタルコントロールオプションが適用され得るユーザを選択してもよく（図８には示されていない）、例えば、ユーザは、ペアレンタルコントロールオプションが全ての検出されたユーザに適用されるように選択してもよく、または、代替として、ユーザは、オプションが選択されたユーザもしくはユーザのグループ（例えば、年齢レベル、アクセスレベル）に適用されるように、または任意の他の好適な構成を選択してもよい。これらの認識構成オプションおよび任意の他の好適な認識構成オプションは、ペアレンタルコントロールオプション８３２で構成され得る。いくつかの実施形態において、コンフリクトを有するユーザは、コンフリクトをもたらすデバイスの検出領域内にいる必要はない。例えば、ユーザは、コンフリクトするコンテンツを提供しているデバイスの近くの任意の好適なデバイスによって検出されてもよい。
【０１１３】
いくつかの実施形態において、デバイス３００は、デバイスの新たなアクティブユーザに対し、以前にアクセスされたコンテンツを提供してもよい。例えば、デバイス上でユーザが以前に行っていた最後のアクションが、新曲のダウンロードであった場合、ユーザが他のデバイスでアクティブとなった際にその曲を聴くオプションがユーザに提供されてもよい。いくつかの実施形態において、関連付けられたユーザがデバイスでアクティブユーザとなった際に、最近ダウンロードされたメディアコンテンツの提供が自動的に継続されてもよい。いくつかの実施形態において、デバイスでユーザが以前に行っていた最後のアクションが、メディアコンテンツ、例えば映画へのアクセスであった場合、ユーザが映画に最後にアクセスしたポイントから映画の鑑賞を開始するオプションがユーザに提供されてもよい。代替として、メディアコンテンツは、すぐに再生を開始してもよい。いくつかの実施形態において、メディアコンテンツは、ユーザがコンテンツに最後にアクセスしたポイントとは異なるポイントで、例えば、コンテンツの始めから、またはそのポイントからある好適な時間だけ前または後に提供されてもよい。
【０１１４】
いくつかの実施形態において、ユーザは、以前にアクセスしたコンテンツオプション８３４によって、ユーザがデバイスで検出および／または識別された場合に、以前にアクセスされたコンテンツに関してデバイスが行い得るアクションを調整してもよい。例えば、ユーザは、以前にアクセスされたコンテンツを自動的に表示させるように選択してもよい。代替として、ユーザは、デバイスに、以前にアクセスされたコンテンツへのアクセスを、ユーザが最後にアクセスしたコンテンツ内のポイントから、またはコンテンツ内の任意の他の好適なポイントから継続するオプションを表示させるように選択してもよい。いくつかの実施形態において、これらのオプションおよび／またはアクションは、デバイスにおいてすでにアクティブであるアクティブユーザが存在する場合であっても、デバイスにおいて新しいアクティブユーザに対して提供されてもよい。いくつかの実施形態において、ユーザが最近検出されていたデバイス以外のデバイス上で、以前にアクセスされたコンテンツを継続するオプションが提供されてもよく、および／または、以前にアクセスされたコンテンツを、現在アクセスされているコンテンツが終了した後に提供されるように待ち行列に入れるオプションが提供されてもよい。代替として、これらのオプションは自動的に生じてもよい。
【０１１５】
いくつかの実施形態において、デバイスは、ユーザがデバイス上でもはやアクティブではない（例えば、ユーザがもはやデバイスの検出領域内にいない）ことが検出された場合、特定のアクションを行ってもよい。非アクティブ状態は、一時的であってもよく（例えば、ユーザが洗面所を使用するために短時間デバイスの検出領域を退去した場合）、または、より長期間であってもよい（例えば、ユーザがデバイスが置いてある家を１日留守にする場合）。いくつかの実施形態において、ユーザがデバイスにおいてもはやアクティブではない場合、ユーザは、アクティブユーザの一覧から削除されてもよく、および／またはデバイスからログアウトされてもよい。例えば、ユーザがいつ非アクティブとなったか、何のコンテンツがアクセスされたか、コンテンツがアクセスされた時点に関連する情報、または、そのデバイスで非アクティブとなる前のユーザのアクティブ状態に関連する任意の他の好適な情報が記憶されてもよい。いくつかの実施形態において、ユーザはデバイスの非アクティブユーザの一覧に追加されてもよい。ユーザのアクティブ状態および／もしくは非アクティブ状態に関連する情報、または任意の他の好適な情報が、非アクティブユーザの一覧内に含まれてもよく、および／または、非アクティブユーザの一覧上のユーザと関連付けられてもよく、および／または任意の好適な場所に記憶されてもよい。
【０１１６】
いくつかの実施形態において、ユーザが検出領域を退去したことが検出された場合、デバイスは自動的にコンテンツを休止してもよい。いくつかの実施形態において、ユーザは、退去ユーザオプション８４０を使用して、これらのオプションを構成してもよい。いくつかの実施形態において、デバイスは、ユーザが現在のデバイスの検出領域を退去した場合、現在アクセスされているメディアコンテンツを、別のデバイスに提供するオプションを提供するように構成されてもよい。例えば、ユーザは、メディアコンテンツを表示しているデバイスの検出領域を退去する際に、ユーザのモバイルデバイス（例えば、携帯電話）上でメディアコンテンツの閲覧を継続したい可能性がある。いくつかの実施形態において、デバイスは、ユーザが検出領域を退去したことが検出された場合、提供コンテンツを変更するように構成されてもよい。コンテンツは、デバイスの検出領域内に残るユーザに関連付けられたプロファイルに基づいて他のコンテンツに変更されてもよい。例えば、アクション映画ファンである夫が、妻と共に最新のロマンス映画を鑑賞している場合が考えられる。妻は検出領域を一時的に退去する必要がある場合が考えられる。妻が検出領域を退去する場合、デバイスは、夫が以前に関心を示したアクション映画（例えば、夫は、そのアクション映画に関する詳細情報を閲覧した）、夫に関連付けられたプロファイルに基づく任意の他のコンテンツ、または任意の他の好適なコンテンツを表示するオプションを提供してもよい。
【０１１７】
いくつかの実施形態において、デバイスのアクティブユーザのセットが変更されると広告が変更されてもよい。例えば、標的化広告は、夫婦が共にデバイスの検出領域内にいる間は夫婦両方に標的化されてもよい。例えば、ロマンチックな短期バケーションの広告が夫婦に対して表示されてもよい。妻が検出領域を退去すると、その後の広告は、夫に対してのみ標的化されてもよい。いくつかの実施形態において、ユーザが検出領域を退去する場合、そのユーザまたは任意の他の好適なユーザは、退去ユーザが一時的に退去しただけであること、および／または、ユーザがより長期間退去したことを確定することができてもよい。いくつかの実施形態において、コンテンツの変更は、自動的に生じてもよい。デバイスを退去するユーザに関連付けられた任意の他の好適なアクションまたはオプションが退去ユーザオプション８４０で構成されてもよい。
【０１１８】
いくつかの実施形態において、デバイスは、ユーザが所定の期間未満デバイスの検出領域を退去した後にデバイスに戻ったことが検出された場合、特定のアクションを行ってもよい。所定の期間は、任意の好適な長さの時間（例えば、５分）であってもよく、またそれ自体ユーザおよび／またはシステムオペレータによって構成可能であってもよい。復帰ユーザに関連付けられた所定の期間およびアクションは、復帰ユーザオプション８５０を使用してユーザによって構成されてもよい。例えば、ユーザは、ユーザがデバイスの検出領域を退去した時にコンテンツが休止された場合、コンテンツを自動的に再開するようにデバイスを構成してもよい。コンテンツが休止されていない場合、デバイスは、ユーザがデバイスの検出領域を退去したことが検出されたポイントまで、コンテンツを自動的に巻き戻してもよい。いくつかの実施形態において、デバイスは、コンテンツ内の任意の他の好適なポイント（例えば、ユーザがデバイスの検出領域を退去したことが検出されたポイントの数秒前）から、コンテンツを提供してもよい。ユーザがデバイスの検出領域を退去した時にコンテンツが異なるコンテンツに変更された場合、デバイスは、ユーザがデバイスの検出領域に戻った時にコンテンツを再び元のコンテンツに変更してもよい。ユーザがデバイスの検出領域を退去した時にコンテンツが別のユーザデバイスに提供された場合、（すなわち、ユーザが他のユーザデバイスでアクティブとなった場合）、ユーザがデバイスの検出領域に戻った時にコンテンツが元のデバイスに提供されてもよく、コンテンツを任意の好適なポイント（例えば、ユーザがコンテンツにアクセスした最後のデバイスによって最後にアクセスされたコンテンツ内のポイント）から再開してもよい。
【０１１９】
いくつかの実施形態において、ユーザが元のデバイスの検出領域を退去した後に別のデバイスでアクティブとなった場合、他のデバイスは、他のデバイス上でのユーザのアクティブ状態を、元のデバイスに伝達してもよい。例えば、他のデバイスは、ユーザが他のデバイス上でメディアコンテンツへのアクセスを継続していることを伝達してもよい。元のデバイスは、ユーザの動きおよびアクティブ状態に関する情報を使用して、デバイスのアクティブおよび非アクティブユーザ一覧を適切に更新してもよい。例えば、元のデバイスは、ユーザが元のデバイスの検出領域を退去した場合、一時的に非アクティブと設定してもよい。ユーザが別のデバイスでアクティブとなった場合、他のデバイスは、ユーザのアクティブ状態を、元のデバイスに伝達してもよい。次いで、元のデバイスは、ユーザを非アクティブと設定してもよい。ユーザを非アクティブと設定したら、元のデバイスは、元のデバイスでまだアクティブであるユーザに好適な異なるコンテンツを提供してもよい。
【０１２０】
いくつかの実施形態において、コンテンツは、ユーザが元のデバイスを退去した場合に休止されてもよい。他のデバイスが、ユーザが他のデバイスにおいてアクティブであることを伝達した場合、元のデバイスは、元のデバイスの残りのユーザがコンテンツを楽しむことができるように、コンテンツの休止を解除してもよい。例えば、他のユーザは、退去したユーザが復帰するのを待つ必要はない。ユーザの２つのグループが、２つの異なるデバイスで同時にコンテンツの鑑賞を継続してもよい。
【０１２１】
いくつかの実施形態において、ユーザの２つのグループが特定のデバイス（例えば、元のデバイスまたは他のデバイス）で合流する場合、コンテンツは、実質的に、コンテンツにおいて最も進行が少なかったユーザが退去したコンテンツ内のポイントから提供されてもよい。例えば、ユーザ１およびユーザ２は、コンテンツ１にアクセスしているデバイス１にいる。ユーザ１はデバイス１を退去してデバイス２に移る。その間、ユーザ２は、コンテンツ１へのアクセスを継続する。次いで、ユーザ１は、デバイス２でアクティブとなり、コンテンツ１へのアクセスの継続を開始する。しかしながら、ユーザ１がデバイス１を退去してからデバイス２でアクティブとなるまでに時間が経過している。したがって、ユーザ２は、ユーザ１よりもコンテンツ１を鑑賞している。次いで、ユーザ１はデバイス２を退去してデバイス１に戻り、ユーザ２と共にコンテンツ１へのアクセスを継続する。次いでデバイス１は、ユーザ１がコンテンツ１に最後にアクセスしたコンテンツ１内のポイントまで、コンテンツ１を巻き戻してもよい。この例において、ユーザ２は、ユーザ２が既にアクセスしたコンテンツ１の一部に再びアクセスし得るが、ユーザ１は、コンテンツ１の一部を見逃すことなくコンテンツ１へのアクセスを継続することができる。いくつかの実施形態において、これらのアクションに対し、オプションが自動的に実行されるのとは対照的に、オプションが提供されてもよい。いくつかの実施形態において、これらの、および任意の他の好適な認識構成オプションが、オプション８５０から構成されてもよい。
【０１２２】
いくつかの実施形態において、画面８００は、図６の初期設定オプション６５６、保存オプション６５８、キャンセルオプション６６０、終了オプション６６２、情報オプション６６４、ビデオウィンドウ６７０、ロゴ６８０、および広告６９０とそれぞれ実質的に同様であってもよい初期設定オプション８６６、保存オプション８６８、キャンセルオプション８７０、終了オプション８７２、情報オプション８７４、ビデオウィンドウ８８０、ロゴ８８２、および広告８８４を含んでもよく、これらのそれぞれは、画面８００内の任意の好適な場所に任意の好適な構成で配置されてもよい。
【０１２３】
画面５００、画面６００、画面７００、および画面８００は、フルスクリーン表示として示されているが、画面のオプションの一部または全てが、表示されるメディアコンテンツまたはメディアコンテンツ一覧と同じ画面の上もしくは中のオーバーレイとして、または任意の他の好適な構成で表示されてもよいことに留意されたい。例えば図３のメディアデバイス３００でユーザによってアクセスされる画面において、デバイス３００は、デバイス３００の表示特性に適合するように、画面のサイズおよびナビゲーション（例えば、カーソル移動または選択）を調節してもよい。認識構成オプションは、本明細書に記載のものに限定されず、任意の他の好適な認識構成オプションが、本明細書に記載の構成画面の範囲内に提供されてもよいことに留意されたい。認識構成オプションは、任意の好適な様式および任意の好適な組み合わせで提供されてもよい。例えば、画面６００によって示されるオプションは、ユーザアクセスおよび構成を容易とするように、任意の好適な様式で画面７００によって示されるオプションと組み合わされてもよい。いくつかの実施形態において、画面および／またはそれによって説明されるオプションは、ユーザによってアクセス可能でなくてもよく、代わりに、構成は、システムオペレータ、デバイスの製造者、または任意の他の好適な関係者によってのみ設定されてもよい。
【０１２４】
いくつかの実施形態において、現在のアクティブユーザの一覧９１０が、図９の例示的ディスプレイ９００に示されるように、デバイスのディスプレイ上に表示されてもよい。一覧９１０は、現在のアクティブユーザに関連付けられた識別、例えば、ユーザに関連付けられた名前（例えば、名前９１２および名前９１６）および／もしくは写真（例えば、写真９１４および写真９１８）、ならびに／または任意の他の好適な識別手段を含んでもよい。
【０１２５】
いくつかの実施形態において、デバイスによってユーザが検出された場合、検出されたユーザの一覧９２０がデバイスのディスプレイ上に表示されてもよい。これらのユーザは、デバイスへのアクセス権を有しても有さなくてもよく、最終的にデバイスにログインおよび／または各デバイスのアクティブユーザの一覧に追加されてもされなくてもよい。いくつかの実施形態において、一覧９２０は、デバイスによって検出されたが、検出領域内にいない可能性のある、またはデバイスへのアクセス権を有するまたは有さない可能性のあるユーザを含んでもよい。いくつかの実施形態において、一覧９２０は、ユーザがデバイスによって認証されている場合に、名前９２２、写真９２４、および状態９２６によって示されるようにユーザを列挙してもよい。状態９２６は、ユーザの認証に関する情報に加えて、またはその代替として、ユーザの状態に関する任意の好適な情報を提供するために使用されてもよい。例えば、状態９２６は、ユーザの認証の試行の成功または失敗に関する情報を提供してもよい。
【０１２６】
アクティブユーザ一覧９１０および検出されたユーザ一覧９２０は、任意の好適な形式およびデバイスのディスプレイ内の場所で提供されてもよい。例えば、一覧９１０および一覧９２０は、表示されたメディア９３０、メディアコンテンツ一覧９４０、および／または広告９５０の境界周囲に一時的および／または永久的に提供されてもよい。一覧９１０および一覧９２０は、新たなイベントが発生した場合、例えば、別のユーザが検出された場合、および／もしくはユーザがデバイスの機能を起動した場合、または任意の他の好適なイベントが発生した場合に表示されてもよい。いくつかの実施形態において、一覧９１０および一覧９２０は、決してユーザに表示されなくてもよく、ならびに／またはプライベートおよび／もしくは秘密に維持されてもよい。例えば、そのような実施形態において、システムオペレータのみが一覧９１０および一覧９２０に含まれる情報にアクセスできてもよい。いくつかの実施形態において、一覧９１０および一覧９２０は、対応するデバイス、別のユーザのデバイス、および／または任意の好適なシステムデバイスにローカルで維持されてもよい。例えば、第１のデバイスでのアクティブユーザおよび／または検出されたユーザの一覧は、ユーザの第２のデバイスおよび／またはケーブルヘッドエンドで記憶および維持されてもよい。いくつかの実施形態において、一覧９１０および一覧９２０に含まれる情報は、一覧に含まれる情報を表示する代わりに、またはそれに加えて、可聴であってもよい。例えば、デバイスは、ユーザであるジェリーが検出され、認証中であることが、そのような情報を表示する代わりに声に出して示してもよい。
【０１２７】
図９のディスプレイ９００は、例示的であることを理解されたい。ディスプレイ９００の要素は、ディスプレイ９００内で、任意の好適な様式で配向されてもよく、任意の好適な場所に配置されてもよく、また任意の好適なプロパティを有してもよい。例えば、一覧９１０は、メディア９３０上に半透明なオーバーレイとして提供されてもよい。いくつかの実施形態において、メディア９３０は、任意の好適なメディアコンテンツであってもよく、メディアコンテンツ一覧９４０は、任意の好適なメディアコンテンツ一覧であってもよく、広告９５０は、任意の好適な広告であってもよく、例えば、広告９５０は、図８の広告８８４と実質的に同様であってもよい。
【０１２８】
ユーザが認証に成功し、および／またはデバイスのアクティブユーザの一覧に追加された後、新たなアクティブユーザは、図１０のディスプレイ１０００内のアクティブユーザ一覧１０１０、識別情報１０１２、および写真１０１４に示されるように、ユーザの対応する識別情報および／または写真ならびに他の現在のアクティブユーザと共に、アクティブユーザ一覧上に表示されてもよい。代替として、またはそれに加えて、ユーザの状態が状態１０２６で表示されてもよい。例えば、図１０に示されるように、状態１０２６は、「ジェリーの認証に成功しました！」と表示してもよい。ユーザの検出、識別および／または認証に成功した後、または任意の他の好適な時間後、デバイスは、新たに認証されたユーザの最後の活動に関連付けられた情報を表示してもよい。例えば、図１０に示されるように、最後の活動一覧１０３０は、ジェリーの最後の活動が、テレビ番組「サインフェルド」のエピソードのダウンロードであったことを表示してもよい。いくつかの実施形態において、一覧１０３０は、ユーザの最後のいくつかの活動を表示してもよい。例えば、一覧１０３０は、サインフェルドのエピソードのダウンロードの前、その間、またはその後に、ジェリーがまたビデオオンデマンド映画も鑑賞したことを表示してもよい。
【０１２９】
いくつかの実施形態において、ユーザの検出、識別、および／または認証に成功した後、または任意の他の好適な時間後、ユーザに最後の活動オプション１０３２が示されてもよい。オプション１０３２を選択することによって、ユーザ（複数を含む）は、ユーザ（複数を含む）が現在のデバイスにおいてアクティブユーザとなる前に実行した最後の活動を継続することができる。例えば、図１０に示されるように、デバイスにおけるユーザは、ジェリーの最後のダウンロードを鑑賞してもよい。いくつかの実施形態において、オプション１０３２は、ユーザ（複数を含む）が最後に実行した最後のいくつかの活動に対するアクセスを提供してもよい。代替として、またはそれに加えて、オプション１０３２は提供されなくてもよく、ユーザが認証された時、検出された時、または任意の他の好適な時間に自動的に最後の活動が継続されてもよい。メディアコンテンツがオプション１０３２を介してアクセスされるように選択された場合、アクセスされたコンテンツは、ユーザが以前に退去したコンテンツ内のポイントから、コンテンツの始めから、ユーザが以前に退去したポイントに実質的に近い別のポイントから、またはコンテンツ内の任意の他の好適なポイントから再開されてもよい。例えば、図１０のジェリーが最後にアクティブであったデバイスでジェリーが最後に映画を閲覧した場合、映画は、ジェリーが新たにアクティブとなったデバイスに提供されてもよく、映画は、ジェリーが最後に閲覧した映画内のポイントから提供されてもよい。ジェリーを検出したデバイスによって行われるアクションは、例えば、図５〜８によって示される認識構成オプションを使用して構成されてもよい。
【０１３０】
いくつかの実施形態において、ディスプレイ１０００は、図９のメディア９３０、メディア一覧９４０、および広告９５０とそれぞれ実質的に同様であってもよいメディア１０４０、メディア一覧１０５０、および広告１０６０を含んでもよい。
【０１３１】
いくつかの実施形態において、デバイスは、アクティブユーザの１人以上がデバイスの検出領域を去り、したがってもはやアクティブではないことが検出された場合、デバイスのアクティブユーザにオプションを提供してもよい。例えば、図１１のディスプレイ１１００に示されるように、エレインがデバイスの検出領域を退去するまで、ジョージ、エレイン、およびジェリーが共に第１のメディアコンテンツにアクセスしていた。エレインがもはやデバイスによって検出されない場合、そのようなイベントを示す状態１１０２が表示されてもよい。いくつかの実施形態において、状態１１０２は、表示される状態１１０２の代わりに、またはそれに加えて、純粋に聴覚的なものであってもよい。いくつかの実施形態において、状態１１０２は、ユーザに見えないまたは聞こえなくてもよく、システムオペレータにのみアクセス可能であってもよい。エレインがデバイスの検出領域を退去する場合、デバイスおよび／または任意の他の好適なデバイスは、エレインに関連した様々な情報を記憶する。例えば、デバイスは、彼女が最後にどこでアクティブであったか（例えば、現在のデバイス）、彼女が何のコンテンツにアクセスしていたか、エレインによって実行された最後のいくつかのアクション、エレインによってアクセスされた最後のいくつかのコンテンツ、コンテンツ内のどのポイントで彼女がデバイスを退去したことが検出されたか、エレインがデバイスを退去した時を示すインジケータ（例えば、タイムスタンプもしくはカウンタ）、または、任意の他の好適な情報を記憶してもよい。記憶された情報は、任意の他の好適なデバイス、例えば、エレインに関連付けられたモバイルデバイス、中央サーバ、現在の場所の近くの別のデバイス、または異なる場所の別のデバイスに記憶、転送、および／またはコピーされてもよい。
【０１３２】
いくつかの実施形態において、デバイスは、オプションウィンドウ１１１０に示されるように、別のユーザがデバイスの検出領域を退去する場合に残りのユーザにオプションを提供してもよい。オプションウィンドウ１１１０は、ユーザに、残りのアクティブユーザが現在のコンテンツを休止してユーザが復帰するの待つことができるようにし得る休止オプション１１１２を提供してもよい。また、退去したユーザがデバイスに復帰するまで、現在のコンテンツが中断されずに再生を継続することができるようにし得る巻き戻しオプション１１１４が提供されてもよく、この時点で、コンテンツは、ユーザが退去したポイントまで巻き戻され得る。コンテンツがモバイルデバイス上で再生を継続できるように、モバイルデバイス再配置オプション１１１６が提供されてもよい。いくつかの実施形態において、モバイルデバイスは、退去したユーザのモバイルデバイスであってもよい。このオプションが選択された場合、コンテンツは、モバイルデバイス上で、コンテンツ内の現在の場所から、またはコンテンツ内の任意の他の好適なポイントから再生を継続し得る。ユーザが任意の他のメディアデバイスにコンテンツを提供するように選択できるようにするためのオプション１１１８が提供されてもよい。例えば、エレインが疲れ、コンテンツのアクセスを彼女の寝室から継続したい場合、彼女は、寝室内のデバイスにコンテンツが提供されるように選択してもよい。寝室内のデバイスは、ユーザ検出機能を有しても有さなくてもよい。
【０１３３】
デバイスがユーザ検出能力を有さない場合、デバイスは、エレインがそのデバイスの検出領域内で検出された場合、自動的にコンテンツを再生するか、またはコンテンツを再生するオプションを提供してもよい。いくつかの実施形態において、ユーザが別のデバイス上でアクティブとなり、および／またはコンテンツを再生する場合、他のデバイスがこれを、または他の好適な情報を以前にアクセスされたデバイスに送信してもよい。これにより、例えば、以前にアクセスされたデバイスは、ユーザに関連付けられた情報を調節し得る。例えば、デバイスは、他のユーザが別のデバイスでアクティブとなったため、ユーザが近い将来のうちに元のデバイスに戻らない可能性があると推定し得る。加えて、新たなデバイスがエレインを検出した場合、そのデバイスは、図５〜１０に関して説明されたものと実質的に同様の、新たなアクティブとなったユーザのアクションを実行してもよい。
【０１３４】
いくつかの実施形態において、デバイスにおける残りのユーザは、ユーザがデバイスの検出領域を退去した場合に、提供コンテンツを変更するように選択してもよい。例えば、ジョージ、ジェリーおよびエレインがロマンス映画を鑑賞している場合が考えられ、エレインがデバイスの検出領域を退去する。３人全てのユーザが一緒にロマンス映画を鑑賞していたという事実にもかかわらず、ジェリーおよびジョージは、実際にはむしろ他のあるコンテンツ、例えばアクション映画を楽しみたいと感じている可能性がある。これは、ジェリーおよびジョージ自身によって決定されてもよく、または、マージプロファイルオプション８１０に関して上述したような任意の関連情報に基づき、自動的に決定されてもよい。いくつかの実施形態において、残りのユーザが、提供コンテンツを、残りのユーザにとってより望ましい別のコンテンツに変更することができるように、メディア変更オプション１１２０が提供されてもよい。オプション１１２０の選択後、ユーザは、マージプロファイルオプション８１０に関して上述したように、ユーザのプロファイルに一致する推奨されるコンテンツを選択してもよい。
【０１３５】
いくつかの実施形態において、オプションウィンドウ１１１０は、ユーザがデバイスの検出領域を退去したことの検出に応じて、任意の他の好適なオプションを提供してもよい。いくつかの実施形態において、オプションウィンドウ１１１０内のオプションの全てまたは一部が、自動的に提供および／または実行されてもよい。例えば、提供コンテンツは、ユーザがデバイスの検出領域を退去したことが検出された場合、自動的に休止されてもよく、または、例えば、コンテンツは、ユーザがデバイスの検出領域を退去したことが検出された場合、残りのユーザに好適な別のメディアコンテンツに自動的に変更されてもよい。
【０１３６】
いくつかの実施形態において、オプションウィンドウ１１１０は、表示される代わりに、またはそれに加えて、可聴であってもよい。オプションウィンドウ１１１０内のオプションは、例えば、図５〜８によって示される認識構成オプションを使用して構成され得る。いくつかの実施形態において、ディスプレイ１１００は、図９のメディア９３０、メディア一覧９４０および広告９５０とそれぞれ実質的に同様であってもよいメディア１１４０、メディア一覧１１５０および広告１１６０を含んでもよい。
【０１３７】
いくつかの実施形態において、図１１に関して上述した、デバイスの検出領域を退去したユーザは、比較的短期間内にデバイスに復帰する可能性がある（すなわち、検出領域からのユーザの不在は、長期間とは対照的に一時的であり、例えば、５分間の不在は一時的とみなされてもよく、一方５時間の不在は長期とみなされてもよい）。この期間は、図１１に関して上述されたように記憶されていてもよい残りのユーザに関連付けられた情報に基づいて決定されてもよい。期間の長さは、例えば、図５〜８に関して上述した認識構成オプション表示を使用して、ユーザまたはシステムオペレータによって事前設定および／または構成さてもよい。ユーザが定義された期間より長い期間不在である場合、ユーザは、長期不在であるとみなされてもよく、これはすなわち、ユーザがデバイスに戻った時および／または場合、デバイスが異なるアクション、例えば、図５〜１０および新たなユーザに関して上述したアクションを行い得ることを意味し得る。いくつかの実施形態において、デバイスは、ユーザが一時的不在後または長期不在後にデバイスに復帰するか否かとは無関係に、同じアクションを行ってもよい。いくつかの実施形態において、本明細書において一時的不在のユーザに対し適用されるものとして説明されるアクションは、一時的不在のユーザの代わりに、またはそれに加えて、長期間不在であったユーザに対して適用されてもよく、またその逆も成り立つ。
【０１３８】
ユーザが一時的に不在であった後に復帰する場合、デバイスが行い得るアクションは、ユーザがデバイスの検出領域を退去した時にデバイスが行ったアクションに依存してもよい。例えば、ユーザが退去した時にコンテンツが休止された場合（例えば、オプション１１１２を選択することによって）、ユーザが戻った時にコンテンツの休止が解除されてもよい。ユーザが退去した時にコンテンツが再生され続けた場合（例えば、オプション１１１４を選択することによって）、コンテンツは、ユーザが退去したことが検出されたコンテンツ内のポイントに実質的に近いポイントまで巻き戻されてもよい。ユーザの退去に応じてコンテンツが別のデバイスに提供された場合（例えば、オプション１１１６および／またはオプション１１１８を選択することによって）、コンテンツは、他のデバイス上での提供が停止されてもよい。加えて、デバイス上のコンテンツは、各デバイス上でのコンテンツ内の現在のポイントに関する情報を共有してもよい。ユーザが復帰するデバイスは、それに応じて巻き戻してもよい。例えば、ジョージおよびジェリー用の元のデバイス、ならびにエレイン用の別のデバイスの両方においてコンテンツが提供されているが、エレインが他のデバイス上で番組を休止した後、元のデバイスに戻った場合、元のデバイスおよび他のデバイスは、コンテンツ内で異なるポイントにある可能性がある。したがって、元のデバイスが、ユーザに対しそのそれぞれのデバイス上でコンテンツが最後に提供されていた、より前の、またはより後のポイントまで、コンテンツを巻き戻すことが望ましくなり得る。
【０１３９】
いくつかの実施形態において、オプション１１２０を選択することによって、ユーザがデバイスを退去した時にコンテンツが別のコンテンツに変更された場合、デバイスは、図１２ディスプレイ１２００によって示されるように、ユーザがデバイスに戻った時に他のコンテンツを再び元のコンテンツに変更してもよい。例えば、ジョージ、ジェリーおよびエレインがデバイスにおいてアクティブである間に第１のメディアコンテンツが提供されていた場合が考えられる。次いでエレインは非アクティブとなり、それに応じて、デバイスは、図１１のオプション１１２０に関して上述したように、残りのユーザであるジョージおよびジェリーに第２のメディアコンテンツを提供し得る。エレインがデバイスに戻った場合、状態１２０２は、エレインが復帰ユーザであることを示し得る（例えば、エレインは、一時的にデバイスから不在であった）。状態１２０４は、エレインが復帰するものとして検出されたため、デバイスが第１のメディアコンテンツに戻り得ることを示してもよい。いくつかの実施形態において、第１のメディアコンテンツに復帰することは、自動的に行われてもよく、および／または、デバイスは、第１のメディアコンテンツに復帰するオプションを提供してもよい。いくつかの実施形態において、デバイスは、ユーザがデバイスを退去したことが検出された第１のメディアコンテンツ内のポイント、ユーザがデバイスを退去したことが検出されたポイントに実質的に近い別のポイント、またはメディアコンテンツ内の任意の他の好適なポイントに戻ってもよい。
【０１４０】
いくつかの実施形態において、デバイスは、ペアレンタルコントロール設定が、提供コンテンツとコンフリクトし得るユーザを検出し得る。例えば、図１３のディスプレイ１３００に示されるように、ジョージ、エレインおよびジェリーは、例えば「Ｒ」指定映画を提供していてもよいデバイスにおいてアクティブユーザである場合が考えられる。あるポイントで、別のユーザ、例えばクレイマーが、デバイスの検出領域内に入ったことが検出され得る。クレイマーの検出後、デバイスは、とりわけ、ペアレンタルコントロールコンフリクトチェックを実行し、続いて、クレイマーのペアレンタルコントロール設定が、クレイマーが「Ｒ」指定の映画を閲覧してはいけないように設定されていることを検出し得る。この例において、デバイス上で「Ｒ」指定映画が表示されているため、ペアレンタルコントロールコンフリクトが発見された。ペアレンタルコントロールコンフリクトの発見（すなわち、提供コンテンツとコンフリクトするアクティブユーザが存在することの検出）に応じて、デバイスは、特定のアクション（複数を含む）を行ってもよい。例えば、デバイスは、いくつかのオプションを提供し得るペアレンタルコントロールコンフリクト検出ウィンドウ１３１０を表示してもよい。いくつかの実施形態において、ウィンドウ１３１０は、表示されているコンテンツの閲覧を実質的に遮ってもよく、これは、コンフリクトしたユーザ（すなわち、ペアレンタルコントロール設定が、提供コンテンツとコンフリクトするユーザ）が、コンフリクトをもたらしているコンテンツを閲覧することを防止し得る。いくつかの実施形態において、デバイスは、例えば、コンフリクトしたユーザが、コンフリクトを生成しているコンテンツを提供しているデバイスから比較的離れている可能性があるために、表示されているコンテンツの閲覧を完全に、または実質的に遮らなくてもよい。例えば、デバイスは、コンフリクトしたユーザが、コンフリクトを生成しているコンテンツを閲覧するのを防止するのに十分デバイスのディスプレイを暗くしてもよい。これによって、例えば、コンフリクトしたユーザがコンテンツを閲覧するのを防止しながらも、コンテンツの閲覧を遮ることがないようにすることによって、コンテンツとコンフリクトしないデバイスのアクティブユーザが継続してコンテンツを楽しむことができるようになり得る。
【０１４１】
加えて、またはその代替として、デバイスは、コンフリクトしたユーザが、コンフリクトをもたらしているコンテンツを聞くのを防止するために、デバイスの音量レベルを低下させる、および／またはコンテンツを消音してもよい。いくつかの実施形態において、デバイスが音量レベルを低下させる量は、コンフリクトしたユーザがデバイスからどれ程離れているかに依存し得る。例えば、ユーザが、コンフリクトをもたらしているコンテンツを提供しているデバイスから比較的離れている場合、コンテンツの音量を低下させれば、コンフリクトしたユーザがコンフリクトしているコンテンツを聞くことができない可能性があるため、コンフリクトをもたらしているコンテンツを消音する必要がなくてもよい。したがって、アクティブユーザに提供されるコンテンツの使用を過度に妨害することを防ぐため、コンテンツの音量は、コンフリクトしたユーザのデバイスに対する距離に基づいて、消音の代わりに低下されてもよい。
【０１４２】
いくつかの実施形態において、ウィンドウ１３１０は、デバイスをシャットダウンするオプション１３１２および／または提供コンテンツを変更するオプション１３１４を含んでもよい。いくつかの実施形態において、オプション１３１４が選択される場合、デバイスは、デバイスの任意のアクティブユーザとコンフリクトを生成しないコンテンツの推奨を提供するか、または、代替として、利用可能なメディアの完全な一覧を提供してもよい。例えば、推奨されるコンテンツは、任意の他の好適なメディアコンテンツおよび／またはユーザとコンフリクトする提供コンテンツの編集バージョンを含んでもよい。例えば、編集バージョンは、提供コンテンツと実質的に同じであってもよいが、不敬な言葉および／もしくは成人向けコンテンツ、または任意の他の好ましくないマテリアルが、編集、改変、および／または削除され、ユーザのペアレンタルコントロールとコンフリクトし得ない提供コンテンツの編集バージョンが生成されてもよい。編集コンテンツは、任意の好適なシステムおよび／もしくはローカルデバイスに記憶されてもよく、ならびに／または、編集コンテンツの生成は、リアルタイムで提供されてもよい。例えば、デバイスは、コンテンツ内の不敬な言葉を検出して、ユーザのペアレンタルコントロール設定が検出された不敬な言葉とコンフリクトする場合、自動的に不敬な言葉を編集してもよい。
【０１４３】
コンテンツが変更された場合、コンテンツにコンフリクトしないアクティブユーザが、コンテンツが変更されたコンテンツ内のポイントに実質的に近いコンテンツ内のポイントから、コンテンツへのアクセスを再開し得るように、デバイス、または任意の好適なデバイスは、アクティブユーザおよびコンテンツに関連付けられた情報を記録してもよい。例えば、コンテンツとコンフリクトするユーザがもはや検出されない場合、元々提供されていたコンテンツは、（例えば、元々提供されていたコンテンツとコンフリクトするユーザが検出された場合に）デバイスがコンテンツを変更したコンテンツ内のポイントから再開されてもよい。
【０１４４】
いくつかの実施形態において、コンテンツは、ウィンドウ１３１０の背後で通常通り再生が継続されても、消音されても、および／または暗くされてもよい。そのような実施形態において、コンテンツは、コンフリクトしたユーザがもはやデバイスによって検出されない場合、コンフリクトが検出されたポイントに巻き戻されてもよい。いくつかの実施形態において、コンテンツは、ウィンドウ１３１０の背後にある間休止されても、消音されても、および／または暗くされてもよい。そのような実施形態において、コンテンツは、コンフリクトしたユーザがもはやデバイスによって検出されない場合、休止が解除されてもよい。
【０１４５】
いくつかの実施形態において、ペアレンタルコントロール設定は、ユーザが別の特定のユーザと同じデバイス上でアクティブである場合、異なるペアレンタルコントロール設定を有することができるようにし得るオプションを提供してもよい。例えば、両親は、少なくとも片方の親が回りにいない限り子供に「Ｒ」指定映画を見て欲しくない可能性がある。これは、任意のユーザからの追加的な手動入力を必要とすることなく、コンテンツがアクティブユーザとコンフリクトしているにもかかわらずコンテンツが表示され得るようにし得る。
【０１４６】
いくつかの実施形態において、ペアレンタルコントロール設定は、プライバシーを目的として使用されてもよい。例えば、ユーザは、ユーザがアクセスしているあるコンテンツを別のユーザに見て欲しくない可能性がある。例えば、第１のユーザは、デバイスを使用して自分の財務情報にアクセスしたいが、第２のユーザにはその財務情報を見て欲しくない可能性がある。第１のユーザは、自分の財務情報を閲覧しており、第２のユーザが検出された場合、デバイスがペアレンタルコントロールコンフリクトを検出した場合のアクションと同様のアクションをデバイスが実行し得るように設定してもよい。実例として、第１のユーザは、デバイス上で自分の財務情報を閲覧し得る。第１のユーザに知られずに、第２のユーザがデバイスの閲覧距離内に入る。デバイスは第２のユーザを検出し、コンテンツと第２のユーザとの間にコンフリクトが存在することを決定する。それに応じて、デバイスは、ペアレンタルコントロールに関して上述したアクションと同様のアクションを実行し得る。
【０１４７】
デバイスは、ペアレンタルコントロールおよびプライバシーコントロールに関して上述した任意の好適な数のアクションを実行し得ることに留意されたい。加えて、実行されるアクションは自動的であってもよく、および／または、デバイスは、任意の好適な様式でアクションを有効化するオプションを提供してもよい。上述の、および／または任意の他の好適なペアレンタルコントロールおよびプライバシーコントロールは、任意の好適なユーザの検出に応じて有効化されてもよい。例えば、コントロールは、コンフリクトしたユーザがデバイス上で承認されたか否か、コンフリクトしたユーザがデバイスの検出領域内にいるか否かとは無関係に、または任意の他の好適な様式で有効化されてもよい。例えば、コントロールは、ユーザが識別および／または承認されているか否かとは無関係に、ユーザの検出に応じて有効化されてもよい。実行されるアクションおよびアクションが実行される様式は、図５〜８に関して上述されたように、構成画面を使用して構成され得る。
【０１４８】
いくつかの実施形態において、デバイス上でアクティブな１人以上のユーザは、ユーザに関連付けられたリマインダが特定の時間にトリガされるように構成していてもよい。このリマインダは、デバイスに他のアクティブユーザが存在する場合であっても、図１４のディスプレイ１４００によって示されるように、適切な時間にデバイスに表示され得る。例えば、リマインダがジェリーおよびエレインに対しトリガされた場合に、リマインダウィンドウが表示され得る。この例において、ジョージは、同じコンテンツに対してリマインダを設定しておらず、したがって、コンテンツの閲覧に興味がない可能性がある。ゆえに、アクティブユーザが、リマインドされたコンテンツにアクセスするか否か、またアクセスする場合はそれをどこでアクセスするかを決定できるようにし得るオプションを提供することが望ましくなり得る。例えば、ユーザは、ここで鑑賞するオプション１４１２を選択することによって、現在のデバイスでコンテンツにアクセスすることを選択してもよい。ユーザは、異なるデバイス上で鑑賞するオプション１４１４を選択することによって、および／またはモバイルデバイス上で鑑賞するオプション１４１６を選択することによって、異なるデバイスでコンテンツにアクセスすることを選択してもよい。いくつかの実施形態において、ユーザは、無視するオプション１４１８を選択することによって、リマインダを無視することを選択してもよい。いくつかの実施形態において、選択可能なオプションとして提供される代わりに、またはそれに加えて、これらのオプションのいくつかまたは全てが自動的に行われてもよい。
【０１４９】
いくつかの実施形態において、リマインダウィンドウ１４１０は、表示される代わりに、またはそれに加えて、可聴であってもよい。リマインダウィンドウ１４１０内のオプションは、例えば、図５〜８によって示されるように、認識構成オプションを使用して構成され得る。いくつかの実施形態において、ディスプレイ１４００は、図９のメディア９３０、メディア一覧９４０、および広告９５０とそれぞれ実質的に同様であってもよいメディア１４４０、メディア一覧１４５０、および広告１４６０を含んでもよい。
【０１５０】
いくつかの実施形態において、イベントログ、例えば図１５のイベントログ１５００が作成され、および／または、任意の好適なユーザデバイス、もしくは任意の好適なシステムデバイス、または任意の他の好適なデバイス、例えば、図４のメディアガイダンスデータソース４１８に維持されてもよい。イベントログ１５００は、デバイス（複数を含む）における、および／またはデバイス（複数を含む）による、使用、有効化、および／または実行されるアクションに関する任意の好適なデータを記憶してもよい。例えば、イベントログ１５００は、所与の時間に特定のデバイスでアクティブであってもよいユーザ、デバイスによってユーザが検出された時間、イベント標的化操作、本明細書に記載の任意の他のイベントおよび／もしくはアクション、または任意の他の好適なイベントおよび／もしくはアクションを含んでもよい。イベントログ１５００は、デバッグ目的で使用されてもよく（例えば、アクションの活性化の間エラーが発生する場合）、または、例えば、ユーザが最後にアクティブであった場所、およびそのユーザが最後にアクセスしたコンテンツを決定するために使用されてもよい。そのような情報は、ユーザがそのデバイスに復帰する場合、または別のデバイスに移動する場合、ユーザの検出後に各デバイスが実行し得るアクションを決定するために、例えば、本明細書に記載のように、以前に別のデバイスでアクセスされたメディアコンテンツへのアクセスを一方のデバイスで継続するために、有用となり得る。
【０１５１】
いくつかの実施形態において、ユーザに関連付けられた情報を提供するために、図１６のユーザデータ１６００が作成および／または維持されてもよい。ユーザデータ１６００は、ユーザデータ１６００が関連付けられるユーザ（複数を含む）を識別する様々なフィールドを含有してもよい。例えば、ユーザデータ１６００は、ユーザフィールド１６１０、最後のデバイスフィールド１６１２、最後のアクションフィールド１６１４、停止ポイントフィールド１６１６、メディアの場所フィールド１６１８、および既知のデバイスフィールド１６２０を含んでもよい。ユーザデータ１６００は、任意の好適なデバイス、例えば、ユーザデバイスおよび／またはシステムオペレータデバイス、例えばサーバ等における任意の好適な場所に作成、記憶、および／または維持されてもよい。いくつかの実施形態において、ユーザデータ１６００は、任意のデバイスに、および／または任意のデバイスから任意の好適なデバイスに転送されてもよい。例えば、ユーザが新たなデバイスに近づいた場合、ユーザデータ１６００は、ユーザに関連付けられたモバイルデバイスから新たなデバイスにコピーされてもよい。これは、新たなデバイスに、関連付けられたユーザに関する任意の好適な情報、例えば、ユーザの以前の活動、年齢、最後の場所、またはユーザデータ１６００に提供される任意の他のデータを提供し得る。
【０１５２】
ユーザフィールド１６１０は、ユーザデータ１６００が関連付けられるユーザ（複数を含む）を含んでもよい。ユーザは、名前、ユーザ識別情報、または任意の他の好適な識別方法によって識別され得る。最後のデバイスフィールド１６１２は、ユーザ（複数を含む）によって使用された最後のおよび／または最近のデバイス（複数を含む）を含んでもよく、例えば、フィールド１６１２は、ユーザがメディアコンテンツにアクセスした最後のデバイスを列挙してもよい。最後のアクションフィールド１６１４は、ユーザ（複数を含む）によって実行された最後のアクション（複数を含む）を含んでもよい。フィールド１６１４は、任意の好適なユーザアクション、例えば、コンテンツのダウンロード、コンテンツの鑑賞、コンテンツの休止、コンテンツの巻き戻し、コンテンツの早送り、リマインダの設定、記録、インターネットサーフィン、コンテンツに関する詳細情報の取得、デバイスの構成、または任意の他の好適なユーザアクションに関する情報を提供してもよい。ユーザが最後にコンテンツにアクセスした場合、ユーザがコンテンツに最後にアクセスしたコンテンツ内のポイントに関する情報を提供する、停止ポイントフィールド１６１６がユーザデータ１６００内に提供されてもよい。例えば、ユーザが最後に映画を鑑賞したが、映画開始後１６分３７秒で停止した場合、停止ポイントフィールド１６１６は、その時間を含んでもよい。この情報は、ユーザがデバイスでアクティブとなった場合に、コンテンツが最後にアクセスされたポイントからコンテンツを再開するために、デバイスによって使用されてもよい。
【０１５３】
いくつかの実施形態において、メディアコンテンツは、任意の好適な場所、例えば、ユーザデバイスおよび／またはシステムデバイスに記憶され得る。そのような実施形態において、ユーザデータ１６００は、例えば、ユーザによって最後にアクセスされたコンテンツの記憶場所に関する情報を提供し得るコンテンツ場所フィールド１６１８を含んでもよい。これは、例えば、コンテンツがデバイスにローカルに記憶されていない場合等において、デバイスがコンテンツを再開しようとする際に有用となり得る。
【０１５４】
いくつかの実施形態において、ユーザデータ１６００は、例えば、既知のデバイスフィールド１６２０内に、関連付けられたユーザ（複数を含む）に知られているデバイス（複数を含む）に関する情報を含んでもよい。既知のデバイスフィールド１６２０内のデバイスは、関連付けられたユーザがアクティブであったデバイス、ユーザに関連付けられた別のユーザデバイスによって検出されたデバイス、任意の好適なユーザもしくはシステムオペレータによって手動でユーザデータ１６００内に入力されたユーザデバイスを検出したデバイス、または任意の他の好適なデバイスを含んでもよい。既知のデバイスフィールド１６２０は、さらに、デバイス情報フィールド１６２２内に既知のデバイス自体に関する情報をさらに含有してもよい。デバイス情報フィールド１６２２は、デバイスの種類フィールド１６２４、承認レベル１６２６、連絡先情報フィールド１６２８、デバイスの場所フィールド１６３０、または、デバイスの特性を説明する任意の他の好適なフィールドを含んでもよい。
【０１５５】
デバイスの種類フィールド１６２４は、そのデバイスがどの種類のデバイスかに関する情報を含有してもよい。例えば、デバイスは、図３および４に関して上述したように、携帯電話、セットトップボックス、または任意の他の好適なデバイスであってもよい。承認レベル１６２６は、デバイスへの承認されたアクセスの関連付けられたユーザ（複数を含む）のレベルに関する情報を含有してもよい。例えば、ユーザは、特定のデバイスにおいて最高のアクセスを有してもよく、デバイスからブロックされてもよく、もしくはデバイスで承認されなくてもよく、または図７に関して上述したような任意の他の好適なアクセスレベルであってもよい。いくつかの実施形態において、デバイスは、デバイスに関連付けられた連絡先情報を有してもよい。連絡先情報フィールド１６２８は、ユーザおよび／またはデバイスが、列挙されたデバイスに連絡できるように、連絡先情報を含有してもよい。例えば、連絡先情報フィールド１６２８は、電話番号、ＩＰアドレス、ＭＡＣアドレス、利用可能なポート、認められる通信プロトコル、および任意の好適な様式でデバイスに連絡するために必要な任意の他の好適な情報を含んでもよい。デバイスの場所フィールド１６３０は、デバイスの場所に関する情報を提供するために、デバイス情報フィールド１６２２内に含まれてもよい。例えば、デバイスは、任意の好適な場所、例えば、ユーザの家の中の部屋にあってもよい。いくつかの実施形態において、デバイスは、携帯電話であってもよい。そのような実施形態において、デバイスの場所フィールド１６３０は、単にデバイスが携帯電話であることを示してもよく、または、代替として、もしくはそれに加えて、フィールド１６３０は、デバイスの最後のに知られていた所在または現在の場所を示してもよい。現在の場所は、例えば、経度／緯度座標、別のデバイスに対する場所、家、通りの場所、都市、州、国、または任意の他の好適な場所の暗示を含んでもよい。
【０１５６】
図１７は、本発明のいくつかの実施形態による、ユーザ（複数を含む）を検出するための例示的プロセス１７００を示す。こと１７１０において、第１のユーザは、第１のメディアデバイスの検出領域内にいる。いくつかの実施形態において、ユーザは、第１のメディアデバイス、または任意の他の好適なデバイスによって検出されてもよいが、上述のように、第１のデバイスの検出領域内にはいない。こと１７１２において、ユーザがデバイスの検出領域内にいる場合、ユーザは、上述のように、第１のメディアデバイスにおけるアクティブユーザの一覧に追加される。例えば、ユーザは、図３の記憶装置３０８および／またはユーザ入力インターフェース３１０に記憶されてもよいアクティブユーザのリストに追加されてもよい。これは、例えば、図３の処理回路３０６を使用した、ユーザの認証および／もしくはユーザのデバイスへのログイン、またはこれらの任意の好適な組み合わせを含んでもよい。いくつかの実施形態において、ユーザが検出および／または識別されたが、第１のデバイスの検出領域内にいない場合、ユーザはアクティブユーザの一覧に追加されてもよい。こと１７１４において、以前にアクセスされたメディアコンテンツが、例えば、図３のディスプレイ３１２上に提供される。メディアコンテンツは、上述したように、現在のデバイスまたは任意の他の好適なデバイスにおいて第１のユーザによって以前にアクセスされていてもよい。さらに、メディアコンテンツは、上述のように、コンテンツ内の任意の好適なポイント、例えばユーザによって最後にアクセスされたポイントから提供されてもよい。
【０１５７】
こと１７１６において、第２のユーザが第１のメディアデバイスの検出領域内に検出される。こと１７１８において、例えば、第２のユーザがメディアデバイスの検出領域内にいる場合、第２のユーザもまたアクティブユーザの一覧に追加される。こと１７２０において、上述のように、例えば別のデバイスまたは任意の他のデバイスにおいて第２のユーザによってアクセスされた、以前にアクセスされた第２のメディアコンテンツを再開するオプションが提供される。デバイスによって行われるアクションは、自動的であってもよく、および／または上述のように構成されてもよい。例えば、以前にアクセスされたメディアコンテンツは、例えばこと１７２０においてオプションが提供される代わりに、またはそれに加えて、自動的に再開されてもよい。
【０１５８】
実際には、プロセス１７００に示される１つ以上のことは、他のことと組み合わされてもよく、任意の好適な順番で実行されてもよく、並行して実行されてもく（例えば、同時にもしくは実質的に同時に）、または削除されてもよい。例えば、こと１７１０およびこと１７１６のそれぞれ第１および第２のユーザは、同時に検出領域内に検出されてもよい。
【０１５９】
図１８は、本発明のいくつかの実施形態による、ユーザ（複数を含む）の検出後にデバイスが行い得るアクションを補助するための例示的プロセス１８００を示す。こと１８１０において、ユーザ（複数を含む）は、図１７のこと１７１０およびこと１７１６に関連して論議されたように、第１のメディアデバイスの検出領域内に検出される。こと１８１２において、ユーザは、図１７のこと１７１２およびこと１７１８に関連いて論議されたように、第１のメディアデバイスにおけるアクティブユーザの一覧に追加される。こと１８１４において、第１のメディアコンテンツが、第１のメディアデバイスで提供される。メディアコンテンツは、任意の好適なメディアコンテンツであってもよく、例えば、図１７のこと１７１４および／またはこと１７２０と関連して上で論議したように、メディアコンテンツは、デバイスのアクティブユーザの１人以上によって以前にアクセスされたコンテンツであってもよい。いくつかの実施形態において、デバイスのアクティブユーザの１人以上に関連付けられたリマインダが提供されてもよい。例えば、こと１８１６によって示されるように、第２のメディアコンテンツに関する第１のユーザに関連付けられたリマインダが提供される。リマインダは、図１４のリマインダウィンドウ１４１０に関連して説明したように提供され得る。こと１８１８において、例えば、ユーザが、リマインダの閲覧に応じて第２のメディアコンテンツへのアクセスを要求する場合、第２のメディアコンテンツが提供される。いくつかの実施形態において、音声メディアが自動的に提供されてもよい。図１４に関連して論議されたように、リマインドされたコンテンツは、例えば、任意の好適なデバイスで提供されてもよい。
【０１６０】
こと１８１６のリマインダの提供に加えて、またはその代替として、こと１８２０において、アクティブユーザの一覧内のユーザに関連付けられたプロファイルに基づいて、広告が提供される。例えば、広告は、図８に関連して論議したように、デバイスのアクティブユーザに標的化されてもよい。
【０１６１】
実際には、プロセス１８００に示される１つ以上のことは、他のことと組み合わされてもよく、任意の好適な順番で実行されてもよく、並行して実行されてもよく（例えば、同時にもしくは実質的に同時に）、または削除されてもよい。例えば、こと１８１６において提供されるリマインダは、こと１８２０において提供される広告と実質的に同時に提供されてもよい。
【０１６２】
図１９は、本発明のいくつかの実施形態による、ペアレンタルコントロールコンフリクトチェックに関してデバイスが行い得るアクションを補助するための例示的プロセス１９００を示す。こと１９１０において、少なくとも１人のユーザが第１のメディアデバイスの検出領域内に検出される。検出プロセス、検出領域およびメディアデバイスは、図１７に関連して上で論議した検出プロセス、検出領域およびメディアデバイスと同様であってもよい。少なくとも１人のユーザが検出領域に入ったことが検出された後、プロセスは、少なくとも１人のユーザの第１のメディアデバイスへのアクセスが承認されるか否かが決定されること１９１２に進んでもよい。承認決定は、図７の承認設定に関連して論議した決定と同様であってもよい。少なくとも１人のユーザが承認された場合、少なくとも１人のユーザは、図１７に関連して上述したように、こと１９１４において第１のメディアデバイスのアクティブユーザの一覧に追加される。
【０１６３】
こと１９１６において、第１のメディアコンテンツが第１のメディアデバイスで提供される。メディアコンテンツは、任意の好適なメディアコンテンツ、例えば、図１７のこと１７１４および／またはこと１７２０に関連して上で論議したようなコンテンツであってもよく、メディアコンテンツは、デバイスのアクティブユーザによって以前にアクセスされたコンテンツであってもよい。こと１９１８において、第１のユーザデバイスの近くで別のユーザが検出される。いくつかの実施形態において、ユーザは、検出領域内にいてもよく、または、代替として、ユーザは、ただメディアデバイスの検出可能範囲内にいるだけでもよい。こと１９２０において、新たに検出されたユーザに対して、ペアレンタルコントロールコンフリクトチェックが実行される。コンフリクトチェックは、図８の検出後メニュー８３０および図１３のペアレンタルコントロールコンフリクト検出ウィンドウ１３１０に関連して上で論議したように実行されてもよく、例えば、コンフリクトチェックは、提供メディアの特性を、新たに検出されたユーザのペアレンタルコントロール設定と比較してもよい。コンフリクトチェックは、例えば、図３の回路３０６を使用して実行されてもよい。こと１９２２において、１９２０において実行されたコンフリクトチェックの間、ペアレンタルコントロールコンフリクトが検出されたか否かが決定される。コンフリクトがある場合、デバイスは、任意の好適なアクション、例えば、こと１９２４またはこと１９２６によって説明されるアクションを行ってもよい。こと１９２４において、デバイスは、提供される第１のメディアコンテンツを、例えば、アクティブユーザおよび／または新たに検出されたユーザのいずれにもコンフリクトしない別のメディアコンテンツに変更する。
【０１６４】
代替として、またはそれに加えて、デバイスは、こと１９２６に進み、コンフリクトが存在することの決定に応じて第１のメディアコンテンツをシャットオフしてもよい。メディアコンテンツのシャットオフは、例えば、ディスプレイからのコンテンツの削除、および／またはコンテンツへのアクセスの中断を含んでもよい。いくつかの実施形態において、メディアデバイスは、コンテンツへのアクセスを継続するが、デバイスがコンテンツにアクセスしていることの任意の標示を提供しなくてもよい。これによって、例えば、デバイスは、ユーザのコンフリクト目的でデバイスのディスプレイから番組が削除される一方で、放送される番組、または任意の他の好適なメディアコンテンツを記録可能となり得る。これによって、番組とコンフリクトしないユーザは、番組とコンフリクトするユーザが検出されなくなったら、いかなる断絶もなく放送される番組の鑑賞を継続することが（例えば、表示が削除されたポイントから番組の鑑賞を継続する）ことが可能となり得る。こと１９２４およびこと１９２６のプロセスは、図８のメニュー８３０および図１３のウィンドウ１３１０に関連して上述したのと実質的に同様であってもよい。
【０１６５】
いかなるペアレンタルコントロールコンフリクトも解消された後、こと１９１０に関連して上述したように、こと１９２８において、新たに検出されたユーザが第１のメディアデバイスの検出領域内にいるか否かが決定される。ユーザが検出領域内にいる場合、こと１９１２と関連して上述したように、こと１９３０において、ユーザの第１のメディアデバイスへのアクセスが承認されるか否かが決定される。こと１９３２において、新たに検出されたユーザは、ユーザの第１のメディアデバイスへのアクセスが承認された場合、第１のメディアデバイスのアクティブユーザの一覧に追加される。
【０１６６】
実際には、プロセス１９００に示される１つ以上のことは、他のことと組み合わされてもよく、任意の好適な順番で実行されてもよく、並行して実行されてもよく（例えば、同時にもしくは実質的に同時に）、または削除されてもよい。例えば、こと１９１０の少なくとも１人のユーザが検出された場合、こと１９２０のペアレンタルコントロールコンフリクトチェックがさらに実行されてもよい。
【０１６７】
図２０は、本発明のいくつかの実施形態による、ユーザがもはやデバイスの検出領域内に検出されない場合にデバイスが行い得るアクションを補助するための例示的プロセス２０００を示す。こと２０１０において、第１のデバイスのアクティブユーザの一覧上の第１のユーザが、第１のメディアデバイスの検出領域を退去したことが検出される。ユーザは、図８の退去ユーザオプション８４０および図１１のオプションウィンドウ１１１０に関連して上述したように、もはやデバイスの検出領域内にいないことが検出され得る。こと２０１２において、ユーザは、ユーザがもはやデバイスの検出領域内にいないことの検出後、アクティブユーザの一覧から削除される。アクティブユーザの一覧からのユーザの削除は、図８および図１１に関連して論議したように実行され得る。こと２０１３において、現在アクセスされている第１のメディアコンテンツ内のポイントが、例えば、図３の記憶装置３０８、ユーザ入力インターフェース３１０、ならびに／または任意の他の好適なユーザおよび／もしくはシステムデバイスに記憶される。これによって、第１のメディアデバイスまたは任意の他のデバイスは、第１のユーザが最後に第１のメディアコンテンツにアクセスしたポイント、またはそれと実質的に同じポイントから、第１のメディアコンテンツにアクセス可能となり得る。いくつかの実施形態において、第１のメディアコンテンツが、第１のユーザが第１のメディアデバイスを退去する前に提供されていた場合、第１のメディアコンテンツは、例えば、図８の退去ユーザオプション８４０および図１１のオプションウィンドウ１１１０に関連して上述したように、こと２０１４において別のメディアデバイスに提供されてもよい。例えば、第１のメディアコンテンツは、第１のユーザに関連付けられた携帯電話に提供されてもよい。
【０１６８】
こと２０１６において、デバイスのアクティブユーザの一覧上に残っている他のユーザがいるか否かが決定される。決定は、例えば、図３の処理回路３０６によって完了されてもよい。第１のユーザがアクティブユーザの一覧から削除された後に一覧にユーザが残っている場合、それらのユーザがまだデバイスで第１のメディアコンテンツにアクセスしていると推定される。あるいは、リスト上に残っているユーザが存在しない場合、デバイスで第１のメディアコンテンツにまだアクセスしているユーザが存在しないと推定される。したがって、デバイス上に他のユーザが残っていない場合、デバイスをアクティブとしたままにする必要がなくてもよい。そのような実施形態において、プロセスは、第１のメディアデバイスガシャッとダウンされること２０１８に進んでもよい。第１のメディアデバイスは、図８および図１１に関連して上述したようにシャットダウンされてもよい。
【０１６９】
ユーザが第１のメディアデバイスに残っている場合、プロセスは、第２のメディアコンテンツが発見されること２０２０に進んでもよい。第２のメディアコンテンツは、例えば、図８のオプション８４０および図１１のオプションウィンドウ１１１０に関連して上述したように、アクティブユーザの一覧内の残りのユーザに基づいてもよい。第２のメディアは、例えば、図３の記憶装置３０８および／または図４のメディアコンテンツソース４１６内に位置してもよい。こと２０２２において、好適な第２のメディアコンテンツが発見されたか否かが決定される。発見された場合、プロセスは、発見された第２のメディアコンテンツを提供すること２０２４に進んでもよい。
【０１７０】
代替として、（例えば、他の好適なコンテンツが発見されない場合）プロセスはこと２０２６および／またはこと２０２８に進んでもよい。こと２０２６において、デバイスは、第１のメディアコンテンツの提供を継続する。このシナリオにおいて、デバイスにおけるユーザは、第１のユーザがデバイスを退去する前の時間と第１のユーザがデバイスを退去した後の時間との間で、第１のメディアコンテンツへのアクセスにいかなる途絶も気付かないことが可能である。こと２０２８において、第１のメディアは、第１のユーザが検出領域を退去したことに応じて、例えば、第１のユーザがデバイスに復帰する可能性があることを予期して休止される。
【０１７１】
こと２０３０において、第１のユーザは、第１のメディアデバイスに戻ったことが検出される。検出は、図１７のこと１７１０およびこと１７１６に関連して上で論議した通りに実行されてもよい。戻った第１のユーザの検出後、プロセスは、第１のユーザが第１のメディアデバイスのアクティブユーザの一覧に再び追加されること２０３２に進んでもよい。第１のユーザの再追加は、図８および１７に関連して上述したように実行されてもよい。こと２０３４の後、第１のユーザがアクティブユーザから削除された第１のメディア内のポイントから、第１のメディアコンテンツが提供される。例えば、こと２０２６に関連して説明したように、第１のユーザが第１のメディアデバイスを退去した時に第１のメディアコンテンツへのアクセスが継続された場合、第１のメディアコンテンツは、第１のユーザがアクティブユーザの一覧から削除されたポイント、またはそのポイントに実質的に近いポイントまで巻き戻されてもよい。こと２０２８に関連して説明したように、第１のユーザがメディアデバイスを退去した時に第１のメディアが休止された場合、第１のメディアコンテンツの休止が解除されてもよい。第１のユーザが第１のメディアデバイスを退去した時に第２のメディアコンテンツが提供された場合、第１のユーザがアクティブユーザの一覧から削除されたポイントから、第１のメディアコンテンツが再開されてもよい。いくつかの実施形態において、第１のメディアは、第１のメディアコンテンツが第１のユーザによって最後にアクセスされたポイントからアクセスされてもよい。例えば、こと２０１４に関連して説明したように、第１のメディアコンテンツが別のメディアデバイスに提供された場合、例えば、第１のメディアデバイスに残っているユーザが同時に第１のメディアコンテンツへのアクセスを継続している一方で、第１のユーザは、第１のユーザがアクティブユーザの一覧から削除されたメディアコンテンツ内のポイントを超えて、他のデバイス上でメディアコンテンツへのアクセスを継続している可能性がある。したがって、そのような状況において、第１のメディアコンテンツを、第１のユーザによって最後にアクセスされた第１のメディアコンテンツ内のポイントから提供することが望ましくなり得る。いくつかの実施形態において、第１のメディアコンテンツは、例えば、図８のオプション８５０および図１２に関連して上で論議したように、第１のユーザが第１のメディアデバイスに任意の好適な様式で戻った後に提供されてもよい。
【０１７２】
実際には、プロセス２０００に示される１つ以上のことは、他のことと組み合わされてもよく、任意の好適な順番で実行されてもよく、並行して実行されてもよく（例えば、同時にもしくは実質的に同時に）、または削除されてもよい。例えば、第１のメディアコンテンツは、こと２０１４に関連して上述したように別のメディアデバイス上に提供されてもよく、一方で、実質的に同時に、こと２０２４に関連して上述したように、第２のメディアコンテンツが第１のメディアデバイス上に提供されてもよい。
【０１７３】
本発明の上記の実施形態は、限定ではなく例示の目的で提示され、本発明は、以下の請求項のみによって限定される。
【図１】
2020167730.tif 000002
【図２】
2020167730.tif 000003
【図３】
2020167730.tif 000004
【図４】
2020167730.tif 000005
【図５】
2020167730.tif 000006
【図６】
2020167730.tif 000007
【図７】
2020167730.tif 000008
【図８】
2020167730.tif 000009
【図９】
2020167730.tif 000010
【図１０】
2020167730.tif 000011
【図１１】
2020167730.tif 000012
【図１２】
2020167730.tif 000013
【図１３】
2020167730.tif 000014
【図１４】
2020167730.tif 000015
【図１５】
2020167730.tif 000016
【図１６】
2020167730.tif 000017
【図１７】
2020167730.tif 000018
【図１８】
2020167730.tif 000019
【図１９】
2020167730.tif 000020
【図２０】
2020167730.tif 000021